【手続補正書】
【提出日】令和3年4月2日(2021.4.2)
【手続補正１】
【補正対象書類名】明細書
【補正対象項目名】全文
【補正方法】変更
【補正の内容】
【発明の詳細な説明】
【発明の名称】レンズ駆動装置、これを含むカメラモジュール及び光学機器
【技術分野】
【０００１】
実施例は、レンズ駆動装置、これを含むカメラモジュール及び光学機器に関する。
【背景技術】
【０００２】
超小型及び低電力消耗のためのカメラモジュールは、既存の一般的なカメラモジュールに使用されたボイスコイルモーター（ＶＣＭ：Ｖｏｉｃｅ  Ｃｏｉｌ  Ｍｏｔｏｒ）の技術を適用しにくいので、これに関連する研究が活発に進められてきた。
【０００３】
スマートフォンなどの小型電子製品に実装されるカメラモジュールの場合、使用途中で頻繁にカメラモジュールが衝撃を受けるおそれがあり、撮影する間にユーザーの手の震えなどによってカメラモジュールに微細な揺れが発生し得る。このような点を勘案して、最近は、手の震え防止手段をカメラモジュールにさらに設置する技術が開発されている。
【発明の概要】
【発明が解決しようとする課題】
【０００４】
実施例は、支持部材に流れる電流の強さを減少させ、消耗電力を減少させることができ、ＯＩＳワイヤの直径減少に起因したＯＩＳ駆動の信頼性低下を防止できるレンズ駆動装置、これを含むカメラモジュール及び光学装置を提供する。
【課題を解決するための手段】
【０００５】
実施例に係るレンズ駆動装置は、ハウジング；前記ハウジング内に配置されるボビン；前記ボビンに配置される第１コイル；前記ハウジングに配置される第１マグネット；前記ボビン及び前記ハウジングに結合される上部弾性部材；前記ハウジングの下側に配置され、前記第１マグネットに対向する第２コイルを含む回路基板；前記回路基板の下側に配置され、第１ホールを含むベース；前記ベースに配置され、前記回路基板と電気的に連結される導電パターン；及び一端が前記上部弾性部材に結合され、他端が導電パターンに結合される支持部材；を含み、前記支持部材の他端は、前記ベースの前記第１ホールを介して前記ベースと結合され得る。
【０００６】
前記ベースは、前記第１ホールと離隔して配置される第２ホールをさらに含むことができる。
【０００７】
前記導電パターンは、前記ベースの上面に配置される第１導電パターン；前記ベースの下面に配置される第２導電パターン；及び前記第１ホール又は前記第２ホール内に配置され、前記第１導電パターンと前記第２導電パターンとを連結する第３導電パターン；を含むことができる。
【０００８】
前記第１ホールは前記回路基板と垂直方向に重畳されなく、前記第２ホールは前記回路基板と垂直方向に重畳され得る。
【０００９】
前記第１導電パターンと前記支持部材の他端はソルダーによって結合され得る。
【００１０】
前記ベースは、前記第１ホールの下部と連結される溝をさらに含むことができ、前記導電パターンの一部は前記溝内に配置され得る。
【００１１】
前記回路基板は、前記第１導電パターンと結合されるパッドを含むことができる。
【００１２】
前記レンズ駆動装置は、前記第１ホール内に配置されるダンパーをさらに含むことができる。
【００１３】
前記第１ホールの大きさは、上部が下部より大きくなり得る。
【００１４】
前記レンズ駆動装置は、前記ボビンに配置される第２マグネット；前記ハウジングに配置され、前記第２マグネットに対応する第１位置センサー；及び前記ベースに配置され、前記第１マグネットに対応する第２位置センサー；をさらに含むことができる。
【発明の効果】
【００１５】
実施例は、支持部材に流れる電流の強さを減少させ、消耗電力を減少させることができ、ＯＩＳワイヤの直径減少に起因したＯＩＳ駆動の信頼性低下を防止することができる。
【図面の簡単な説明】
【００１６】
【図１】実施例に係るレンズ駆動装置の斜視図である。
【００１７】
【図２】図１に示したレンズ駆動装置の分解図である。
【００１８】
【図３】カバー部材を除いた図１のレンズ駆動装置の結合図である。
【００１９】
【図４】図１に示したボビン、第１コイル、第２マグネット、及び第３マグネットの斜視図である。
【００２０】
【図５】図４に示したボビン及び第１コイルの底面斜視図である。
【００２１】
【図６ａ】図１に示したハウジングの第１斜視図である。
【００２２】
【図６ｂ】図１に示したハウジングの第２斜視図である。
【００２３】
【図７ａ】図１のハウジング、第１位置センサー、及び第１回路基板の斜視図である。
【００２４】
【図７ｂ】図１のハウジング、第１位置センサー、第１回路基板、及び第１及び第２ヨークの斜視図である。
【００２５】
【図８】図３に示したレンズ駆動装置のＡＢ方向の断面図である。
【００２６】
【図９】図１に示した上部弾性部材の斜視図である。
【００２７】
【図１０】図２の上部弾性部材、下部弾性部材、第２コイル、第２回路基板、及びベースの斜視図である。
【００２８】
【図１１】第２コイル、第２回路基板、ベース、及び第２位置センサーの斜視図である。
【００２９】
【図１２ａ】一実施例に係るベース及び各支持部材の斜視図である。
【００３０】
【図１２ｂ】他の実施例に係るベース及び各支持部材の斜視図である。
【００３１】
【図１３】図１２のベースの底面図である。
【００３２】
【図１４】図１２の各支持部材と電気的に連結される第２回路基板の底面図である。
【００３３】
【図１５ａ】図１２〜図１４に示したベース、第２回路基板、及び第１支持部材の電気的な連結を示す断面図である。
【００３４】
【図１５ｂ】図１５ａの変形例である。
【００３５】
【図１６ａ】更に他の実施例に係るベース及び各支持部材の斜視図である。
【００３６】
【図１６ｂ】更に他の実施例に係るベース及び各支持部材の斜視図である。
【００３７】
【図１７】図１６ａのベースの底面図である。
【００３８】
【図１８ａ】図１６ａ及び図１７に示したベース、第２回路基板、及び第１支持部材の電気的な連結を示す断面図である。
【００３９】
【図１８ｂ】図１８ａの変形例を示す図である。
【００４０】
【図１９】図１５ａに示したベース及び導電パターンの変形例を示す図である。
【００４１】
【図２０】実施例に係るレンズ駆動装置の斜視図である。
【００４２】
【図２１】図２０に示したレンズ駆動装置の分解図である。
【００４３】
【図２２】カバー部材を除いた図２０のレンズ駆動装置の結合図である。
【００４４】
【図２３ａ】図２１に示したボビンの斜視図である。
【００４５】
【図２３ｂ】ボビン及び第１コイルの底面斜視図である。
【００４６】
【図２４ａ】図２１に示したハウジングの第１斜視図である。
【００４７】
【図２４ｂ】図２１に示したハウジングの第２斜視図である。
【００４８】
【図２５ａ】図２１のハウジング、第１位置センサー、回路基板、及び第１マグネットの斜視図である。
【００４９】
【図２５ｂ】図２１のハウジング及び回路基板の斜視図である。
【００５０】
【図２６】図２５ａに示した第１位置センサーの構成図である。
【００５１】
【図２７】図２１の上部弾性部材の斜視図である。
【００５２】
【図２８】図２１の下部弾性部材の斜視図である。
【００５３】
【図２９】図２２に示したレンズ駆動装置のＡＢ方向の断面図である。
【００５４】
【図３０】図２１の上部弾性部材、下部弾性部材、第１位置センサー、回路基板、第２コイル、及びベースの斜視図である。
【００５５】
【図３１】ベース、各端子部、第２位置センサー、回路基板、及び第２コイルの斜視図である。
【００５６】
【図３２】図３１のベース及び各端子部の斜視図である。
【００５７】
【図３３】図３２に示した端子部及びベースの段差部の拡大図である。
【００５８】
【図３４】図３３の段差部の拡大図である。
【００５９】
【図３５】ベースの突起、端子部、回路基板、及び支持部材の結合を示す第１斜視図である。
【００６０】
【図３６】ベースの突起、端子部、回路基板、及び支持部材の結合を示す第２斜視図である。
【００６１】
【図３７】図３５に示した回路基板の一部の断面図である。
【００６２】
【図３８】他の実施例に係る各端子部を示す図である。
【００６３】
【図３９】図３８の各端子部が載置されるためのベースの段差部を示す図である。
【００６４】
【図４０】更に他の実施例に係るレンズ駆動装置の斜視図である。
【００６５】
【図４１】図４０に示したレンズ駆動装置の分解図である。
【００６６】
【図４２】カバー部材を除いた図４０のレンズ駆動装置の結合図である。
【００６７】
【図４３】図４０に示したボビン、第１コイル、第２マグネット、及び第３マグネットの斜視図である。
【００６８】
【図４４】図４３に示したボビン及び第１コイルの底面斜視図である。
【００６９】
【図４５ａ】図４０に示したハウジングの第１斜視図である。
【００７０】
【図４５ｂ】図４０に示したハウジングの第２斜視図である。
【００７１】
【図４６ａ】図４０のハウジング、第１位置センサー、及び回路基板の斜視図である。
【００７２】
【図４６ｂ】図４０のハウジング、第１位置センサー、回路基板、及び第１及び第２ヨークの斜視図である。
【００７３】
【図４７】図４０に示した上部弾性部材の斜視図である。
【００７４】
【図４８】図４１の上部弾性部材、下部弾性部材、第２コイル、回路基板、及びベースの斜視図である。
【００７５】
【図４９】第２コイル、回路基板、ベース、及び第２位置センサーの斜視図である。
【００７６】
【図５０ａ】図４９に示した回路基板の底面図である。
【００７７】
【図５０ｂ】図５０ａの回路基板の一部の配線図である。
【００７８】
【図５１ａ】図４２のレンズ駆動装置のＡＢ方向の断面図である。
【００７９】
【図５１ｂ】図５１ａの断面図の一部の概略図である。
【００８０】
【図５２】回路基板の下面に支持部材が結合される場合の支持部材の長さを示す図である。
【００８１】
【図５３】他の実施例に係る回路基板の斜視図である。
【００８２】
【図５４】図４９に示したベースの他の実施例を示す図である。
【００８３】
【図５５】更に他の実施例に係る回路基板の一部分を示す図である。
【００８４】
【図５６】図５５の回路基板を備える実施例の断面図である。
【００８５】
【図５７】実施例に係るカメラモジュールの分解斜視図である。
【００８６】
【図５８】図５７に示したイメージセンサーの一実施例に係るブロック図である。
【００８７】
【図５９】実施例に係る携帯用端末機の斜視図である。
【００８８】
【図６０】図５９に示した携帯用端末機の構成図である。
【発明を実施するための形態】
【００８９】
以下、前記目的を具体的に実現できる本発明の実施例について添付の図面を参照して説明する。
【００９０】
実施例の説明において、各構成部分の「上（ｏｎ）又は下（ｕｎｄｅｒ）」に形成されると記載される場合、「上又は下（ｏｎ  ｏｒ  ｕｎｄｅｒ）」は、二つの構成部分が直接（ｄｉｒｅｃｔｌｙ）接触したり、一つ以上の他の構成部分が前記二つの構成部分の間に配置されて（ｉｎｄｉｒｅｃｔｌｙ）形成されることを全て含む。また、「上又は下（ｏｎ  ｏｒ  ｕｎｄｅｒ）」と表現される場合、一つの構成部分を基準にして、上側方向のみならず、下側方向の意味も含み得る。
【００９１】
また、以下で用いられる「第１」及び「第２」、「上／上部」及び「下／下部」などのような関係的用語は、そのような実体又は要素間の如何なる物理的又は論理的関係又は順序を必ず要求したり内包することはなく、いずれか一つの実体又は要素を他の実体又は要素と区別するためにのみ用いられてもよい。また、同一の参照番号は、図面の説明を通じて同一の要素を示す。
【００９２】
また、以上で記載した「含む」、「構成する」、又は「有する」などの用語は、特別に反対の記載がない限り、該当の構成要素が内在され得ることを意味するものであるので、他の構成要素を除外するのではなく、他の構成要素をさらに含み得ると解釈しなければならない。また、以上で記載した「対応する」などの用語は、「対向する」又は「重畳される」という各意味のうち少なくとも一つを含むことができる。
【００９３】
説明の便宜上、実施例によるレンズ駆動装置は、デカルト座標系（ｘ、ｙ、ｚ）を用いて説明するが、他の座標系を用いて説明してもよく、実施例はこれに限定されない。各図面におけるｘ軸とｙ軸は、光軸方向であるｚ軸に対して垂直な方向を意味し、光軸方向又は光軸に対して平行な方向であるｚ軸方向を「第１方向」と称し、ｘ軸方向を「第２方向」と称し、ｙ軸方向を「第３方向」と称することができる。
【００９４】
スマートフォン又はタブレットＰＣなどのモバイルデバイスの小型カメラモジュールに適用される「手の震え補正装置」とは、静止画像の撮影時、ユーザーの手の震えに起因した振動により、撮影されたイメージの外郭線が明確に形成されないことを防止できるように構成された装置を意味し得る。
【００９５】
また、「オートフォーカシング装置」とは、被写体の画像の焦点を自動的にイメージセンサー面に結像させる装置である。このような手の震え補正装置及びオートフォーカシング装置は多様に構成できるが、実施例によるレンズ駆動装置は、少なくとも一枚のレンズで構成された光学モジュールを光軸に対して平行な第１方向に動かしたり、第１方向に対して垂直な第２及び第３方向によって形成される面に対して動かすことによって、手の震え補正動作及び／又はオートフォーカシング動作を行うことができる。
【００９６】
図１は、実施例に係るレンズ駆動装置１００の斜視図で、図２は、図１に示したレンズ駆動装置１００の分解図で、図３は、カバー部材３００を除いた図１のレンズ駆動装置１００の結合図である。
【００９７】
図１〜図３を参照すると、レンズ駆動装置１００は、ボビン１１０、第１コイル１２０、第１マグネット１３０、ハウジング１４０、上部弾性部材１５０、下部弾性部材１６０、支持部材２２０、第２回路基板２５０、及びベース２１０を含むことができる。
【００９８】
また、レンズ駆動装置１００は、ＡＦフィードバック駆動のために第１回路基板１９０及び第１位置センサー１７０をさらに含むことができ、第２マグネット１８０及び第３マグネット１８５をさらに含んでもよい。
【００９９】
また、レンズ駆動装置１００は、ＯＩＳ（Ｏｐｔｉｃａｌ  Ｉｍａｇｅ  Ｓｔａｂｉｌｉｚｅｒ）駆動のために第２コイル２３０をさらに含むことができ、ＯＩＳフィードバック駆動のために第２位置センサー２４０をさらに備えることができる。また、レンズ駆動装置１００は、カバー部材３００をさらに含むことができる。また、レンズ駆動装置１００は、ハウジング１４０に結合される第１及び第２ヨーク１９２ａ、１９２ｂをさらに含んでもよい。
【０１００】
以下では、カバー部材３００に対して説明する。
【０１０１】
カバー部材３００は、ベース２１０と共に形成される収容空間内に他の各構成１１０、１２０、１３０、１４０、１５０、１６０、１７０、２２０、２３０、２５０を収容する。
【０１０２】
カバー部材３００は、下部が開放され、上板及び側部板を含む箱状であり得る。また、カバー部材３００の下部はベース２１０の上部と結合され得る。カバー部材３００の上板の形状は、多角形、例えば、四角形又は八角形などであり得る。
【０１０３】
カバー部材３００は、ボビン１１０に結合されたレンズ（図示せず）を外部光に露出させる中空部を上板に備えることができる。また、カメラモジュールの内部に埃や水分などの異物が浸透することを防止するために、カバー部材３００の中空部には、光透過性物質からなるウィンドウがさらに備えられ得る。
【０１０４】
カバー部材３００の材質は、第１マグネット１３０と付く現象を防止するためにＳＵＳなどの非磁性体であり得る。しかし、カバー部材３００は、磁性材質で形成することによって、第１コイル１２０との相互作用による電磁気力を増加させるヨーク（ｙｏｋｅ）機能をすることもできる。
【０１０５】
次に、ボビン１１０に対して説明する。
【０１０６】
ボビン１１０にはレンズ又はレンズバレルが装着され得る。また、ボビン１１０はハウジング１４０の内側に配置される。ボビン１１０は、レンズ又はレンズバレルの装着のために中空部を有する構造であり得る。中空部の形状は、円形、楕円形又は多角形であり得るが、これに限定されることはない。
【０１０７】
図４は、図１に示したボビン１１０、第１コイル１２０、第２マ部ネット１８０及び第３マグネットの斜視図で、図５は、図４に示したボビン１１０及び第１コイル１２０の底面斜視図である。
【０１０８】
図４及び図５を参照すると、ボビン１１０は、上部面から第１方向に突出する第１突出部１１１、及びボビン１１０の外周面１１０ｂから第２及び／又は第３方向に突出する第２突出部１１２を含むことができる。
【０１０９】
ボビン１１０の第１突出部１１１は、第１ガイド部１１１ａ及び第１ストッパー１１１ｂを含むことができる。ボビン１１０の第１ガイド部１１１ａは、上部弾性部材１５０の設置位置をガイドする役割をすることができる。例えば、ボビン１１０の第１ガイド部１１１ａは、上部弾性部材１５０の第１フレーム連結部１５３をガイドすることができる。
【０１１０】
ボビン１１０の第２突出部１１２は、ボビン１１０の外周面１１０ｂから第２及び／又は第３方向に突出して形成され得る。第１フレーム連結部１５３との空間的干渉を回避するために、第２突出部１１２の上面は、ボビン１１０の上面より下側に位置し得る。例えば、第２突出部１１２には逃避溝が設けられ、逃避溝は、ボビン１１０の上面から陥没した溝状であり得る。
【０１１１】
ボビン１１０の第１ストッパー１１１ｂ及び第２突出部１１２は、ボビン１１０がオートフォーカシング機能のために第１方向に動くとき、外部衝撃などによってボビン１１０が規定された範囲以上に動くとしても、ボビン１１０の上面又は／及び側面がカバー部材３００の内側と直接衝突することを防止する役割をすることができる。
【０１１２】
ボビン１１０は、下部面から突出する第２ストッパー１１６を備えることができ、第２ストッパー１１６は、ボビン１１０がオートフォーカシング機能のために第１方向に動くとき、外部衝撃などによってボビン１１０が規定された範囲以上に動くとしても、ボビン１１０の下部面がベース２１０、第２コイル２３０、又は第２回路基板２５０に直接衝突することを防止する役割をすることができる。
【０１１３】
ボビン１１０は、第１側部１１０ｂ−１、及び第１側部１１０ｂ−１の間に位置する第２側部１１０ｂ−２を含むことができる。
【０１１４】
ボビン１１０の第１側部１１０ｂ−１は、第１マグネット１３０に対応又は対向し得る。ボビン１１０の第２側部１１０ｂ−２のそれぞれは、隣接する２個の第１側部の間に配置され得る。
【０１１５】
ボビン１１０は、外周面１１０ｂに第１コイル１２０が配置又は設置される少なくとも一つの第１コイル用溝（図示せず）を備えることができる。例えば、第１コイル用溝は、ボビン１１０の第１側部１１０ｂ−１及び第２側部１１０ｂ−２に設けられ得る。
【０１１６】
第１コイル用溝の形状及び個数は、ボビン１１０の外周面１１０ｂに配置される第１コイル１２０の形状及び個数に相応し得る。例えば、ボビン１１０の第１側部１１０ｂ−１及び第２側部１１０ｂ−２に設けられた第１コイル用溝はリング状を有し得るが、これに限定されることはない。
【０１１７】
他の実施例において、ボビン１１０は第１コイル用溝を備えなくてもよく、第１コイル１２０はボビン１１０の外周面１１０ｂに直接巻線されて固定されてもよい。
【０１１８】
また、ボビン１１０は、第２マグネット１８０が載置、挿入、固定、又は配置される第２マグネット用マウント溝１８０ａ、及び第３マグネット１８５が載置、挿入、固定又は配置される第３マグネット用マウント溝１８５ａを備えることができる。
【０１１９】
第２マグネット用マウント溝１８０ａ及び第３マグネット用マウント溝１８５ａは、ボビン１１０の第１側部から選ばれた２個に配置され得る。
【０１２０】
例えば、第３マグネット用マウント溝１８５ａは、第２マグネット用マウント溝１８０ａと互いに向かい合うように配置され得る。例えば、第３マグネット用マウント溝１８５ａの中央と第２マグネットマウント溝１８０ａの中央とをつなぐ線は、ボビン１１０の中央を通過するように整列され得る。これは、第１位置センサー１７０に対して第２マグネット１８０と第３マグネット１８５を互いにバランスよくボビン１１０に配置又は整列させることによって、ＡＦ（Ａｕｔｏ  Ｆｏｃｕｓｉｎｇ）駆動を正確にするためである。
【０１２１】
例えば、第２マグネット用マウント溝１８０ａ及び第３マグネット用マウント溝１８５ａは第１コイル用溝の上部に位置し得るが、これに限定されることはない。
【０１２２】
また、ボビン１１０の上部面には、上部弾性部材１５０の第１内側フレーム１５１のホール１５１ａと結合する第１上側支持突起１１３が設けられ得る。
【０１２３】
第１上側支持突起１１３は、ボビン１１０の第１側部１１０ｂ−１の上部面に設けられ得るが、これに限定されることはない。
【０１２４】
例えば、第１上側支持突起１１３は、第１上側突起１１３ａ及び第２上側突起１１３ｂを含むことができる。ボビン１１０の第１側部１１０ｂ−１のそれぞれには、互いに離隔する第１上側突起１１３ａ及び第２上側突起１１３ｂが配置され得る。
【０１２５】
例えば、第１上側突起１１３ａは、上部弾性部材１５０の第１内側フレーム１５１との融着・結合のためのものであって、第２上側突起１１３ｂは、ソルダー又は伝導性接着部材などを通じて上部弾性部材１５０の第１内側フレーム１５１と電気的に連結するためのものであり得るが、これに限定されることはない。例えば、第１上側突起１１３ａの直径は、第２上側突起１１３ｂの直径より大きくなり得る。
【０１２６】
ボビン１１０は、下部弾性部材１６０のホール１６１ａに結合及び固定される第１下側結合溝１１７を下部面に備えることができる。他の実施例では、下部弾性部材１６０のホール１６１ａと結合するためにボビン１１０の下部面に支持突起が設けられてもよい。
【０１２７】
ボビン１１０の内周面１１０ａには、レンズ又はレンズバレルと結合するためのねじ線１１が設けられ得る。ジグ（ｊｉｇ）などによってボビン１１０を固定させた状態でボビン１１０の内周面にねじ線１１を形成できるが、ボビン１１０の上部面にはジグ固定用溝１５ａ、１５ｂが設けられ得る。例えば、ジグ固定用溝１５ａ、１５ｂは、ボビン１１０の互いに向かい合う第２側部１１０ｂ−２の上部面に設けられ得るが、これに限定されることはない。
【０１２８】
次に、第１コイル１２０に対して説明する。
【０１２９】
第１コイル１２０は、ボビン１１０の外周面１１０ｂに配置され、ハウジング１４０に配置される第１マグネット１３０と電磁気的相互作用をする駆動用コイルであり得る。
【０１３０】
第１マグネット１３０との相互作用による電磁気力を生成するために、第１コイル１２０には駆動信号（例えば、駆動電流又は電圧）が印加され得る。
【０１３１】
第１コイル１２０に印加される駆動信号は、交流信号、例えば、交流電流であり得る。例えば、第１コイル１２０に提供される駆動信号は、正弦波信号又はパルス信号（例えば、ＰＷＭ（Ｐｕｌｓｅ  Ｗｉｄｔｈ  Ｍｏｄｕｌａｔｉｏｎ）信号）であり得る。
【０１３２】
又は、他の実施例において、第１コイル１２０に印加される駆動信号は交流信号及び直流信号を含むことができる。
【０１３３】
第１コイル１２０と第１マグネット１３０との間の相互作用による電磁気力により、ＡＦ可動部は第１方向に移動し得る。第１コイル１２０に印加される駆動信号の強さ又は／及び極性（例えば、電流が流れる方向）を制御し、第１コイル１２０と第１マグネット１３０との間の相互作用による電磁気力の強さ又は／及び方向を調節することによって、ＡＦ可動部の第１方向への動きを制御することができ、これによってオートフォーカシング機能を行うことができる。
【０１３４】
ＡＦ可動部は、上部弾性部材１５０及び下部弾性部材１６０によって弾性的に支持されるボビン１１０、及びボビン１１０に装着され、ボビン１１０と共に移動する各構成を含むことができる。例えば、ＡＦ可動部は、ボビン１１０、第１コイル１２０、及びボビン１１０に装着されるレンズ（図示せず）を含むことができる。
【０１３５】
第１コイル１２０は、光軸を中心に時計方向又は反時計方向に回転するようにボビン１１０の外周面を覆って巻線又は配置され得る。他の実施例において、第１コイル１２０は、光軸に対して垂直な軸を中心に時計方向又は反時計方向に巻線又は配置されるコイルリングの形態に具現され得る。また、コイルリングの個数は第１マグネット１３０の個数と同一であり得るが、これに限定されることはない。
【０１３６】
第１コイル１２０は、上部弾性部材１５０及び下部弾性部材１６０のうち少なくとも一つと電気的に連結され、上部弾性部材１５０又は下部弾性部材１６０、及び支持部材２２０を通じて第２回路基板２５０と電気的に連結され得る。
【０１３７】
ボビン１１０に配置された第１コイル１２０と、ボビン１１０に配置された第２マグネット１８０及び第３マグネット１８５のそれぞれは光軸（ＯＡ）に対して垂直な方向に互いに離隔し得るが、これに限定されることはなく、他の実施例において、ボビン１１０に配置された第２マグネット１８０及び第３マグネット１８５のそれぞれは第１コイル１２０と接してもよい。
【０１３８】
次に、ハウジング１４０に対して説明する。
【０１３９】
ハウジング１４０は、第１コイル１２０が配置されたボビン１１０を内側に収容する。
【０１４０】
図６ａは、図１に示したハウジング１４０の第１斜視図で、図６ｂは、図１に示したハウジング１４０の第２斜視図で、図７ａは、図１のハウジング１４０、第１位置センサー１７０、及び第１回路基板１９０の斜視図で、図７ｂは、図１のハウジング１４０、第１位置センサー１７０、第１回路基板１９０、及び第１及び第２ヨーク１９２ａ、１９２ｂの斜視図で、図８は、図３に示したレンズ駆動装置のＡＢ方向の断面図である。
【０１４１】
図６ａ〜図８を参照すると、ハウジング１４０は、全体的に中空の柱形状でり、中空部を形成する複数の第１側部１４１及び第２側部１４２を含むことができる。
【０１４２】
例えば、ハウジング１４０は、互いに離隔する第１側部１４１及び互いに離隔する第２側部１４２を含むことができ、第１側部１１４１のそれぞれは、隣接する２個の第２側部１４２の間に配置又は位置することができ、第２側部１４２を互いに連結させることができ、一定深さの平面を含むことができる。
【０１４３】
ハウジング１４０の第２側部１４２は、その位置がハウジング１４０の角領域に該当するという点で、ハウジング１４０の第２側部１４２は「コーナー部（ｃｏｒｎｅｒ  ｍｅｍｂｅｒ）」と表現され得る。
【０１４４】
例えば、図６ａでは、ハウジング１４０は、第１側部、第２側部、第３側部、第４側部、第１コーナー部５０１ａ、第２コーナー部５０１ｂ、第３コーナー部５０１ｃ及び第４コーナー部５０１ｄを含むことができる。
【０１４５】
ハウジング１４０の第１側部１４１はボビン１１０の第１側部１１０ｂ−１に対応し、ハウジング１４０の第２側部１４２はボビン１１０の第２側部１１０ｂ−２に対応し得るが、これに限定されることはない。
【０１４６】
ハウジング１４０の第１側部１４１には第１マグネット１３０（１３０−１〜１３０−４）が配置又は設置され、ハウジング１４０の第２側部１４１には支持部材２２０が配置され得る。
【０１４７】
ハウジング１４０は、第１マグネット１３０−１〜１３０−４を支持又は収容するために第１側部１４１の内面に設けられるマグネットマウント部１４１ａを備えることができる。
【０１４８】
ハウジング１４０の第１側部１４１には、第１マグネット１３０をハウジング１４０のマグネットマウント部１４１ａに付着させるための接着剤を注入する溝６１を備えることができる。
【０１４９】
ハウジング１４０の第１側部１４１は、カバー部材３００の側部板に対して平行に配置され得る。ハウジング１４０の第２側部１４２には、支持部材２２０が通過するホール１４７ａが設けられ得る。例えば、ホール１４７ａは、直径が一定であり得るが、これに限定されることはなく、他の実施例では、ダンパーを容易に塗布するためにハウジング１４０の上部面から下部面の方向にホール１４７ａの直径が漸次増加する形態であってもよい。
【０１５０】
また、カバー部材３００の内側面に直接衝突することを防止するために、ハウジング１４０の上部面には第２ストッパー１４４が設けられ得る。例えば、第２ストッパー１４４は、ハウジング１４０の第１〜第４コーナー部５０１ａ〜５０１ｄのそれぞれのコーナーに配置され得るが、これに限定されることはない。
【０１５１】
また、上部弾性部材１５０がハウジング１４０の上部面に配置されるとき、上部弾性部材１５０の第１外側フレーム１５２の設置位置をガイドするために、ハウジング１４０は上部面に第２ガイド部１４６を備えることができる。
【０１５２】
第２ガイド部１４６は、ハウジング１４０の各コーナー部５０１ａ〜５０１ｄに第２ストッパー１４４と離隔して配置され得る。例えば、第２ガイド部１４６と第２ストッパー１４４は、対角線方向に互いに向かい合うことができる。ここで、対角線方向は、ハウジング１４０の中心から第２ストッパー１４４に向かう方向であり得る。また、第２ガイド部１４６は、ハウジング１４０の上部面がカバー部材３００の内側面に直接衝突することを防止するためのストッパーの機能をすることもできる。
【０１５３】
ハウジング１４０は、上部弾性部材１５０の第１外側フレーム１５２のホール１５２ａ、１５２ｂと結合するために第２側部１４２の上部面に設けられる少なくとも一つの第２上側支持突起１４３ａ、１４３ｂを備えることができる。
【０１５４】
第２上側支持突起１４３ａ、１４３ｂは、ハウジング１４０の第１〜第４コーナー部５０１ａ〜５０１ｄのうち少なくとも一つの上部面に配置され得る。
【０１５５】
第２上側支持突起１４３ａ、１４３ｂは、ハウジング１４０の第２ガイド部１４６の一側及び他側のうち少なくとも一つに配置され得る。
【０１５６】
例えば、ハウジング１４０の第２ガイド部１４６の一側に２個の第２上側支持突起が配置され、ハウジング１４０の第２ガイド部１４６の他側に２個の第２上側支持突起が配置され得るが、これに限定されることはない。
【０１５７】
また、ハウジング１４０は、下部弾性部材１６０の第２外側フレーム１６２のホール１６２ａと結合及び固定するために第２側部１４２の下部面に設けられる少なくとも一つの第２下側支持突起１４５を備えることができる。例えば、第２下側支持突起１４５は、ハウジング１４０の第１〜第４コーナー部５０１ａ〜５０１ｄのうち少なくとも一つの下面に配置され得るが、これに限定されることはない。
【０１５８】
支持部材２２０が通過する経路を確保するために、また、ダンピング役割をすることができるシリコーンを充填するための空間を確保するために、ハウジング１４０は、第２側部１４２の下部に設けられる凹溝１４２ａを備えることができる。例えば、ハウジング１４０の凹溝１４２ａにはダンピングシリコーンが充填され得る。
【０１５９】
ハウジング１４０は、各側部１４１の側面から第２方向又は第３方向に突出した第３ストッパー１４９を備えることができる。第３ストッパー１４９は、ハウジング１４０が第２及び第３方向に動くとき、カバー部材３００の側部板の内面と衝突することを防止するためのものである。
【０１６０】
ハウジング１４０の底面が後述するベース２１０、第２コイル２３０、及び／又は第２回路基板２５０と衝突することを防止するために、ハウジング１４０は、下部面から突出する第４ストッパー（図示せず）をさらに備えてもよい。
【０１６１】
図７ａを参照すると、ハウジング１４０は、第１回路基板１９０を収容するための第１溝１４１−１、及び第１位置センサー１７０を収容するための第２溝１４１−２を備えることができる。
【０１６２】
第１溝１４１−１は、ハウジング１４０の第２側部１４２のうちいずれか一つの上部又は上端に設けられ得る。第１回路基板１９０の装着を容易にするために、第１溝１４１−１は、上部が開放され、側面及び底を有する溝状であり得る。また、第１溝１４１−１の側面は、第１回路基板１９０の形状に対応したり、又は第１回路基板１９０の形状と一致する形状を有することができる。
【０１６３】
第２溝１４１−２は、ハウジング１３０の第２側部１４２のうちいずれか一つの内側面に設けられ、ハウジング１３０の内側に開放される開口を有することができ、第１溝１４１−１に接する構造であり得るが、これに限定されることはない。
【０１６４】
第１位置センサー１７０の装着を容易にするために、第２溝１４１−２は、上部及び側面が開放される開口を有することができる。第２溝１４１−２は、第１位置センサー１７０の形状に対応したり、又は第１位置センサー１７０の形状と一致する形状を有することができる。
【０１６５】
第１マグネット１３０及び第１回路基板１９０のそれぞれは、ハウジング１４０の第１マグネットマウント部１４１ａ及び第２溝１４１−２に接着剤で固定され得るが、これに限定されることはなく、両面テープなどの接着部材などによって固定されてもよい。
【０１６６】
また、第２マグネット１８０と向かい合うハウジング１４０のいずれか一つの第２側部の下部には、第１ヨーク１９２ａが配置される第１ヨークマウント溝１４ａが設けられ、第３マグネット１８５と向かい合うハウジング１４０の他のいずれか一つの第２側部の下部には、第２ヨーク１９２ｂが配置される第２ヨークマウント溝１４ｂが設けられ得る。
【０１６７】
ヨークマウント部１４２ｂは、ハウジング１４０の凹溝１４２ａとハウジング１４０の第１マグネットマウント部１４１ａとの間のハウジング１４０の第２側部１４２の下端に設けられ得る。
【０１６８】
次に、第１マグネット１３０に対して説明する。
【０１６９】
ボビン１１０の初期位置において、第１マグネット１３０は、光軸（ＯＡ）方向に対して垂直な第２方向又は第３方向に第１コイル１２０と少なくとも一部がオーバーラップされるようにハウジング１４０に配置され得る。例えば、第１マグネット１３０は、ハウジング１４０のマウント部１４１ａ内に挿入又は配置され得る。
【０１７０】
ここで、ボビン１１０の初期位置は、第１コイル１２０に電源を印加していない状態で、ＡＦ可動部の最初の位置であり、上部弾性部材１５０及び下部弾性部材１６０がＡＦ可動部の重さによってのみ弾性的に変形することによってＡＦ可動部が置かれる位置であり得る。
【０１７１】
これと共に、ボビン１１０の初期位置は、重力がボビン１１０からベース２１０の方向に作用するとき、又は、これと反対に、重力がベース２１０からボビン１１０の方向に作用するときのＡＦ可動部が置かれる位置であり得る。ＡＦ可動部は、ボビン１１０、及びボビン１１０に装着される各構成、例えば、第１コイル１２０を含むことができる。
【０１７２】
他の実施例において、第１マグネット１３０は、ハウジング１４０の第１側部１４１の外側面に配置されてもよく、他の実施例では、ハウジング１４０の第２側部１４２の内側面又は外側面に配置されてもよい。
【０１７３】
第１マグネット１３０の形状は、ハウジング１４０の第１側部１４１に対応する形状として直方体の形状であり得るが、これに限定されることはなく、第１コイル１２０と向かい合う面は、第１コイル１２０の対応する面の曲率に対応したり、又は第１コイル１２０の対応する面の曲率と一致するように形成され得る。
【０１７４】
第１マグネット１３０は一体に構成され、第１コイル１２０と向かい合う面はＳ極になり、その反対側面はＮ極になるように配置できるが、これに限定されることはなく、その反対に構成することも可能である。
【０１７５】
第１マグネット１３０は、少なくとも２個以上が互いに向かい合うハウジング１４０の第１側部に配置され、これらが互いに向かい合うように位置し得る。
【０１７６】
例えば、ハウジング１４０の第１側部１４１には第１マグネット１３０−１〜１３０−４が配置され得る。交差するように互いに向かい合う二対の第１マグネット１３０−１〜１３０−４がハウジング１４０の第１側部１４１に配置され得る。このとき、第１マグネット１３０−１〜１３０−４のそれぞれの平面は、略四角形状であってもよく、又は、これと異なって三角形状、菱形状であってもよい。
【０１７７】
次に、第２マグネット１８０及び第３マグネット１８５に対して説明する。
【０１７８】
第２マグネット１８０は、ボビン１１０の第２マグネット用マウント溝１８０ａ内に配置され得る。また、第３マグネット１８５は、ボビン１１０の第３マグネット用マウント溝１８５ａに配置され得る。
【０１７９】
第２マグネット用マウント溝１８０ａに装着された第２マグネット１８０のいずれか一つの面の一部、及び第３マグネット用マウント溝１８５ａに装着された第３マグネット１８５のいずれか一つの面の一部はボビン１１０の外側面から露出し得るが、これに限定されることはなく、他の実施例では、ボビン１１０の外側面に露出しなくてもよい。
【０１８０】
第２マグネット１８０及び第３マグネット１８５のそれぞれは、Ｎ極とＳ極との境界面が光軸に対して垂直な方向と平行であり得るが、これに限定されることはない。例えば、他の実施例では、Ｎ極とＳ極との境界面が光軸と平行であってもよい。
【０１８１】
第１コイル１２０と第１マグネット１３０との間の相互作用により、第２マグネット１８０はボビン１１０と共に光軸方向（ＯＡ）に移動することができ、第１位置センサー１７０は、光軸方向に移動する第２マグネット１８０の磁場の強さを感知することができ、感知された結果による出力信号を出力することができる。例えば、カメラモジュールの制御部８３０又は端末機の制御部７８０は、第１位置センサー１７０が出力する出力信号に基づいてボビン１１０の光軸方向への変位を検出することができる。
【０１８２】
第２マグネット１８０の磁場は、第１マグネット１３０と第１コイル１２０（又は第２コイル２３０）との間の相互作用に影響を及ぼし得る。第３マグネット１８５は、第２マグネット１８０の磁場が第１マグネット１３０と第１コイル１２０（又は第２コイル２３０）との間の相互作用に及ぼす影響を緩和又は除去する役割をすることができる。
【０１８３】
また、第３マグネット１８５を第２マグネット１８０と対称的に配置させることによって、ＡＦ可動部のバランスを合わせ、これによって正確なＡＦ動作を行うことができる。
【０１８４】
他の実施例では、第２マグネット１８０及び第３マグネット１８５が省略可能であり、第１位置センサーは、ハウジングでなくボビン１１０に装着され得る。また、第１コイル１２０と第１マグネット１３０との間の相互作用によってボビン１１０及び第１位置センサーが光軸方向に移動することにより、第１位置センサーは、第１マグネットの磁場の強さを感知し、感知された結果による出力信号を出力することができる。
【０１８５】
第１マグネット１３０は「駆動マグネット」に取り替えて表現され、第２マグネット１８０は「センシングマグネット」に取り替えて表現され、第３マグネット１８５は「バランシングマグネット」に取り替えて表現され得る。
【０１８６】
次に、第１位置センサー１７０及び第１回路基板１９０に対して説明する。
【０１８７】
第１位置センサー１７０及び第１回路基板１９０は、ハウジング１４０の第２側部のうちいずれか一つに第２マグネット１８０に対応するように配置され得る。例えば、ボビン１１０の初期位置において、第１位置センサー１７０は、光軸に対して垂直な方向に第２マグネット１８０に対向して重畳され得る。
【０１８８】
例えば、第１回路基板１９０は、ハウジング１４０の第１溝１４１−１内に配置され得る。第１位置センサー１７０は、ハウジング１４０に配置された第１回路基板１９０に装着され得る。
【０１８９】
第１位置センサー１７０は、ボビン１１０の移動により、ボビン１１０に装着された第２マグネット１８０の磁場の強さを感知することができ、感知された結果による出力信号（例えば、出力電圧）を出力することができる。
【０１９０】
第１位置センサー１７０は、第１回路基板１９０の第１面に配置され得る。ここで、ハウジング１４０に装着された第１回路基板１９０の第１面は、ハウジング１４０の内側と向かい合う面であり得る。
【０１９１】
第１位置センサー１７０は、ホールセンサー（Ｈａｌｌ  ｓｅｎｓｏｒ）を含むドライバーの形態に具現されたり、又はホールセンサーなどの位置検出センサー単独の形態に具現され得る。
【０１９２】
第１位置センサー１７０は、２個の入力端子及び２個の出力端子を含むことができ、第１位置センサー１７０の各入力端子及び各出力端子は、第１回路基板１９０の第１パッド１、第２パッド２、第３パッド３、及び第４パッド４のうち対応するいずれか一つと電気的に連結され得る。
【０１９３】
第１回路基板１９０は、第２面に設けられる第１〜第４パッド１〜４、及び第１面に装着された第１位置センサー１７０と第１〜第４パッド１〜４とを連結する回路パターン又は配線（図示せず）を含むことができる。例えば、第１回路基板１９０の第２面は第１面の反対面であり得る。例えば、第１回路基板１９０は印刷回路基板又はＦＰＣＢであり得る。
【０１９４】
他の実施例において、第１位置センサー１７０は、第１回路基板１９０の下面に配置され、第１〜第４パッド１〜４は第１回路基板１９０の上面に設けられてもよいが、これに限定されることはない。
【０１９５】
例えば、第１回路基板１９０の第１〜第４パッド１〜４は、各上部スプリング１５０−１、１５０−４〜１５０−６及び各支持部材２２０−３〜２２０−６によって第２回路基板２５０と電気的に連結され、第１位置センサー１７０は第２回路基板２５０と電気的に連結され得る。
【０１９６】
また、第１コイル１２０の両端は、第２及び第３上部スプリング１５０−２、１５０−３の内側フレームと連結され、第２及び第３上部スプリング１５０−２〜１５０−３及び各支持部材２２０−２、２２０−３によって第２回路基板２５０と電気的に連結され得る。
【０１９７】
次に、第１ヨーク１９２ａ及び第２ヨーク１９２ｂに対して説明する。
【０１９８】
第１ヨーク１９２ａ及び第２ヨーク１９２ｂのそれぞれは、隣接する２個の第１マグネット１３０−１と１３０−３、１３０−２と１３０−４の間のハウジング１４０に配置されることによって、第１コイル１２０と第１マグネット１３０−１〜１３０−４との間の電磁気力を向上させることができる。
【０１９９】
例えば、第１ヨーク１９２ａ及び第２ヨーク１９２ｂのそれぞれは、胴体１９２−１、第１折曲部１９２−２、第２折曲部１９２−２、及び突出部１９２−４を含むことができる。胴体１９２−１は、ハウジング１４０のヨークマウント部１４２bに対応する形状を有し、ヨークマウント部１４２bに接するように配置され得る。
【０２００】
第１折曲部１９２−２は胴体１９２−１の一端から折り曲げられ、第２折曲部１９２−３は胴体１９２−１の他端から折り曲げられ、突出部１９２−４は、胴体１９２−１の一端と他端との間に位置し得る。第１及び第２折曲部１９２−２、１９２−３のそれぞれは、胴体１９２−１を基準にして胴体１９２−１の一側に折り曲げられ得る。突出部１９２−４は、ハウジングとの結合力を向上させるために胴体の下部に連結され、胴体１９２−１を基準にして胴体１９２−１の一側に向かって突出し得る。
【０２０１】
次に、上部弾性部材１５０、下部弾性部材１６０及び支持部材２２０に対して説明する。
【０２０２】
上部弾性部材１５０及び下部弾性部材１６０は、ボビン１１０及びハウジング１４０に結合し、ボビン１１０を支持する。
【０２０３】
例えば、上部弾性部材１５０は、ボビン１１０の上部、上部面又は上端及びハウジング１４０の上部、上部面又は上端と結合することができ、下部弾性部材１６０は、ボビン１１０の下部、下部面又は下端及びハウジング１４０の下部、下部面又は下端と結合することができる。
【０２０４】
支持部材２２０は、ハウジング１４０をベース２１０に対して支持することができ、上部弾性部材１５０及び下部弾性部材１６０のうち少なくとも一つと第２回路基板２５０とを電気的に連結することができる。
【０２０５】
図９は、図１に示した上部弾性部材１５０の斜視図で、図１０は、図２の上部弾性部材１５０、下部弾性部材１６０、第２コイル２３０、第２回路基板２５０、及びベース２１０の斜視図である。
【０２０６】
図９〜図１０を参照すると、上部弾性部材１５０及び下部弾性部材１６０のうち少なくとも一つは２個以上に分割又は分離され得る。
【０２０７】
例えば、上部弾性部材１５０は、互いに離隔する第１〜第６上部スプリング１５０−１〜１５０−６を含むことができる。
【０２０８】
上部弾性部材及び下部弾性部材において、「弾性部材」という用語は「弾性ユニット」に取り替えて表現され得る。又は、上部スプリング及び下部スプリングにおける「スプリング」という用語は、「弾性ユニット」という用語に取り替えて表現されてもよい。
【０２０９】
上部弾性部材１５０及び下部弾性部材１６０は、板スプリング（ｌｅａｆ  ｓｐｒｉｎｇ）に具現され得るが、これに限定されることはなく、コイルスプリング（ｃｏｉｌ  ｓｐｒｉｎｇ）、サスペンションワイヤなどに具現されてもよい。
【０２１０】
第１〜第４上部スプリング１５０−１〜１５０−４のそれぞれは、ボビン１１０の上部、上部面又は上端と結合される第１内側フレーム１５１、ハウジング１４０の上部、上部面又は上端と結合される第１外側フレーム１５２、及び第１内側フレーム１５１と第１外側フレーム１５２とを連結する第１フレーム連結部１５３を含むことができる。
【０２１１】
第５及び第６上部スプリング１５０−５〜１５０−６のそれぞれは、ハウジング１４０の上部、上部面又は上端と結合される第１外側フレーム１５２を含むことができる。図９において、第５及び第６上部スプリングのそれぞれは、第１内側フレーム及び第１フレーム連結部を含まないが、これに限定されることはなく、他の実施例では、第１内側フレーム及び第１フレーム連結部を含んでもよい。
【０２１２】
前記内側フレームは「内側部」に取り替えて表現され、外側フレームは「外側部」に取り替えて表現され得る。
【０２１３】
第１〜第６上部スプリング１５０−１〜１５０−６のそれぞれの第１外側フレーム１５２は、ハウジング１４０のコーナー部５０１ａ〜５０１ｄに結合される第１結合部５１０、５１０ａ〜５１０ｄ、支持部材２２０−１〜２２０−６に結合される第２結合部５２０、５２０ａ〜５２０ｄ、及び第１結合部５１０、５１０ａ〜５１０ｄと第２結合部５２０、５２０ａ〜５２０ｄとを連結する連結部５３０、５３０ａ〜５３０ｄを含むことができる。
【０２１４】
第１結合部５１０、５１０ａ〜５１０ｄは、ハウジング１４０のコーナー部５０１ａ〜５０１ｄと結合される少なくとも一つの結合領域を含むことができる。
【０２１５】
例えば、第１結合部５１０、５１０ａ〜５１０ｄは、ハウジング１４０の第２上側支持突起１４３ａ、１４３ｂと結合されるホール１５２ａ、１５２ｂを含む少なくとも一つの結合領域を含むことができる。
【０２１６】
例えば、ハウジング１４０をいずれか一側に偏らないようにバランスよく支持するために、第１〜第６上部スプリング１５０−１〜１５０−６の第１結合部５１０、５１０ａ〜５１０ｄの各結合領域は、基準線（例えば、５０１〜５０４）を基準にして左右対称であり得るが、これに限定されることはない。
【０２１７】
図９の実施例において、第１〜第６上部スプリング１５０−１〜１５０−６の第１結合部５１０、５１０ａ〜５１０ｄの各結合領域のそれぞれはホールを含むように具現されるが、これに限定されることはなく、他の実施例において、各結合領域は、ハウジング１４０と結合するのに十分な多様な形態、例えば、溝状などに具現されてもよい。
【０２１８】
例えば、第１結合部５１０、５１０ａ〜５１０ｄのホール１５２ａは、第２上側支持突起１４３ａとホール１５２ａとの間に接着部材が染み込むための少なくとも一つの切開部２１を有することができる。
【０２１９】
例えば、第１及び第４上部スプリング１５０−１、１５０−４のそれぞれの第１結合部５１０、５１０ｂは、基準線５０１〜５０４の一側に位置する第１結合領域、及び基準線の他側に位置する第２結合領域を含むことができる。
【０２２０】
例えば、第２、第３、第５及び第６上部スプリング１５０−２、１５０−３、１５０−５、１５０−６のそれぞれの第１結合部５１０ａ、５１０ｃ、５１０ｄは、基準線５０１〜５０４のいずれか一側に位置する結合領域を含むことができる。
【０２２１】
第２結合部５２０、５２０ａ〜５２０ｄは、支持部材２２０−１〜２２０−６が貫通するホール５２を備えることができる。ホール５２を通過した支持部材２２０−１〜２２０−６の一端は、伝導性接着部材又はソルダー９０１によって第２結合部５２０、５２０ａ〜５２０ｄに結合され、第２結合部５２０、５２０ａ〜５２０ｄと支持部材２２０−１〜２２０−６とは電気的に連結され得る。
【０２２２】
第２結合部５２０、５２０ａ〜５２０ｄは、ソルダー９０１が配置される領域であって、ホール５２、及びホール５２の周囲の一領域を含むことができる。
【０２２３】
連結部５３０、５３０ａ〜５３０ｄは、第１結合部５１０、５１０ａ〜５１０ｄの結合領域と第２結合部５２０、５２０ａ〜５２０ｄとを連結することができる。
【０２２４】
例えば、連結部５３０、５３０ｂは、第１及び第４上部スプリング１５０−１、１５０−４のそれぞれの第１結合部５１０、５１０ｂの第１結合領域と第２結合部５２０、５２０ｂとを連結する第１連結領域５３０−１、５３０ｂ−１、及び第１結合部５１０、５１０ｂの第２結合領域と第２結合部５２０、５２０ｂとを連結する第２連結領域５３０−２、５３０ｂ−２を含むことができる。
【０２２５】
また、例えば、連結部５３０ａ、５３０ｃ、５３０ｄは、第２、第３、第５及び第６上部スプリング１５０−２、１５０−３、１５０−５、１５０−６のそれぞれの第１結合部５１０ａ、５１０ｃ、５３０ｄの結合領域と第２連結部５２０ａ、５２０ｃ、５２０ｄとを連結する一つの連結領域５３０ａ、５３０ｃ、５３０ｄを含むことができる。
【０２２６】
各連結領域５３０−１、５３０−２、５３０ｂ１、５３０ｂ２、５３０ｃ、５３０ｄのそれぞれは、 少なくとも一回折り曲げられる折曲部又は少なくとも一回曲げられる曲線部を含み得るが、これに限定されることはなく、他の実施例では直線状であってもよい。
【０２２７】
連結部５３０、５３０ａ〜５３０ｄの幅は、第１結合部５１０、５１０ａ〜５１０ｄの幅より狭くなり得る。これによって、連結部５３０、５３０ａ〜５３０ｄは、第１方向に容易に動くことができ、これによって、上部弾性部材１５０に印加される応力、及び支持部材２２０に印加される応力を分散させることができる。
【０２２８】
また、ハウジング１４０をいずれか一側に偏らないようにバランスよく支持するために、第３結合部５３０、５３０ａ〜５３０ｄは基準線を基準にして左右対称であり得るが、これに限定されることはなく、他の実施例では左右対称でなくてもよい。基準線５０１〜５０４は、中心点１０１（図９参照）、及びハウジング１４０の各コーナー部５０１ａ〜５０１ｄの各角のうち対応するいずれか一つを通過する直線であり得る。ここで、中心点１０１は、ハウジング１４０の中央であり得る。
【０２２９】
第１上部スプリング１５０−１及び第４〜第６上部スプリング１５０−４〜１５０−６のそれぞれの第１外側フレーム１５２は、第１回路基板１９０の各パッド１〜４のうち対応するいずれか一つと接触又は連結される各接触部Ｐ１〜Ｐ４を備えることができる。
【０２３０】
第５上部スプリング１５０−５及び第６上部スプリング１５０−６のそれぞれは、第１結合部５１０ｃ、５１０ｄから拡張される接触部Ｐ２、Ｐ３を備えることができる。
【０２３１】
第１スプリング１５０−１及び第４上部スプリング１５０−４のそれぞれは、ハウジング１４０の第１側部と結合される第１外側フレームの一端から拡張される接触部Ｐ１、Ｐ４を備えることができる。
【０２３２】
各接触部Ｐ１〜Ｐ４のそれぞれは、第１回路基板１９０の各パッド１〜４のうち対応するいずれか一つに直接接触し得る。また、ソルダーなどにより、互いに対応する接触部Ｐ１〜Ｐ４と第１回路基板１９０のパッド１〜４とは電気的に連結され得る。
【０２３３】
下部弾性部材１６０は、ボビン１１０の下部、下部面又は下端と結合される第２内側フレーム１６１、ハウジング１４０の下部、下部面又は下端と結合される第２外側フレーム１６２、及び第２内側フレーム１６１と第２外側フレーム１６２とを連結する第２フレーム連結部１６３を含むことができる。
【０２３４】
また、下部弾性部材１６０は、第２内側フレーム１６１に配置され、半田付け又は伝導性接着部材によってボビン１１０の第１下側結合溝１１７と結合するホール１６１ａ、及び第２外側フレーム１６２に配置され、ハウジング１４０の第２下側支持突起１４７と結合するホール１６２ａを備えることができる。
【０２３５】
上部及び下部弾性部材１５０、１６０の第１及び第２フレーム連結部１５３、１６３のそれぞれは、少なくとも一回以上折り曲げられたり又はカーブ（又は曲線）状に形成され、一定形状のパターンを形成することができる。第１及び第２フレーム連結部１５３、１６３の位置変化及び微細変形を通じて、ボビン１１０は、第１方向への上昇及び／又は下降動作が弾力的に（又は弾性的に）支持され得る。
【０２３６】
ボビン１１０の振動を吸収及び緩衝させるために、レンズ駆動装置１００は、各上部スプリング１５０−１〜１５０−６のそれぞれとハウジング１４０との間に配置される第１ダンピング部材（図示せず）をさらに備えることができる。
【０２３７】
例えば、各上部スプリング１５０−１〜１５０−６のそれぞれの第１フレーム連結部１５３とハウジング１４０との間の空間に第１ダンピング部材（図示せず）が配置され得る。
【０２３８】
また、例えば、レンズ駆動装置１００は、下部弾性部材１６０の第２フレーム連結部１６３とハウジング１４０との間に配置される第２ダンピング部材（図示せず）をさらに備えてもよい。
【０２３９】
また、例えば、レンズ駆動装置１００は、支持部材２２０とハウジング１４０のホール１４７ａとの間に配置される第３ダンピング部材（図示せず）をさらに含むことができる。
【０２４０】
また、例えば、レンズ駆動装置１００は、第１結合部５２０、５２０ａ〜５２０ｄ及び支持部材２２０の一端に配置される第４ダンピング部材（図示せず）をさらに含むことができ、支持部材２２０の他端及び第２回路基板２５０に配置される第５ダンピング部材（図示せず）をさらに含むことができる。
【０２４１】
また、例えば、ハウジング１４０の内側面とボビン１１０の外周面との間にもダンピング部材（図示せず）がさらに配置され得る。
【０２４２】
次に、支持部材２２０に対して説明する。
【０２４３】
半田付け又は伝導性接着部材により、支持部材２２０の一端は上部弾性部材１５０に結合され、支持部材２２０の他端はベース２１０の下面に結合され得る。
【０２４４】
支持部材２２０は複数であり得る。また、複数の支持部材２２０−１〜２２０−６のそれぞれは、ソルダー９０１を通じて各上部スプリング１５０−１〜１５０−６のうち対応するいずれか一つの第２結合部５２０、５２０ａ〜５２０ｄに結合され、第２結合部５２０と電気的に連結され得る。例えば、複数の支持部材２２０−１〜２２０−６は、４個の第２側部１４２に配置され得る。
【０２４５】
複数の支持部材２２０−１〜２２０−６は、ボビン１１０及びハウジング１４０が第１方向に対して垂直な方向に移動できるようにボビン１１０及びハウジング１４０を支持することができる。図３及び図１０では、ハウジング１４０の第２側部のそれぞれに一つの支持部材又は２個の支持部材が配置されるが、これに限定されることはない。
【０２４６】
他の実施例では、ハウジング１４０の第２側部のそれぞれに２個以上の支持部材が配置されてもよく、ハウジング１４０の第２側部のそれぞれに１個の支持部材が配置されてもよい。
【０２４７】
複数の支持部材２２０−１〜２２０−６のそれぞれはハウジング１４０と離隔し、ハウジング１４０に固定されるものではなく、各上部スプリング１５０−１〜１５０−６のそれぞれの第１外側フレーム１５２の第２結合部５２０、５２０ａ〜５２０ｄに直接連結され得る。
【０２４８】
他の実施例において、支持部材２２０は、ハウジング１４０の第１側部１４１に板スプリングの形態に配置されてもよい。
【０２４９】
複数の支持部材２２０−１〜２２０−６及び各上部スプリング１５０−１〜１５０−６を通じて第２回路基板２５０から第１コイル１２０に駆動信号が伝達され、第２回路基板２５０から第１位置センサー１７０に駆動信号が提供され、第１位置センサー１７０の出力信号が第２回路基板２５０に伝達され得る。
【０２５０】
例えば、第２及び第３上部スプリング１５０−２、１５０−３、及び第１及び第２支持部材２２０−１、２２０−２を通じて第２回路基板２５０から第１コイル１２０に駆動信号が提供され得る。
【０２５１】
また、例えば、第４及び第５上部スプリング１５０−４、１５０−５、及び第３及び第４支持部材２２０−４、２２０−５を通じて第２回路基板２５０から第１位置センサー１７０に駆動信号が提供され、第１及び第６上部スプリング１５０−１、１５０−６及び第５及び第６支持部材２２０−５、２２０−６を通じて第１位置センサー１７０の出力信号が第２回路基板２５０に伝達され得る。
【０２５２】
複数の支持部材２２０−１〜２２０−６は、上部弾性部材１５０と別途の部材で形成され、弾性によって支持できる部材、例えば、板スプリング、コイルスプリング、サスペンションワイヤなどに具現され得る。また、他の実施例において、各支持部材２２０−１〜２２０−６は上部弾性部材１５０と一体に形成されてもよい。
【０２５３】
次に、ベース２１０、第２回路基板２５０、第２コイル２３０、及び第２位置センサー２４０に対して説明する。
【０２５４】
ベース２１０は、ボビン１１０の中空部、又は／及びハウジング１４０の中空部に対応する中空部を備えることができ、カバー部材３００と一致する形状又はカバー部材３００に対応する形状、例えば、四角形の形状であり得る。
【０２５５】
図１１は、第２コイル２３０、第２回路基板２５０、ベース２１０、及び第２位置センサー２４０の斜視図で、図１２ａは、一実施例に係るベース２１０及び各支持部材２２０−１〜２２０−６の斜視図で、図１３は、図１２ａのベース２１０の底面図で、図１４は、図１２ａの各支持部材２２０−１〜２２０−６と電気的に連結される第２回路基板２５０の底面図で、図１５ａは、図１２ａ、図１３、及び図１４に示したベース２１０、第２回路基板２５０、及び第１支持部材２２０−１の電気的な連結を示す断面図である。図１５ａでは、第１支持部材２２０−１のみを示すが、第１支持部材２２０−１に対する説明は、第２〜第６支持部材２２０−２〜２２０−５にも同一に適用可能である。
【０２５６】
図１１を参照すると、ベース２１０は、カバー部材３００を接着・固定するとき、接着剤が塗布され得る段部２１１を備えることができる。このとき、段部２１１は、上側に結合されるカバー部材３００をガイドすることができ、カバー部材３００の側部板の下端と向かい合うことができる。
【０２５７】
第２回路基板２５０の端子２５１が形成された部分と向い合うベース２１０の面には、対応する大きさの支え部２５５が形成され得る。ベース２１０の支え部２５５は第２回路基板２５０の端子面２５３を支持することができる。
【０２５８】
ベース２１０の上部面には、第２回路基板２５０に装着された第２位置センサー２４０が配置され得るマウント溝２１５−１、２１５−２が設けられ得る。実施例によると、ベース２１０には２個のマウント溝２１５−１、２１５−２が設けられ得る。
【０２５９】
ベース２１０の各マウント溝２１５−１、２１５−２の各中心とベース２１０の中心とを連結する仮想の各線は互いに交差し得る。例えば、ベース２１０の各マウント溝２１５−１、２１５−２の各中心とベース２１０の中心とを連結する仮想の各線がなす角度は９０゜であり得るが、これに限定されることはない。
【０２６０】
ベース２１０は、支持部材２２０の他端が貫通する第１ホール３３を備えることができる。
【０２６１】
ベース２１０の各コーナー部９１ａ〜９１ｄには、各支持部材２２０−１〜２２０−６に対応する第１ホール３３が設けられ得る。
【０２６２】
例えば、ベース２１０の各コーナー部９１ａ〜９１ｄのそれぞれに設けられる第１ホール３３の個数は、ハウジング１４０の第２側部に配置される支持部材の個数と同一であり得る。
【０２６３】
例えば、ベース２１０の各コーナー部９１ａ〜９１ｄのそれぞれには１個以上の第１ホール３３が設けられ得る。
【０２６４】
例えば、ベース２１０の各コーナー部９１ａ〜９１ｄのそれぞれに設けられた第１ホール３３は、ベース２１０の対角線方向に互いに向かい合うように配置され得る。
【０２６５】
例えば、第１ホール３３は、回路基板２５０と光軸方向又は第１方向に重畳されなくてもよい。
【０２６６】
例えば、ベース２１０の各コーナー部９１ａ〜９１ｄはハウジング１４０の各コーナー部５０１ａ〜５０１ｄに対応し、ベース２１０の角から既に設定された範囲以内の領域であり得る。
【０２６７】
各支持部材２２０−１〜２２０−６のそれぞれの他端は、ベース２１０の各コーナー部９１ａ〜９１ｄに設けられた第１ホール３３のうち対応するいずれか一つを貫通し得る。また、第１ホール３３を貫通した各支持部材２２０−１〜２２０−６の他端はベース２１０の下面に結合され得る。
【０２６８】
第２回路基板２５０を基準にして、上部には第２コイル２３０が配置され、下部には第２位置センサー２４０が配置され得る。
【０２６９】
例えば、第２位置センサー２４０は、第２回路基板２５０の下面に装着され、第２回路基板２５０の下面は、ベース２１０の上面と向かい合う面であり得る。
【０２７０】
第２位置センサー２４０は、ハウジング１４０が光軸に対して垂直な方向に移動するとき、ハウジング１４０に配置された第１マグネット１３０の磁場の強さを感知し、感知された結果による出力信号（例えば、出力電圧）を出力することができる。
【０２７１】
第２位置センサー２４０の出力信号に基づいて、光軸（例えば、Ｚ軸）に対して垂直な方向（例えば、Ｘ軸又はＹ軸）にベース２１０に対するハウジング１４０の変位が検出され得る。
【０２７２】
第２位置センサー２４０は、光軸に対して垂直な第２方向（例えば、Ｘ軸）、及び光軸に対して垂直な第３方向（例えば、Ｙ軸）にハウジング１４０の変位を検出するために、２個のＯＩＳ用位置センサー２４０ａ、２４０ｂを含むことができる。
【０２７３】
例えば、第１ＯＩＳ用位置センサー２４０ａは、ハウジング１４０の移動による第１マグネット１３０の磁場の強さを感知し、感知された結果による第１出力信号を出力することができる。一方、第２ＯＩＳ用位置センサー２４０ｂは、ハウジング１４０の移動による第１マグネット１３０の磁場の強さを感知し、感知された結果による第２出力信号を出力することができる。カメラモジュールの制御部８３０又は携帯用端末機２００Ａの制御部７８０は、第１出力信号及び第２出力信号に基づいてハウジング１４０の変位を検出することができる。
【０２７４】
ベース２１０に配置された各ＯＩＳ用位置センサー２４０ａ、２４０ｂのそれぞれとベースの中心とをつなぐ仮想の各線は互いに交差し得る。例えば、仮想の各線は直交し得るが、これに限定されることはない。
【０２７５】
例えば、第２回路基板２５０はハウジング１４０の下側に位置し、ベース２１０の上部面上に配置され、ボビン１１０の中空部、ハウジング１４０の中空部、又は／及びベース２１０の中空部に対応する中空部を備えることができる。第２回路基板２５０の外周面の形状は、ベース２１０の上部面と一致したり、又はベース２１０の上部面に対応する形状、例えば、四角形の形状であり得る。
【０２７６】
第２回路基板２５０は、上部面から折り曲げられ、外部との電気的な連結のための複数の端子２５１、又は各ピンが設けられる少なくとも一つの端子面２５３を備えることができる。
【０２７７】
第２回路基板２５０の端子面２５３には複数の端子２５１が設置され得る。例えば、第２回路基板２５０の端子面２５３に設置された複数の端子２５１を通じて外部から駆動信号を受け、第１及び第２コイル１２０、２３０、及び第１及び第２位置センサー１７０、２４０に駆動信号を提供することもでき、第１及び第２位置センサー１７０、２４０から出力される各出力信号を外部に出力することもできる。
【０２７８】
実施例によると、回路基板２５０はＦＰＣＢに設けられ得るが、これに限定されることはなく、第２回路基板２５０の各端子は、ベース２１０の表面に表面電極方式などを用いて直接形成されることも可能である。
【０２７９】
図１１において、第２コイル２３０は、第２回路基板２５０と別途の回路部材２３１に設けられる形態に具現されるが、これに限定されることはなく、他の実施例において、第２コイル２３０は、リング状のコイルブロックの形態に具現されたり、又はＦＰコイルの形態に具現され得る。
【０２８０】
又は、他の実施例において、第２コイル２３０は、第２回路基板２５０に形成される回路パターンの形態に具現されてもよい。
【０２８１】
第２回路基板２５０は、各支持部材２２０−１が通過するホール２５０ａを備えることができる。ホール２５０ａの位置及び数は、各支持部材２２０−１〜２２０−６の位置及び数に対応したり、又は各支持部材２２０−１〜２２０−６の位置及び数と一致し得る。各支持部材２２０−１〜２２０−６のそれぞれは、対応する回路基板２５０のホール２５０ａの内面から離隔して配置され得る。
【０２８２】
例えば、ホール２５０ａは、第２回路基板２５０の各コーナー部８１ａ〜８１ｄに配置され得る。また、各コーナー部８１ａ〜８１ｄはハウジング１４０の各コーナー部５０１ａ〜５０１ｄに対応し得る。
【０２８３】
第２コイル２３０が設けられる回路部材２３１の角には逃避溝２３が設けられ、逃避溝２３は、回路部材２３１の角部分が面取りされた形態であり得る。また、他の実施例において、回路部材２３１の角部分には支持部材２２０が通過するホールが設けられてもよい。
【０２８４】
第２コイル２３０は、ハウジング１４０に配置される第１マグネット１３０に互いに対応するように第２回路基板２５０の上部に配置される。又は、他の実施例において、回路基板２５０は、第１マグネット１３０に対向する第２コイルを含んでもよい。
【０２８５】
例えば、第２コイル２３０は、回路基板２５０の４個の辺のそれぞれに対応して配置される４個のＯＩＳ用コイル２３０−１〜２３０−４を含み得るが、これに限定することはなく、第２方向用１個、第３方向用１個などのように２個のみが設置されることも可能であり、４個以上設置されてもよい。ここで、各ＯＩＳ用コイル２３０−１〜２３０−４は、「各コイルユニット」に取り替えて表現されてもよい。
【０２８６】
上述したように、互いに対応する第１マグネット１３０と第２コイル２３０との間の相互作用によってハウジング１４０が第２及び／又は第３方向に動くことによって、手の震え補正を行うことができる。
【０２８７】
各ＯＩＳ用位置センサー２４０ａ、２４０ｂのそれぞれは、ホールセンサーとして設けられ、磁場の強さを感知できるセンサーであればいずれも使用可能である。例えば、各ＯＩＳ用位置センサー２４０のそれぞれは、ホールセンサーを含むドライバーの形態に具現されたり、又はホールセンサーなどの位置検出センサー単独の形態に具現されてもよい。
【０２８８】
各ＯＩＳ用位置センサー２４０ａ、２４０ｂのそれぞれは第２回路基板２５０に実装され、第２回路基板２５０は、各ＯＩＳ用位置センサー２４０ａ、２４０ｂと電気的に連結される各端子を備えることができる。
【０２８９】
第２回路基板２５０とベース２１０との結合のために、ベース２１０の上面には結合突起（図示せず）が設けられ得る。また、第２回路基板２５０には、ベース２１０の結合突起と結合するホール（図示せず）が設けられてもよく、このホールは、熱融着又はエポキシなどの接着部材で結合突起に固定されてもよい。
【０２９０】
図１２ａ、図１３〜図１５ａを参照すると、支持部材２２０は、対応する第１ホール３３を通過し、ベース２１０の下面に設けられた導電パターン３４又は導電層と結合され得る。
【０２９１】
例えば、導電パターン３４は、第１ホール３３の内側面（又は内壁）、第１ホール３３の一端に接するベース２１０の下面、及び第１ホール３３の他端に接するベース２１０の上面に設けられ得る。
【０２９２】
例えば、導電パターン３４は、ベース３４ｂの上面に配置される第１導電パターン３４ｂ、ベース２１０の下面に配置される第２導電パターン３４ａ、及び第１ホール３３の内側面又は内壁に配置され、第２導電パターン３４ａと第１導電パターン３４ｂとを連結する第３導電パターン３４ｃを含むことができる。
【０２９３】
導電パターン３４によって支持部材２２０と第２回路基板２５０とが電気的に連結され得る。例えば、支持部材２２０の一端は上部弾性部材１５０に結合され、支持部材２２０の他端はベース２１０の第１ホール３３を介して導電パターン３４に結合され得る。
【０２９４】
ソルダーなどの接着部材５１を通じて、支持部材２２０の他端は、ベース２１０の下面に配置される第２導電パターン３４ａに結合され得る。
【０２９５】
支持部材２２０の他端をベース２１０の下面に位置する第２導電パターン３４ａに結合させる理由は、支持部材２２０の長さを増加させることによって、支持部材２２０の抵抗を増加させ、これによって支持部材２２０に流れる電流の強さを減少させ、消耗電力を減少させるためである。
【０２９６】
ＯＩＳ駆動によって支持部材２２０が動いたり曲げられることがない場合、支持部材２２０は、第３導電パターン３４ｃから離隔して位置し得るが、これに限定されることはない。他の実施例において、支持部材２２０の他端は第３導電パターン３４ｃに接触してもよいが、このとき、支持部材２２０の他端が付着する部分は、ベース２１０の下面に配置された第２導電パターン３４ａであり得る。
【０２９７】
他の実施例において、例えば、支持部材２２０の他端は第３導電パターン３４ｃと結合されてもよい。
【０２９８】
導電パターン３４は、ベース２１０の各コーナー部９１ａ〜９１ｄに配置され得る。
【０２９９】
支持部材２２０−１〜２２０−６のそれぞれの直径ｔ１は、第１ホール３３の直径Ｄ２より小さくなり得る（ｔ１＜Ｄ２）。
【０３００】
例えば、各支持部材２２０−１〜２２０−６のそれぞれの直径ｔ１又は厚さは、３０μｍ〜７０μｍであり得る。例えば、ｔ１は、３６μｍ〜５０μｍであり得る。
【０３０１】
回路基板２５０のホール２５０ａの直径は、第２結合部５２０、５２０ａ〜５２０ｄのホール５２の直径より大きくなり得るが、これに限定されることはなく、他の実施例において、両者は同一であってもよい。また、回路基板２５０のホール２５０ａの直径はベース２１０の第１ホール３３の直径Ｄ２より小さくなり得るが、これに限定されることはない。
【０３０２】
ベース２１０の第１ホール３３の直径Ｄ２は０．１ｍｍ〜１ｍｍであり得る。例えば、Ｄ２は、０．２５ｍｍ〜０．６ｍｍであり得る。
【０３０３】
第１ホール３３の内側面と支持部材２２０−１〜２２０−６との間の離隔距離ｄ１は、０．０１５ｍｍ〜０．４８ｍｍであり得る。
【０３０４】
第１外側フレーム１５２の第２結合部５２０、５２０ａ〜５２０ｄのホール５２の直径Ｄ１は、ベース２１０の第１ホール３３の直径Ｄ２より小さくなり得る（Ｄ１＜Ｄ２）。他の実施例においては、Ｄ１とＤ２とが同一であってもよい。
【０３０５】
例えば、支持部材２２０−１〜２２０−６が容易にボンディングできるように、ホール５２の直径Ｄ１は０．０７ｍｍ〜０．５ｍｍであり得る。
【０３０６】
また、他の実施例において、支持部材２２０との離隔を安定的に確保するために、ベース２１０の第１ホールの直径は、ベース２１０の下面から上面の方向に行くほど増加する部分を有することができる。
【０３０７】
更に他の実施例において、ベース２１０のホールは、ベース２１０の上面と接する上部領域、及び上部領域とベース２１０の下面との間に位置する下部領域を含むことができ、ベース２１０のホールの上部領域の直径は、ベース２１０の下面から上面の方向に行くほど増加し得る。そして、ベース２１０のホールの下部領域の直径は一定であり、ベース２１０のホールの上部領域の最小直径と同一であり得る。
【０３０８】
支持部材２２０の他端と導電パターン３４は、ソルダーなどの伝導性接着部材５１によって結合され得る。例えば、ソルダー５１により、支持部材２２０と第２導電パターン３４ａとは互いに結合され、電気的に連結され得る。
【０３０９】
第２回路基板２５０は、下面にベース２１０の導電パターン３４と電気的に連結される各パッド３５又は各ボンディング部を備えることができる。
【０３１０】
各パッド３５は、ベース２１０に設けられた第１導電パターン３４ｂに対応して第２回路基板２５０の下面に配置され得る。
【０３１１】
ソルダーなどの伝導性接着部材により、第２回路基板２５０の各パッド３５のそれぞれは、ベース２１０の上面に設けられた第１導電パターン３４ｂのうち対応するいずれか一つに結合され得る。
【０３１２】
また、第２回路基板２５０の各パッド３５のそれぞれは、第２回路基板２５０に設けられた回路パターン、導電パターン、又は各配線によって第２回路基板２５０の各端子２５１−１〜２５１−６のうち対応するいずれか一つに電気的に連結され得る。
【０３１３】
図１２ａ、図１３〜図１４では、各支持部材２２０−１〜２２０−６のそれぞれが、これに対応するベース２１０の各導電パターン３４及び第２回路基板２５０の各パッド３５に電気的に連結されることを例示するが、これに限定されることはない。
【０３１４】
各支持部材のうち少なくとも一つ（例えば、２個の支持部材）が第２回路基板２５０と電気的に連結される場合、少なくとも一つの支持部材（例えば、２個の支持部材）に対応して少なくとも一つの導電パターン３４、例えば、２個の導電パターンがベース２１０に設けられ、少なくとも一つの導電パターン３４に対応して少なくとも一つのパッド３５、例えば、２個のパッドが第２回路基板２５０に設けられ得る。
【０３１５】
一般に、携帯電話の厚さが薄くなるにつれて、これに装着されるカメラモジュールの厚さ（例えば、光軸方向への長さ）も薄くなる。そして、厚さが薄いカメラモジュールを具現するためには、支持部材２２０に該当するＯＩＳワイヤの長さの減少が要求される。
【０３１６】
一定の直径を有するＯＩＳワイヤの長さが減少すると、ＯＩＳワイヤの抵抗が減少し、これによってＯＩＳワイヤに流れる電流が増加し、消耗電力が増加する。ＯＩＳワイヤの直径を減少させることによって、ＯＩＳワイヤの長さ減少による電流の増加を防止できるが、ＯＩＳワイヤの直径の減少はＯＩＳ駆動の信頼性を低下させ得る。
【０３１７】
実施例は、支持部材２２０をベース２１０を貫通してベース２１０の下面に設けられた第２導電パターン３４ａに結合させることによって、支持部材２２０に流れる電流の強さを減少させ、消耗電力を減少させることができ、ＯＩＳワイヤの直径減少に起因したＯＩＳ駆動の信頼性低下を防止することができる。
【０３１８】
図１２ｂは、他の実施例に係るベース２１０及び各支持部材２２０−１、２２０−２、２２０−３ａ、２２０−３ｂ、２２０−４、２２０−５、２２０−６ａ、２２０−６ｂの斜視図である。
【０３１９】
図１２ｂを参照すると、図９に示した第１上部スプリング１５０−１及び第４上部スプリング１５０−４のそれぞれの外側フレームは２個に分離され、分離された２個の外側フレームのそれぞれは支持部材と結合するための第２結合部を含むことができる。
【０３２０】
図１２ｂでは、ハウジング１４０の各コーナー部には２個の支持部材２２０−１と２２０−２、２２０−３ａと２２０−３ｂ、２２０−４と２２０−５、及び２２０−６ａと２２０６ｂが配置され得る。また、２個の支持部材２２０−１と２２０−２、２２０−３ａと２２０−３ｂ、２２０−４と２２０−５、及び２２０−６ａと２２０６ｂのそれぞれは、ベース２１０の各コーナー部９１ａ〜９１ｄのうち対応するいずれか一つを貫通し得る。
【０３２１】
図１２ａ、図１３、図１４、及び図１５ａを参照して説明した第１ホール３３、第２導電パターン３４ａ、第１導電パターン３４ｂなどに対する説明は図１２ｂの実施例に適用可能である。
【０３２２】
図１５ｂは、図１５ａの変形例を示す。
【０３２３】
図１５ｂを参照すると、他の実施例に係る第２回路基板２５０−１には、支持部材２２０との空間的干渉を排除するために角部分に逃避溝が設けられ得る。このとき、第２回路基板２５０−１の逃避溝は、角部分が面取りされた形態、例えば、図１１に示した回路部材２３１の逃避溝２３と同一又は類似する形態であり得る。
【０３２４】
また、例えば、ベース２１０の各コーナー部９１ａ〜９１ｄのそれぞれは第１領域を含むことができる。ベース２１０の各コーナー部９１ａ〜９１ｄの第１領域は、第２回路基板２５０と光軸方向又は第１方向にオーバーラップされなく、第１ホール３３が形成される領域であり得る。
【０３２５】
例えば、ベース２１０の第１ホール３３は、光軸方向又は第１方向に回路部材２３１と重畳されなくてもよい。すなわち、ベース２１０の第１ホール３３は、光軸方向又は第１方向に回路部材２３１の逃避溝２３と重畳され得る。
【０３２６】
例えば、ベース２１０の第１ホール３３は、光軸方向又は第１方向に第２回路基板２５０と重畳されなくてもよい。第２回路基板２５０に上述した逃避溝が設けられた場合は、ベース２１０の第１ホール３３は光軸方向又は第１方向に第２回路基板２５０の逃避溝と重畳され得る。
【０３２７】
図１６ａは、更に他の実施例に係るベース２１０及び各支持部材２２０−１〜２２０−６の斜視図で、図１７は、図１６ａのベース２１０の底面図で、図１８ａは、図１６ａ及び図１７に示したベース２１０、第２回路基板２５０、及び第１支持部材２２０−１の電気的な連結を示す断面図である。
【０３２８】
図１６ａ、図１７〜図１８ａの実施例において、ベース２１０は、互いに離隔する第１ホール３３ａ及び第２ホール３８を備えることができる。例えば、第１ホール３３ａ及び第２ホール３８のそれぞれはベース２１０の下面及び上面を貫通し得る。
【０３２９】
第２ホール３８は、第１ホール３３ａに対応してベース２１０の各コーナー部９１ａ〜９１ｄに配置され得るが、これに限定されることはない。
【０３３０】
例えば、第１ホール３３ａは、光軸方向又は第１方向に第２回路基板２５０と重畳されなくてもよく、第２ホール３８は、光軸方向又は第１方向に第２回路基板２５０と重畳され得る。又は、他の実施例において、第２ホール３８は、光軸方向又は第１方向に第２回路基板２５０と重畳されなくてもよい。
【０３３１】
図１４〜図１５ａでの導電パターン３４と異なり、図１６ａ、図１７〜図１８ａの実施例での導電パターン３９は、第１ホール３３ａは、光軸方向又は第１方向に第２回路基板２５０と重畳されなくてもよく、第２ホール３８は、光軸 ６の内側面には配置されない。
【０３３２】
例えば、導電パターン３９は、ベース２１０の上面、ベース２１０の下面、及び第２ホール３８の内側面（又は内壁）に配置され得る。導電パターン３９により、支持部材２２０と第２回路基板２５０とが電気的に連結され得る。
【０３３３】
例えば、導電パターン３９は、第１導電パターン３９ｂ、第２導電パターン３９ａ、及び第３導電パターン３９ｃを含むことができる。
【０３３４】
第１導電パターン３９ｂは、第２ホール３８の周囲のベース２１０の上面に配置され得る。
【０３３５】
第２導電パターン３９ａは、第１ホール３３ａ及び第２ホール３８の周囲のベース２１０の下面に配置され、ソルダーなどの伝導性接着部材５２により、第１ホール３３ａを通過した支持部材２２０の他端と結合され得る。
【０３３６】
第３導電パターン３９ｃは、第２ホール３８の内側面（又は内壁）上に配置され、第１導電パターン３９ｂと第２導電パターン３９ａとを連結することができる。
【０３３７】
ソルダーなどの伝導性接着部材により、第１導電パターン３９ｂは第２回路基板２５０のパッド３５に結合され得る。
【０３３８】
ソルダーなどの伝導性接着部材により、第２回路基板２５０の各パッド３５のそれぞれは、ベース２１０の上面に設けられた第１導電パターン３９ｂのうち対応するいずれか一つに結合され得る。
【０３３９】
ベース２１０の第１ホール３３ａの大きさは、上部が下部より大きくなり得る。
【０３４０】
ベース２１０の第１ホール３３ａは、ベース２１０の下面から上面の方向に行くほど直径が増加する部分を含むことができる。
【０３４１】
例えば、ベース２１０の第１ホール３３ａは、ベース２１０の上面と接する上部領域Ｓ１、及び上部領域Ｓ１とベース２１０の下面との間に位置する下部領域Ｓ２を含むことができる。
【０３４２】
ベース２１０の第１ホール３３ａの上部領域Ｓ１の直径Ｄ３は、ベース２１０の下面から上面の方向に行くほど増加し得る。
【０３４３】
そして、ベース２１０の第１ホール３３ａの下部領域Ｓ２の直径は一定であり、ベース２１０の第１ホール３３ａの上部領域Ｓ１の最下端の直径、又は最小直径と同一であり得る。
【０３４４】
支持部材２２０の振動を吸収又は緩衝させたり、又は支持部材２２０の動きを緩衝させるために、ベース２１０の第１ホール３３ａ内にはダンパー（図示せず）が充填され得る。
【０３４５】
支持部材の直径ｔ１、ホール５２の直径Ｄ１、及び離隔距離ｄ１は、図１５ａを参照して説明した通りである。
【０３４６】
ベース２１０の第２ホール３８の直径Ｄ４は０．１［ｍｍ］〜１［ｍｍ］であり得る。例えば、Ｄ４は０．２５［ｍｍ］〜０．６［ｍｍ］であり得る。
【０３４７】
ベース２１０の第１ホール３３ａの上部領域Ｓ１の直径Ｄ３は、図１５ａの第１ホール３３の直径Ｄ２より大きい。これは、ＯＩＳ駆動によって支持部材２２０−１〜２２０−６が動くとき、支持部材とベースとの接触を防止することによって、支持部材の変形及び断線を抑制するためである。例えば、第１ホール３３ａの直径Ｄ３は、０．０５［ｍｍ］以上で、１［ｍｍ］未満であり得る。例えば、Ｄ３は、０．０５［ｍｍ］〜０．５［ｍｍ］であり得る。
【０３４８】
図１６ｂは、更に他の実施例に係るベース２１０及び各支持部材２２０−１、２２０−２、２２０−３ａ、２２０−３ｂ、２２０−４、２２０−５、２２０−６ａ、２２０−６ｂの斜視図である。
【０３４９】
図１６ｂでは、ハウジング１４０の各コーナー部に２個の支持部材２２０−１と２２０−２、２２０−３ａと２２０−３ｂ、２２０−４と２２０−５、及び２２０−６ａと２２０−６ｂが配置され得る。また、２個の支持部材２２０−１と２２０−２、２２０−３ａと２２０−３ｂ、２２０−４と２２０−５、及び２２０−６ａと２２０６ｂのそれぞれは、ベース２１０の各コーナー部９１ａ〜９１ｄのうち対応するいずれか一つを貫通し得る。
【０３５０】
図１６ａ、図１７、及び図１８ａを参照して説明した第１ホール３３ａ、第２ホール３８、第１導電パターン３９ｂ、第２導電パターン３９ａ、及び第３導電パターン３９ｃなどに対する説明は図１６ａに適用可能である。
【０３５１】
図１８ｂは、図１８ａの変形例である。図１５ｂを参照して説明したように、図１８ｂの回路基板２５０−１の角部分には、面取り形態の逃避溝が設けられ得る。
【０３５２】
図１９は、図１５ａに示したベース２１０及び導電パターン３４の変形例を示す。
【０３５３】
図１９を参照すると、ベース２１０は、第１ホール３３の周囲の下面に位置する溝１９を含むことができる。例えば、ベース２１０は、第１ホール３３の下部と連結される溝１９を含むことができる。導電パターン３４の一部は溝１９内に配置され得る。
【０３５４】
溝１９は、ベース２１０の下面から陥没する構造であり得る。溝１９は、ベース２１０の下面と接する側壁１９ａ、及び側壁１９ａと第１ホール３３との間に位置する上面１９ｂを含むことができる。
【０３５５】
導電パターン３４は、第１ホール２０３３の周囲のベース２１０の上面に配置される第１導電パターン３４ｂ、溝１９内に配置される第２導電パターン３４ａ１、及び第１ホール２０３３の内側面（又は内壁）上に配置され、第１導電パターン３４ｂと第２導電パターン３４ａ１とを連結する第３導電パターン３４ｃを含むことができる。
【０３５６】
ソルダー５１は、溝１９内に配置される第２導電パターン３４ａ１上に配置され得る。また、ソルダー５１の最下端はベース２１０の下面より上側に位置し得る。
【０３５７】
すなわち、ソルダー５１はベース２１０の下面の下側に突出しないので、レンズ駆動装置１００がカメラモジュールに装着されるとき、他の各構成、例えば、カメラモジュールの回路基板又は回路基板に装着された各素子との電気的な短絡を防止することができる。
【０３５８】
また、支持部材２２０の振動を吸収又は緩衝させたり、又は支持部材２２０の動きを緩衝させるために、ベース２１０の第１ホール３３内にはダンピング部材又はダンパー５５が充填され得る。図１９では、ダンパー５５が第１ホール３３の外側に突出し、第１導電パターン３４ｂの上面上にも配置されるが、これに限定されることはない。
【０３５９】
実施例では、ソルダーなどの導電性接着部材５１、５２を通じて支持部材２２０の他端がベース２１０の下面に結合され、導電パターン３４、３９を通じて支持部材２２０の他端を第２回路基板２５０と電気的に連結させることによって、レンズ駆動装置１００に装着される支持部材２２０の長さを増加させることができ、これによって、支持部材２２０に流れる電流の強さを減少させ、消耗電力を減少させることができ、上述したＯＩＳワイヤ（例えば、２２０−１〜２２０−６）の直径減少に起因したＯＩＳ駆動の信頼性低下を防止することができる。
【０３６０】
図２０は、実施例に係るレンズ駆動装置１１００の斜視図で、図２１は、図２０に示したレンズ駆動装置１１００の分解図で、図２２は、カバー部材１３００を除いた図２０のレンズ駆動装置１１００の結合図である。
【０３６１】
図２０〜図２２を参照すると、レンズ駆動装置１１００は、ボビン１１１０、第１コイル１１２０、第１マグネット１１３０、ハウジング１１４０、上部弾性部材１１５０、支持部材１２２０、回路基板１２５０、ベース１２１０、及び端子部１２７０ａ〜１２７０ｄを含む。
【０３６２】
また、レンズ駆動装置１１００は、ＡＦフィードバック駆動のために回路基板１１９０及び第１位置センサー１１７０をさらに含むことができ、第２マグネット１１８０及び第３マグネット１１８５をさらに含んでもよい。
【０３６３】
また、レンズ駆動装置１１００は、ＯＩＳ（Ｏｐｔｉｃａｌ  Ｉｍａｇｅ  Ｓｔａｂｉｌｉｚｅｒ）駆動のために第２コイル１２３０をさらに含むことができ、ＯＩＳフィードバック駆動のために第２位置センサー１２４０をさらに備えることができる。
【０３６４】
また、レンズ駆動装置１１００は、下部弾性部材１１６０及びカバー部材１３００をさらに含むことができる。また、レンズ駆動装置１１００は、第１コイル１１２０と第１マグネット１１３０との間の電磁気力を増加させるためにハウジング１１４０に結合されるヨーク（図示せず）をさらに含んでもよい。
【０３６５】
次に、カバー部材１３００に対して説明する。
【０３６６】
カバー部材１３００は、ベース１２１０と共に形成される収容空間内に他の各構成１１１０、１１２０、１１３０、１１４０、１１５０、１１６０、１１７０、１１９０、１２２０、１２３０、１２５０、１２７０ａ〜１２７０ｄを収容する。
【０３６７】
カバー部材１３００については、図１のカバー部材３００に対する説明が準用又は適用可能である。
【０３６８】
次に、ボビン１１１０に対して説明する。
【０３６９】
ボビン１１１０にはレンズ又はレンズバレルが装着され得る。また、ボビン１１１０はハウジング１１４０内に配置される。ボビン１１１０は、レンズ又はレンズバレルの装着のために開口を有する構造であり得る。開口の形状は、円形、楕円形、又は多角形であり得るが、これに限定されることはない。
【０３７０】
図２３ａは、図２１に示したボビン１１１０の斜視図で、図２３ｂは、ボビン１１１０及び第１コイル１１２０の底面斜視図である。
【０３７１】
図２３ａ及び図２３ｂを参照すると、ボビン１１１０は、上面から光軸方向又は第１方向に突出する第１突出部１１１１、及びボビン１１１０の外側面１１１０ｂから光軸に対して垂直な方向又は第２及び／又は第３方向に突出する第２突出部１１１２を含むことができる。
【０３７２】
ボビン１１１０は、第１側部１１１０ｂ−１及び第２側部１１１０ｂ−２を含むことができる。
【０３７３】
ボビン１１１０の第１側部１１１０ｂ−１は、第１マグネット１１３０に対応又は対向し得る。ボビン１１１０の第２側部１１１０ｂ−２のそれぞれは、隣接する２個の第１側部の間に配置され得る。
【０３７４】
ボビン１１１０の第１突出部１１１１は、ガイド部１１１１ａ及び第１ストッパー１１１１ｂを含むことができる。ボビン１１１０のガイド部１１１１ａは、上部弾性部材１１５０の第１フレーム連結部１１５３の設置位置をガイドしたり、又は第１フレーム連結部１１５３とボビン１１１０との間に位置するダンパーを支持する役割をすることができる。
【０３７５】
ボビン１１１０の第２突出部１１１２は、ボビン１１１０の第１側部１１１０ｂ−１の外側面で光軸（ＯＡ）に対して垂直な方向又は第２及び／又は第３方向に突出して形成され得る。
【０３７６】
ボビン１１１０の第１ストッパー１１１１ｂ及び第２突出部１１１２は、ボビン１１１０がオートフォーカシング機能のために第１方向に動くとき、外部衝撃などによってボビン１１１０が規定された範囲以上に動くとしても、ボビン１１１０の上面又は／及び側面がカバー部材１３００の内側と直接衝突することを防止する役割をすることができる。
【０３７７】
ボビン１１１０は、第２側部１１１０ｂ−２の外側面から光軸（ＯＡ）に対して垂直な方向に突出する第３突出部１１１５を含むことができる。例えば、ボビン１１１０は、互いに向かい合う２個の第２側部１１１０ｂ−２に設けられる２個の第３突出部１１１５を有することができる。
【０３７８】
ボビン１１１０の第３突出部１１１５は、ハウジング１１４０の溝部１０２５ａに対応し、ハウジング１１４０の溝部１０２５ａ内に挿入又は配置され、ボビン１１１０が光軸を中心に一定の範囲以上に回転することを抑制又は防止することができる。
【０３７９】
ボビン１１１０は、下面から突出する第２ストッパー（図示せず）を備えることができ、ボビンの第２ストッパーは、ボビン１１１０がオートフォーカシング機能のために第１方向に動くとき、外部衝撃などによってボビン１１１０が規定された範囲以上に動くとしても、ボビン１１１０の下面がベース１２１０、第２コイル１２３０、又は回路基板１２５０に直接衝突することを防止することができる。
【０３８０】
ボビン１１１０は、外側面１１１０ｂに第１コイル１１２０が配置又は設置される少なくとも一つの第１コイル用溝１１０５を備えることができる。例えば、第１コイル用溝１１０５は、ボビン１１１０の第１側部１１１０ｂ−１及び第２側部１１１０ｂ−２に設けられ得るが、これに限定されることはない。
【０３８１】
第１コイル用溝１１０５の形状及び個数は、ボビン１１１０の外側面１１１０ｂに配置される第１コイル１１２０の形状及び個数に相応し得る。例えば、ボビン１１１０の第１側部１１１０ｂ−１及び第２側部１１１０ｂ−２に設けられた第１コイル用溝１１０５はリング状を有し得るが、これに限定されることはない。
【０３８２】
他の実施例において、ボビン１１１０は第１コイル用溝を備えなくてもよく、第１コイル１１２０はボビン１１１０の外周面１１１０ｂに直接巻線されて固定されてもよい。
【０３８３】
また、ボビン１１１０は、第２マグネット１１８０が載置、挿入、固定又は配置されるマウント溝１１８０ａ、及び第３マグネット１１８５が載置、挿入、固定又は配置されるマウント溝１１８５ａを備えることができる。
【０３８４】
マウント溝１１８０ａ、１１８５ａは、ボビン１１１０の第１側部１１１０ｂ−１から選ばれた２個に配置され得る。
【０３８５】
例えば、各マウント溝１１８０ａ、１１８５ａは互いに向かい合うように配置され得る。
【０３８６】
例えば、マウント溝１１８５ａの中央とマウント溝１１８０ａの中央とをつなぐ線は、ボビン１１１０の中央を通過するように整列され得る。これは、第１位置センサー１１７０に対して第２マグネット１１８０と第３マグネット１１８５を互いにバランスよくボビン１１１０に配置又は整列させることによって、ＡＦ（Ａｕｔｏ  Ｆｏｃｕｓｉｎｇ）駆動を正確にするためである。
【０３８７】
例えば、各マウント溝１１８０ａ、１１８５ａは、第１コイル用溝１１０５の上部に位置し得るが、これに限定されることはない。
【０３８８】
また、ボビン１１１０の上面には、上部弾性部材１１５０の第１内側フレーム１１５１のホール１１５１ａと結合する第１結合部１１１３を備えることができる。
【０３８９】
図２３ａにおいて、ボビン１１１０の第１結合部１１１３は突起状であるが、これに限定されることはなく、溝状又は平面状であり得る。
【０３９０】
ボビン１１１０は、下部弾性部材１１６０のホール１１６１ａに結合及び固定される第２結合部１１１７を備えることができる。図２３ｂにおいて、ボビン１１１０の第２結合部１１１７は平面状であるが、これに限定されることはなく、溝状又は突起状であってもよい。
【０３９１】
図２３ａにおいて、ボビン１１１０の内側面にはレンズ又はレンズバレルと結合するためのねじ線が設けられないが、これに限定されることはなく、他の実施例では、レンズ又はレンズバレルと結合するためのねじ線がボビン１１１０の内側面に形成されてもよい。
【０３９２】
次に、第１コイル１１２０に対して説明する。
【０３９３】
第１コイル１１２０は、ボビン１１１０の外側面１１１０ｂに配置され、ハウジング１１４０に配置される第１マグネット１１３０と電磁気的相互作用をする駆動用コイルであり得る。
【０３９４】
第１マグネット１１３０との相互作用による電磁気力を生成するために、第１コイル１１２０には駆動信号（例えば、駆動電流又は電圧）が印加され得る。
【０３９５】
第１コイル１１２０に印加される駆動信号は、直流信号又は交流信号であり得る。例えば、駆動信号は電流又は電圧の形態であり得る。このとき、交流信号は、正弦波信号又はパルス信号（例えば、ＰＷＭ（Ｐｕｌｓｅ  Ｗｉｄｔｈ  Ｍｏｄｕｌａｔｉｏｎ）信号）であり得る。
【０３９６】
又は、他の実施例において、第１コイル１１２０に印加される駆動信号は交流信号及び直流信号を含むことができる。
【０３９７】
第１コイル１１２０とマグネット１１３０との間の相互作用による電磁気力により、ＡＦ可動部は第１方向に移動することができる。例えば、第１コイル１１２０とマグネット１１３０との間の相互作用による電磁気力により、ＡＦ可動部は、ＡＦ可動部の初期位置から上側方向（例えば、＋Ｚ軸方向）にのみ移動したり（これを「単方向ＡＦ駆動」という。）、ＡＦ可動部の初期位置から上側方向（＋Ｚ軸方向）又は下側方向（−Ｚ軸方向）に移動することができる（これを「両方向ＡＦ駆動」という。）。
【０３９８】
第１コイル１１２０に印加される駆動信号の強さ又は／及び極性（例えば、電流が流れる方向）を制御し、第１コイル１１２０とマグネット１１３０との間の相互作用による電磁気力の強さ又は／及び方向を調節することによって、ＡＦ可動部の第１方向への動きを制御することができ、これによってオートフォーカシング機能を行うことができる。
【０３９９】
ＡＦ可動部は、上部弾性部材１１５０及び下部弾性部材１１６０によって弾性的に支持されるボビン１１１０、及びボビン１１１０に装着され、ボビン１１１０と共に移動する各構成を含むことができる。例えば、ＡＦ可動部は、ボビン１１１０及び第１コイル１１２０を含むことができる。また、例えば、ＡＦ可動部は、第２マグネット１１８０及び第３マグネット１１８５をさらに含むことができる。また、ＡＦ可動部は、ボビン１１１０に装着されるレンズ（図示せず）をさらに含んでもよい。
【０４００】
第１コイル１１２０は、閉ループ形状を有するようにボビン１１１０に配置され得る。例えば、第１コイル１１２０は、光軸を中心に時計方向又は反時計方向に巻かれるようにボビン１１１０の外側面１１１０ｂに巻線又は配置され得る。他の実施例において、第１コイル１１２０は、光軸（ＯＡ）に対して垂直な軸を中心に時計方向又は反時計方向に巻線又は配置されるコイルリングの形態に具現され得る。また、コイルリングの個数は第１マグネット１１３０の個数と同一であり得るが、これに限定されることはない。
【０４０１】
第１コイル１１２０は、上部弾性部材１１５０及び下部弾性部材１１６０のうち少なくとも一つと電気的に連結され、上部弾性部材１１５０又は下部弾性部材１１６０、及び支持部材１２２０を通じて回路基板１２５０と電気的に連結され得る。
【０４０２】
例えば、第１コイル１１２０は、ソルダーなどの伝導性接着部材によって第１及び第２下部スプリング１１６０−１、１１６０−２の第２内側フレーム１１６１と連結され得る。
【０４０３】
ボビン１１１０に配置された第２マグネット１１８０及び第３マグネット１１８５は、光軸（ＯＡ）に対して垂直な方向にボビン１１１０に配置された第１コイル１１２０から離隔し得るが、これに限定されることはなく、他の実施例において、ボビン１１１０に配置された第２マグネット１１８０及び第３マグネット１１８５のそれぞれは第１コイル１１２０と接してもよい。
【０４０４】
次に、ハウジング１１４０に対して説明する。
【０４０５】
ハウジング１１４０は、第１コイル１１２０が装着又は配置されたボビン１１１０を内側に収容する。
【０４０６】
図２４ａは、図２１に示したハウジング１１４０の第１斜視図で、図２４ｂは、図２１に示したハウジング１１４０の第２斜視図で、図２５ａは、図２１のハウジング１１４０、第１位置センサー１１７０、回路基板１１９０及び第１マグネット１１３０の斜視図で、図２５ｂは、図２１のハウジング１１４０及び回路基板１１９０の斜視図で、図２６は、図２５ａに示した第１位置センサー１１７０の構成図で、図２７は、図２１の上部弾性部材１１５０の斜視図で、図２８は、図２１の下部弾性部材１１６０の斜視図で、図２９は、図２２に示したレンズ駆動装置１１００のＡＢ方向の断面図で、図３０は、図２１の上部弾性部材１１５０、下部弾性部材１１６０、第１位置センサー１１７０、回路基板１１９０、第２コイル１２３０、回路基板１２５０、及びベース１２１０の斜視図である。
【０４０７】
図２４ａ及び図２４ｂを参照すると、ハウジング１１４０は、全体的に開口を有する柱形状であり、開口を形成する複数の第１側部１１４１及び第２側部１１４２を含むことができる。
【０４０８】
例えば、ハウジング１１４０は、互いに離隔する第１側部１１４１、及び互いに離隔する第２側部１１４２を含むことができ、第１側部１１４１のそれぞれは、隣接する２個の第２側部１１４２の間に配置又は位置することができ、第２側部１１４２を互いに連結させることができる。
【０４０９】
また、ハウジング１１４０の第２側部１１４２は、その位置がハウジング１１４０の角領域に該当するという点で「コーナー部（ｃｏｒｎｅｒ  ｍｅｍｂｅｒ）」と表現され得る。
【０４１０】
例えば、図２４ａでは、ハウジング１１４０の第１側部１１４１は、第１側部、第２側部、第３側部、及び第４側部を含むことができ、ハウジング１１４０の各コーナー部は、第１コーナー部１５０１ａ、第２コーナー部１５０１ｂ、第３コーナー部１５０１ｃ、及び第４コーナー部１５０１ｄを含むことができる。
【０４１１】
ハウジング１１４０の第１側部１１４１はボビン１１１０の第１側部１１１０ｂ−１に対応し、ハウジング１１４０の第２側部１１４２はボビン１１１０の第２側部１１１０ｂ−２に対応し得るが、これに限定されることはない。
【０４１２】
ハウジング１１４０の第１側部１１４１には第１マグネット１１３０（１１３０−１〜１１３０−４）が配置又は設置され得る。また、ハウジング１１４０の第２側部１１４１又は各コーナー部１５０１ａ〜１５０１ｄには支持部材１２２０（１２２０−１〜１２２０−４）が配置され得る。
【０４１３】
ハウジング１１４０は、第１マグネット１１３０−１〜１１３０−４を支持又は収容するために第１側部１１４１の内面に設けられるマウント部１１４１ａを備えることができる。
【０４１４】
ハウジング１１４０の第１側部１１４１には、第１マグネット１１３０をハウジング１１４０のマウント部１１４１ａに付着させるための接着剤を注入する溝又はホール１０６１を備えることができる。例えば、ホール１０６１は貫通ホールであり得る。
【０４１５】
ハウジング１１４０の第１側部１１４１は、カバー部材１３００の側板と平行に配置され得る。ハウジング１１４０の第２側部１１４２には、支持部材１２２０が通過するホール１１４７ａが設けられ得る。
【０４１６】
例えば、ダンパーを容易に塗布するためにハウジング１１４０の上面から下面の方向にホール１１４７ａの直径が漸次増加する形態であり得るが、これに限定されることはなく、他の実施例において、ホール１１４７ａは直径が一定であってもよい。
【０４１７】
また、カバー部材１３００の内面に直接衝突することを防止するために、ハウジング１１４０の上面には第２ストッパー１１４６が設けられ得る。例えば、第２ストッパー１１４６は、ハウジング１１４０の第１〜第４コーナー部１５０１ａ〜１５０１ｄのそれぞれのコーナーに配置され得るが、これに限定されることはない。
【０４１８】
また、上部弾性部材１１５０がハウジング１１４０の上面に配置されるとき、上部弾性部材１１５０の第１外側フレーム１１５２の設置位置をガイドし、カバー部材１３００の内面に直接衝突することを防止するために、ハウジング１１４０の上面にストッパー１１４６を備えることができる。
【０４１９】
ストッパー１１４６は、ハウジング１１４０の各コーナー部１５０１ａ〜１５０１ｄに配置され得る。例えば、２個のストッパーは、対角線方向に互いに向かい合うことができる。ここで、対角線方向は、ハウジング１１４０の中心からコーナー部に向かう方向であり得る。
【０４２０】
ハウジング１１４０は、上部弾性部材１１５０の第１外側フレーム１１５２のホール１１５２ａ、１１５２ｂと結合するために第１側部１１４１の上面又は／及び第２側部１１４２の上面に設けられる少なくとも一つの突起１１４３ａ、１１４３ｂ、１１４３ｃを備えることができる。
【０４２１】
ハウジング１１４０の突起１１４３ａ、１１４３ｂは、ハウジング１１４０のストッパー１１４６の一側及び他側のうち少なくとも一つに配置され得る。また、ハウジング１１４０の突起１１４３ｃはハウジング１１４０の第１側部の上面に位置し得る。
【０４２２】
また、ハウジング１１４０は、下部弾性部材１１６０の第２外側フレーム１１６２のホール１１６２ａと結合及び固定するために、第２側部１１４２の下面に設けられる少なくとも一つの突起１１４５を備えることができる。例えば、ハウジング１１４０の突起１１４５は、ハウジング１１４０の第１〜第４コーナー部１５０１ａ〜１５０１ｄのうち少なくとも一つの下面に配置され得るが、これに限定されることはない。
【０４２３】
支持部材１２２０が通過する経路を確保するために、また、ダンピング役割をすることができるシリコーンを充填するための空間を確保するために、ハウジング１１４０は、第２側部１１４２又はコーナー部１５０１ａ〜１５０１ｄの下部に設けられる凹溝１１４２ａを備えることができる。例えば、ハウジング１１４０の凹溝１１４２ａにはダンピングシリコーンが充填され得る。
【０４２４】
ハウジング１１４０の底面が後述するベース１２１０、第２コイル１２３０、及び／又は回路基板１２５０と衝突することを防止するために、ハウジング１１４０は下面から突出する下部ストッパー（図示せず）をさらに備えてもよい。
【０４２５】
ハウジング１１４０は、回路基板１１９０を収容するための第１溝１０１４ａ、及び第１位置センサー１１７０を収容するための第２溝１０１４ｂを備えることができる。
【０４２６】
第１溝１０１４ａは、ハウジング１１４０の第２側部１１４２のうちいずれか一つの上部又は内側面に設けられ得る。回路基板１１９０の装着を容易にするために、第１溝１０１４ａは、上部が開放され、側面及び底を有する溝の形態であり、第１溝１０１４ａの側面は、回路基板１１９０の形状に対応したり、又は回路基板１１９０の形状と一致する形状を有することができる。
【０４２７】
第２溝１０１４ｂは、ハウジング１１４０の第２側部１１４２のうちいずれか一つの内側面に設けられ、ハウジング１１４０の内側に開放される開口を有することができる。
【０４２８】
例えば、第２溝１０１４ｂは、第１溝１０１４ａの側面から陥没した構造を有し得るが、これに限定されることはない。
【０４２９】
第１位置センサー１１７０の装着を容易にするために、第２溝１０１４ｂは、上部及び側面が開放される開口を有することができる。第２溝１０１４ｂは、第１位置センサー１１７０の形状に対応したり、又は第１位置センサー１１７０の形状と一致する形状を有することができる。
【０４３０】
第１マグネット１１３０及び回路基板１１９０のそれぞれは、ハウジング１１４０のマウント部１１４１ａ及び第２溝１０１４ｂのうち対応するいずれか一つに接着剤によって固定され得るが、これに限定されることはなく、両面テープなどの接着部材などによって固定されてもよい。
【０４３１】
ハウジング１１４０は、ボビン１１１０の突出部１１１５に対応して第２側部１１４１又は各コーナー部１５０１ａ〜１５０１ｄの内側面に設けられる溝部１０２５ａを備えることができる。
【０４３２】
例えば、ハウジング１１４０の溝部１０２５ａは、各コーナー部１５０１ａ〜１５０１ｄのうち互いに向かい合う２個のコーナー部１５０１ｂ、１５０１ｄの各内側面のそれぞれに設けられ得る。ハウジング１１４０の溝部１０２５ａは、ハウジング１１４０の各溝１０１４ａ、１０１４ｂが形成された各コーナー部と異なる各コーナー部に形成され得る。
【０４３３】
次に、第１マグネット１１３０に対して説明する。
【０４３４】
ボビン１１１０の初期位置において、第１マグネット１１３０は、光軸（ＯＡ）に対して垂直な方向、又は第２方向又は第３方向に第１コイル１１２０と少なくとも一部がオーバーラップされるようにハウジング１１４０の第１側部１１４１に配置され得る。例えば、第１マグネット１１３０は、ハウジング１１４０のマウント部１１４１ａ内に挿入又は配置され得る。
【０４３５】
ここで、ボビン１１１０の初期位置については、図２のボビン１１０の初期位置に対する説明が準用又は適用可能である。
【０４３６】
他の実施例において、第１マグネット１１３０は、ハウジング１１４０の第１側部１１４１の外側面に配置されてもよく、又は、他の実施例では、ハウジング１１４０の第２側部１１４２の内側面又は外側面に配置されてもよい。
【０４３７】
第１マグネット１１３０の形状は、ハウジング１１４０の第１側部１１４１に対応する形状として直方体の形状であり得るが、これに限定されることはなく、第１コイル１１２０と向かい合う面は、第１コイル１１２０の対応する面の曲率に対応したり、又は第１コイル１１２０の対応する面の曲率と一致するように形成され得る。
【０４３８】
第１マグネット１１３０は、第１コイル１１２０と向かい合う第１面はＮ極になり、第１面の反対側である第２面はＳ極になるように配置される単極着磁マグネット又は双極着磁マグネットであり得る。しかし、これに限定されることはなく、その反対に構成することも可能である。
【０４３９】
又は、他の実施例において、第１マグネット１１３０の第１面及び第２面のそれぞれはＮ極とＳ極とに両分されてもよい。
【０４４０】
例えば、第１マグネット１１３０は、光軸に対して垂直な方向に２分割された双極着磁マグネットであり得る。このとき、第１マグネット１１３０は、フェライト（ｆｅｒｒｉｔｅ）、アルニコ（ａｌｎｉｃｏ）、希土類磁石などに具現され得る。
【０４４１】
例えば、第１マグネット１１３０は、第１マグネット部、第２マグネット部、及び非磁性体隔壁を含むことができる。第１マグネット部と第２マグネット部とは互いに離隔し、非磁性体隔壁は第１マグネット部と第２マグネット部との間に位置し得る。
【０４４２】
非磁性体隔壁は、実質的に磁性を有さない部分であって、極性がほとんどない区間を含むことができ、空気で充填されたり、又は非磁性体物質からなり得る。
【０４４３】
実施例において、第１マグネット１１３０の数は４個であるが、これに限定されることはなく、第１マグネット１１３０の数は少なくとも２個以上であり得る。また、第１コイル１１２０と向かい合う第１マグネット１１３０の第１面は平面であり得るが、これに限定されることはなく、曲面であってもよい。
【０４４４】
第１マグネット１１３０は、少なくとも２個以上が互いに向かい合うハウジング１１４０の第１側部１１４１に互いに向かい合うように配置され得る。
【０４４５】
例えば、ハウジング１１４０の第１側部１１４１には第１マグネット１１３０−１〜１１３０−４が配置され得る。交差するように互いに向かい合う二対の第１マグネット１１３０−１〜１１３０−４がハウジング１１４０の第１側部１１４１に配置され得る。このとき、第１マグネット１１３０−１〜１１３０−４のそれぞれの平面は略四角形状であってもよく、又は、これと異なって三角形状、菱形状であってもよい。
【０４４６】
図２２に示した実施例では、第１マグネット１１３０−１〜１1３０−４がハウジング１１４０に配置されるが、これに限定されることはない。
【０４４７】
他の実施例において、ハウジング１１４０は省略可能であり、第１マグネット１１３０−１〜１１３０−４はカバー部材１３００に配置されてもよい。更に他の実施例において、ハウジング１１４０は省略されなく、第１マグネット１１３０−１〜１１３０−４はカバー部材１３００に配置されてもよい。
【０４４８】
例えば、他の実施例において、第１マグネット１１３０−１〜１１３０−４は、カバー部材１３００の各側板、例えば、各側板の内側面に配置されてもよい。
【０４４９】
次に、第２マグネット１１８０及び第３マグネット１１８５に対して説明する。
【０４５０】
第２マグネット１１８０はボビン１１１０のマウント溝１１８０ａ内に配置され得る。第３マグネット１１８５はボビン１１１０のマウント溝１１８５ａに配置され得る。
【０４５１】
マウント溝１１８０ａに装着された第２マグネット１１８０のいずれか一つの面の一部、及びマウント溝１１８５ａに装着された第３マグネット１１８５のいずれか一つの面の一部はボビン１１１０の外側面から露出し得るが、これに限定されることはなく、他の実施例では、ボビン１１１０の外側面に露出しなくてもよい。
【０４５２】
第２マグネット１１８０及び第３マグネット１１８５のそれぞれは、Ｎ極とＳ極との境界面が光軸に対して垂直な方向と平行であり得るが、これに限定されることはない。例えば、他の実施例では、Ｎ極とＳ極との境界面が光軸と平行であってもよい。
【０４５３】
第１コイル１１２０と第１マグネット１１３０との間の相互作用により、第２マグネット１１８０はボビン１１１０と共に光軸方向（ＯＡ）に移動することができ、第１位置センサー１１７０は、光軸方向に移動する第２マグネット１１８０の磁場の強さを感知することができ、感知された結果による出力信号を出力することができる。例えば、カメラモジュールの制御部８３０又は端末機の制御部７８０は、第１位置センサー１１７０が出力する出力信号に基づいてボビン１１１０の光軸方向への変位を検出することができる。
【０４５４】
第２マグネット１１８０の磁場は、第１マグネット１１３０と第２コイル１２３０との間の相互作用に影響を及ぼし得る。第３マグネット１１８５は、第２マグネット１１８０の磁場が第１マグネット１１３０と第２コイル１２３０との間の相互作用に及ぼす影響を緩和又は除去する役割をすることができる。
【０４５５】
また、第３マグネット１１８５を第２マグネット１１８０と対称的に配置させることによって、ＡＦ可動部の重さのバランスを合わせ、これによって正確なＡＦ動作を行うことができる。
【０４５６】
他の実施例では、第２マグネット１１８０及び第３マグネット１１８５が省略可能であり、第１位置センサーは、ハウジングでなくボビン１１１０に装着され得る。また、第１コイル１１２０と第１マグネット１１３０との間の相互作用によってボビン１１１０と第１位置センサーが光軸方向に移動することによって、第１位置センサーは、第１マグネットの磁場の強さを感知し、感知された結果による出力信号を出力することができる。
【０４５７】
次に、第１位置センサー１１７０及び回路基板１１９０に対して説明する。
【０４５８】
第１位置センサー１１７０及び回路基板１１９０は、ハウジング１１４０の第２側部又は各コーナー部１５０１ａ〜１５０１ｄのうちいずれか一つに第２マグネット１１８０に対応するように配置され得る。例えば、ボビン１１１０の初期位置において、第１位置センサー１１７０は、光軸に対して垂直な方向に第２マグネット１１８０に対向して重畳され得る。
【０４５９】
例えば、回路基板１１９０は、ハウジング１１４０の第１溝１０１４ａ内に配置され得る。第１位置センサー１１７０は、ハウジング１１４０に配置された回路基板１１９０に装着され、ハウジング１１４０の第２溝１０１４ｂ内に位置し得る。
【０４６０】
第１位置センサー１１７０は、ボビン１１１０の移動により、ボビン１１１０に装着された第２マグネット１１８０の磁場の強さを感知することができ、感知された結果による出力信号（例えば、出力電圧）を出力することができる。他の実施例では、第２及び第３マグネット１１８０、１１８５が省略可能であり、第１位置センサー１１７０は、第１マグネット１１３０の磁場の強さを感知した結果による出力信号を発生することができる。
【０４６１】
第１位置センサー１１７０は回路基板１１９０の第１面に配置され得る。ここで、回路基板１１９０の第１面は、回路基板１１９０が装着されたハウジング１１４０のコーナー部の内側面と向かい合う第２面の反対面であり得る。他の実施例において、第１位置センサー１１７０は回路基板１１９０の第２面に配置されてもよい。
【０４６２】
図２６を参照すると、第１位置センサー１１７０は、ホールセンサー１０６１及びドライバー１０６２を含むことができる。
【０４６３】
例えば、ホールセンサー１０６１は、シリコーン系列からなり、周囲温度が増加するほどホールセンサー１０６１の出力（ＶＨ）は増加し得る。
【０４６４】
また、他の実施例において、ホールセンサー１０６１は、ＧａＡｓからなり、周囲温度に対するホールセンサー１０６１の出力（ＶＨ）は約−０．０６％／℃の勾配を有することができる。
【０４６５】
第１位置センサー１１７０は、周囲温度を感知できる温度センシング素子１０６３をさらに含むことができる。温度センシング素子１０６３は、第１位置センサー１１７０の周囲の温度を測定した結果による温度感知信号（Ｔｓ）をドライバー１０６２に出力することができる。
【０４６６】
例えば、第１位置センサー１１７０のホールセンサー１０６１は、第２マグネット１１８０の磁気力の強さを感知した結果による出力を発生することができる。
【０４６７】
ドライバー１０６２は、ホールセンサー１０６１を駆動する駆動信号（ｄＶ）、及び第１コイル１１２０を駆動するための駆動信号（Ｉｄ１）を出力することができる。
【０４６８】
例えば、プロトコルを用いたデータ通信、例えば、Ｉ２Ｃ通信を用いて、ドライバー１０６２は、カメラモジュールの制御部８３０又は光学機器の制御部７８０からクロック信号（ＳＣＬ）、データ信号（ＳＤＡ）、電源信号（ＶＣＣ、ＧＮＤ）を受信することができる。
【０４６９】
ドライバー１０６２は、クロック信号（ＳＣＬ）及び電源信号（ＶＣＣ、ＧＮＤ）を用いてホールセンサー１０６１を駆動するための駆動信号（ｄＶ）、及び第１コイル１１２０を駆動するための駆動信号（Ｉｄ１）を生成することができる。
【０４７０】
また、ドライバー１０６２は、ホールセンサー１０６１の出力（ＶＨ）を受信し、プロトコルを用いたデータ通信、例えば、Ｉ２Ｃ通信を用いて、ホールセンサー１０６１の出力（ＶＨ）に関するクロック信号（ＳＣＬ）及びデータ信号（ＳＤＡ）を制御部８３０又は７８０に伝送することができる。
【０４７１】
また、ドライバー１０６２は、温度センシング素子１０６３が測定した温度感知信号（Ｔｓ）を受信し、プロトコルを用いたデータ通信、例えば、Ｉ２Ｃ通信を用いて温度感知信号（Ｔｓ）を制御部８３０又は７８０に伝送することができる。
【０４７２】
制御部８３０又は７８０は、第１位置センサー１１７０の温度センシング素子１０６３によって測定された周囲温度の変化に基づいてホールセンサー１０６１の出力（ＶＨ）に対する温度補償を行うことができる。
【０４７３】
第１位置センサー１１７０は、クロック信号（ＳＣＬ）及び２個の電源信号（ＶＣＣ、ＧＮＤ）を受信するための第１〜第３端子、データ（ＳＤＡ）を送受信するための第４端子、及び第１コイル１１２０に駆動信号を提供するための第５及び第６端子を含むことができる。
【０４７４】
他の実施例において、第１位置センサー１１７０は、ホールセンサーなどの位置検出センサー単独の形態に具現されてもよい。
【０４７５】
回路基板１１９０は、第１位置センサー１１７０の第１〜第６端子と電気的に連結される第１〜第６パッド１００１〜１００６を備えることができる。
【０４７６】
例えば、第１位置センサー１１７０の前記第１〜第４端子のそれぞれは、回路基板１９０の第１〜第４パッド１００１〜１００４のうち対応するいずれか一つに電気的に連結され得る。また、第１位置センサー１１７０の第５及び第６端子は、回路基板１１９０の第５及び第６パッド１００５、１００６に電気的に連結され得る。
【０４７７】
回路基板１１９０は、第１〜第４パッド１００１〜１００４が設けられる上端部及び上端部の下側に位置し、第５及び第６パッド１００５、１００６が設けられる下端部を含むことができる。
【０４７８】
第１〜第４上部スプリング１１５０−１〜１１５０−４の各接触部Ｐ１〜Ｐ４との連結又はボンディングを容易にするために、第１〜第４パッド１００１〜１００４は回路基板１1９０の上端部に位置することができ、第１及び第２下部スプリング１１６０−１、１１６０−２との連結又はボンディングを容易にするために、第５及び第６パッド１００５、１００６は回路基板１１９０の下端部に位置することができる。
【０４７９】
例えば、回路基板１１９０の上端部の横方向の長さは、下端部の横方向の長さより大きいかそれと同一であり得る。
【０４８０】
第１〜第４パッド１００１〜１００４は、回路基板１１９０の第２面に設けられ得るが、これに限定されることはなく、他の実施例では、回路基板１１９０の第１面に設けられてもよい。
【０４８１】
回路基板１１９０は、第１〜第４パッド１００１〜１００４、第１位置センサー１１７０の２個の入力端子及び２個の出力端子を電気的に連結するための回路パターン又は配線（図示せず）を含むことができる。例えば、回路基板１１９０は印刷回路基板又はＦＰＣＢであり得る。
【０４８２】
他の実施例において、第１位置センサー１１７０は第１回路基板の下面に配置され得る。また、第１〜第４パッドは第１回路基板の上面に設けられてもよい。
【０４８３】
回路基板１１９０の第１〜第４パッド１００１〜１００４は、各上部スプリング１１５０−１、１１５０−４〜１１５０−６及び各支持部材１２２０−３〜１２２０−６によって回路基板１２５０と電気的に連結され、第１位置センサー１１７０は回路基板１２５０と電気的に連結され得る。
【０４８４】
また、回路基板１１９０の第５及び第６パッド１００５、１００６は、各下部スプリング１１６０−１、１１６０−２によって第１コイル１１２０に電気的に連結され得る。
【０４８５】
次に、上部弾性部材１１５０、下部弾性部材１１６０及び支持部材１２２０に対して説明する。
【０４８６】
上部弾性部材１１５０及び下部弾性部材１１６０は、ボビン１１１０及びハウジング１１４０に結合され、ボビン１１１０を支持する。
【０４８７】
例えば、上部弾性部材１１５０は、ボビン１１１０の上部、上面又は上端及びハウジング１１４０の上部、上面又は上端と結合することができ、下部弾性部材１１６０は、ボビン１１１０の下部、下面又は下端及びハウジング１１４０の下部、下面又は下端と結合することができる。
【０４８８】
支持部材１２２０は、ハウジング１１４０をベース１２１０に対して支持することができ、上部弾性部材１１５０及び下部弾性部材１１６０のうち少なくとも一つと回路基板１２５０とを電気的に連結することができる。
【０４８９】
図２７及び図２８を参照すると、上部弾性部材１１５０及び下部弾性部材１１６０のうち少なくとも一つは２個以上に分割又は分離され得る。
【０４９０】
例えば、上部弾性部材１１５０は、互いに離隔又は分離される第１〜第４上部スプリング１１５０−１〜１１５０−４を含むことができ、下部弾性部材１１６０は、互いに離隔又は分離される第１及び第２下部スプリング１１６０−１、１１６０−２を含むことができる。
【０４９１】
上部弾性部材１１５０及び下部弾性部材１１６０は、板スプリングに具現され得るが、これに限定されることはなく、コイルスプリング、サスペンションワイヤなどに具現されてもよい。
【０４９２】
第１〜第４上部スプリング１１５０−１〜１１５０−４のうち少なくとも一つは、ボビン１１１０の上部、上面又は上端と結合される第１内側フレーム１１５１、ハウジング１１４０の上部、上面又は上端と結合される第１外側フレーム１１５２、及び第１内側フレーム１１５１と第１外側フレーム１１５２とを連結する第１フレーム連結部１１５３を含むことができる。
【０４９３】
第１内側フレーム１１５１には、ボビン１１１０の第１結合部１１１３と結合されるホール１１５１ａが設けられ得る。また、ホール１１５１ａは、接着部材又はダンパーが染み込むための少なくとも一つの切開部（図示せず）を有することができる。
【０４９４】
図２７の実施例において、第１〜第３上部スプリング１１５０−１〜１１５０−３のそれぞれは、第１内側フレーム１１５１、第１外側フレーム１１５２、及び第１フレーム連結部１１５３を含むことができ、第４上部スプリング１１５０−４は、第１外側フレーム１１５２のみを備えることができるが、これに限定されることはない。
【０４９５】
第１〜第４上部スプリング１１５０−１〜１１５０−４のそれぞれの第１外側フレーム１１５２は、支持部材１２２０−１〜１２２０−６に結合される第１結合部１５１０、ハウジング１１４０のコーナー部１５０１ａ〜１５０１ｄ及び／又はこれと隣り合う側部のうち少なくとも一つに結合する第２結合部１５２０、及び第１結合部１５１０と第２結合部１５２０とを連結する連結部１５３０を含むことができる。
【０４９６】
第２結合部１５２０は、ハウジング１１４０のコーナー部１５０１ａ〜１５０１ｄ（例えば、ハウジング１１４０の突起１１４３ａ、１１４３ｂ、１１４３ｃ）と結合される少なくとも一つの結合領域を含むことができる。例えば、少なくとも一つの結合領域はホール１１５２ａ、１１５２ｂ、１１５２ｃを含むことができる。
【０４９７】
例えば、第２結合部１５２０は、ハウジング１１４０のストッパー１１４６の一側に位置する第１結合領域、及びストッパー１１４６の他側に位置する第２結合領域のうち少なくとも一つを含み得るが、これに限定されることはない。
【０４９８】
図２７の実施例において、第１〜第４上部スプリング１１５０−１〜１１５０−４の第２結合部１５２０の各結合領域のそれぞれはホールを含むように具現されるが、これに限定されることはなく、他の実施例において、各結合領域は、ハウジング１１４０と結合するのに十分な多様な形態、例えば、溝状などに具現されてもよい。
【０４９９】
例えば、第２結合部５２０のホール１１５２ａ、１１５２ｂ、１１５２ｃは、ハウジング１１４０の突起１１４３ａ、１１４３ｂ、１１４３ｃとホール１１５２ａ、１１５２ｂ、１１５２ｃとの間に接着部材又はダンパーが染み込むための少なくとも一つの切開部（図示せず）を有することができる。
【０５００】
第１結合部１５１０は、支持部材１２２０−１〜１２２０−４が貫通するホール１０５２を備えることができる。ホール１０５２を通過した支持部材１２２０−１〜１２２０−４の一端は、伝導性接着部材（例えば、伝導性エポキシ）又はソルダー１９０1によって第１結合部１５１０に結合され、第１結合部１５１０と支持部材１２２０−１〜１２２０−４とは電気的に連結され得る。
【０５０１】
第１結合部１５１０は、ソルダー１９０1が配置される領域であって、ホール１０５２、及びホール１０５２の周囲の一領域を含むことができる。
【０５０２】
例えば、支持部材１２２０−１〜１２２０−４が容易にボンディングできるように、第１結合部１５１０のホール１０５２の直径は０．０７［ｍｍ］〜０．５［ｍｍ］であり得るが、これに限定されることはない。
【０５０３】
連結部１５３０は、コーナー部１５０１ａ〜１５０１ｄに配置される第２結合部１５２０の結合領域と第１結合部１５１０とを連結することができる。
【０５０４】
例えば、連結部１５３０は、第１〜第４上部スプリング１１５０−１〜１１５０−４のそれぞれの第２結合部１５２０の第１結合領域と第１結合部１５１０とを連結する第１連結部１５３０−１、及び第２結合部１５２０の第２結合領域と第１結合部１５１０とを連結する第２連結部１５３０−２を含むことができる。
【０５０５】
連結部１５３０は、少なくとも一回折り曲げられる折曲部又は少なくとも一回曲げられる曲線部を含み得るが、これに限定されることはなく、他の実施例では直線状であってもよい。
【０５０６】
連結部１５３０の幅は、第２結合部１５２０の幅より狭くなり得る。これによって、連結部１５３０は、第１方向に容易に動くことができ、これによって、上部弾性部材１１５０に印加される応力、及び支持部材１２２０に印加される応力を分散させることができる。
【０５０７】
また、ハウジング１１４０をいずれか一側に偏らないようにバランスよく支持するために、連結部１５３０は基準線１１０２を基準にして左右対称であり得るが、これに限定されることはなく、他の実施例では左右対称でなくてもよい。
【０５０８】
基準線１１０２は、中心点１１０１（図２７参照）、及びハウジング１１４０の各コーナー部１５０１ａ〜１５０１ｄのうち対応するいずれか一つの角を通過する直線であり得る。ここで、中心点１１０１は、ハウジング１１４０の中央であり得る。
【０５０９】
第１〜第４上部スプリング１１５０−１〜１１５０−４のそれぞれの第１外側フレーム１１５２は、回路基板１１９０の第１〜第４パッド１００１〜１００４のうち対応するいずれか一つと接触又は連結される各接触部Ｐ１〜Ｐ４を備えることができる。
【０５１０】
各接触部Ｐ１〜Ｐ４は、第１〜第４上部スプリング１１５０−１〜１１５０−４のそれぞれの第１外側フレーム１１５２の一端からハウジング１１４０の第１コーナー部１５０１−１又は第１位置センサーに向かって延長され得る。第１コーナー部は、第１位置センサー１１７０が配置されるハウジング１１４０のコーナー部であり得る。
【０５１１】
各接触部Ｐ１〜Ｐ４のそれぞれは、回路基板１１９０の第１〜第４パッド１００１〜１００４のうち対応するいずれか一つに直接接触し得る。また、ソルダーなどにより、互いに対応する接触部Ｐ１〜Ｐ４と回路基板１９０のパッド１００１〜１００４とは電気的に連結され得る。
【０５１２】
各下部スプリング１１６０−１、１１６０−２のそれぞれは、ボビン１１１０の下部、下面又は下端と結合される第２内側フレーム１１６１、ハウジング１１４０の下部、下面又は下端と結合される第２外側フレーム１１６２、及び第２内側フレーム１１６１と第２外側フレーム１１６２とを連結する第２フレーム連結部１１６３を含むことができる。
【０５１３】
また、各下部スプリング１１６０−１、１１６０−２のそれぞれは、第２内側フレーム１１６１に配置され、ソルダー又は伝導性接着部材によってボビン１１１０の第２結合部１１１７と結合するホール１１６１ａ、及び第２外側フレーム１１６２に配置され、ハウジング１１４０の突起１１４７と結合するホール１１６２ａを備えることができる。
【０５１４】
第１及び第２下部スプリング１１６０−１、１１６０−２のそれぞれの第１外側フレーム１１６２には、半田付け又は伝導性接着部材によって回路基板１１９０の第５及び第６パッド１００５、１００６とボンディングされるボンディング部１１６４ａ、１１６４ｂが備えられ得る。
【０５１５】
上部及び下部弾性部材１１５０、１１６０の第１及び第２フレーム連結部１１５３、１１６３のそれぞれは、少なくとも一回以上折り曲げられたり又はカーブ（又は曲線）状に形成され、一定形状のパターンを形成することができる。第１及び第２フレーム連結部１１５３、１１６３の位置変化及び微細変形を通じて、ボビン１１１０は、第１方向への上昇及び／又は下降動作が弾力的に（又は弾性的に）支持され得る。
【０５１６】
ボビン１１１０の振動を吸収及び緩衝させるために、レンズ駆動装置１１００は、各上部スプリング１１５０−１〜１１５０−４のそれぞれとハウジング１１４０との間に配置される第１ダンパー（図示せず）をさらに備えることができる。
【０５１７】
例えば、各上部スプリング１１５０−１〜１１５０−４のそれぞれの第１フレーム連結部１１５３とハウジング１１４０との間の空間には第１ダンパー（図示せず）が配置され得る。
【０５１８】
また、例えば、レンズ駆動装置１１００は、下部弾性部材１１６０の第２フレーム連結部１１６３とハウジング１１４０との間に配置される第２ダンパー（図示せず）をさらに備えてもよい。
【０５１９】
また、例えば、レンズ駆動装置１１００は、支持部材１２２０とハウジング１１４０のホール１１４７ａとの間に配置される第３ダンパー（図示せず）をさらに含むことができる。
【０５２０】
また、例えば、レンズ駆動装置１１００は、第１結合部１５１０及び支持部材１２２０の一端に配置される第４ダンパー（図示せず）をさらに含むことができ、支持部材１２２０の他端及び回路基板１２５０に配置される第５ダンパー（図示せず）をさらに含むことができる。
【０５２１】
また、例えば、ハウジング１１４０の内側面とボビン１１１０の外周面との間にもダンパー（図示せず）がさらに配置され得る。
【０５２２】
次に、支持部材１２２０に対して説明する。
【０５２３】
ソルダー又は伝導性接着部材１９０１により、支持部材１２２０の一端は上部弾性部材１１５０の第１外側フレーム１１５１に結合され、支持部材１２２０の他端は端子部１２７０ａ〜１２７０ｄの下面に結合され得る。
【０５２４】
支持部材１２２０は、複数の支持部材１２２０−１〜１２２０−４を含むことができ、複数の支持部材１２２０−１〜１２２０−４のそれぞれは、ソルダー１９０１を通じて各上部スプリング１１５０−１〜１１５０−４のうち対応するいずれか一つの第１結合部１５１０に結合され、第１結合部１５１０と電気的に連結され得る。例えば、複数の支持部材１２２０−１〜１２２０−４のそれぞれは、４個のコーナー部１５０１ａ〜１５０１ｄのうち対応するいずれか一つに配置され得る。
【０５２５】
複数の支持部材１２２０−１〜１２２０−４は、ボビン１１１０及びハウジング１１４０が第１方向に対して垂直な方向に移動できるようにボビン１１１０及びハウジング１１４０を支持することができる。図２９及び図３０では、ハウジング１１４０の第２側部１１４２又は各コーナー部１５０１ａ〜１５０１ｄのそれぞれに一つの支持部材が配置されるが、これに限定されることはない。
【０５２６】
他の実施例では、ハウジング１１４０の第２側部のうち少なくとも一つに２個以上の支持部材が配置されてもよい。
【０５２７】
複数の支持部材１２２０−１〜１２２０−４のそれぞれはハウジング１１４０と離隔し得る。また、各支持部材１２２０−１〜１２２０−４のそれぞれの一端は、ハウジング１１４０に固定されるものではなく、各上部スプリング１１５０−１〜１１５０−４のそれぞれの第１外側フレーム１１５２の第１結合部１５１０に直接連結され得る。
【０５２８】
また、各支持部材１２２０−１〜１２２０−４のそれぞれの他端は、各端子部１２７０ａ〜１２７０ｄのうち対応するいずれか一つの下面に結合され得る。
【０５２９】
他の実施例において、支持部材１２２０は、ハウジング１１４０の第１側部１１４１に板スプリングの形態に配置されてもよい。
【０５３０】
複数の支持部材１２２０−１〜１２２０−４及び各上部スプリング１１５０−１〜１１５０−４を通じて、回路基板１２５０と第１位置センサー１１２０との間には各信号（例えば、ＧＮＤ、ＶＣＣ、ＳＣＬ、ＳＤＡ）が送受信され得る。
【０５３１】
複数の支持部材１２２０−１〜１２２０−４は、上部弾性部材１１５０と別途の部材で形成され、弾性によって支持できる部材、例えば、板スプリング、コイルスプリング、サスペンションワイヤなどに具現され得る。また、他の実施例において、各支持部材１２２０−１〜１２２０−４は上部弾性部材１１５０と一体に形成されてもよい。
【０５３２】
次に、ベース１２１０、回路基板１２５０、第２コイル１２３０、及び第２位置センサー１２４０に対して説明する。
【０５３３】
図３１は、ベース１２１０、各端子部１２７０ａ〜１２７０ｄ、第２位置センサー１２４０、回路基板１２５０、及び第２コイル１２３０の斜視図で、図３２は、図３１のベース１２１０及び各端子部１２７０ａ〜１２７０ｄの斜視図で、図３３は、図３２に示した端子部１２７０ａ及びベース１２１０の段差部１０２６の拡大図で、図３４は、図３３の段差部１０２６の拡大図である。
【０５３４】
図３１及び図３２を参照すると、ベース１２１０は、ボビン１１１０の開口、又は／及びハウジング１１４０の開口に対応する開口を備えることができ、カバー部材１３００と一致したり、又はカバー部材１３００に対応する形状、例えば、四角形の形状であり得る。
【０５３５】
ベース１２１０は、カバー部材１３００を接着・固定するとき、接着剤が塗布され得る段部１２１１を備えることができる。このとき、段部１２１１は、上側に結合されるカバー部材１３００をガイドすることができ、カバー部材１３００の側板の下端と向かい合うことができる。
【０５３６】
ベース１２１０は、ボビン１１１０及びハウジング１１４０の下側に配置され、回路基板１２５０の端子１２５１が形成された部分と向い合う側面に支持溝又は支え部１２５５が形成され得る。ベース１２１０の支え部１２５５は、回路基板１２５０の端子面１２５３を支持することができる。
【０５３７】
各端子部１２７０ａ〜１２７０ｄの下面に結合された支持部材１２２０の他端との空間的干渉を回避するために、ベース１２１０の角には凹溝１２１２が設けられ得る。
【０５３８】
ベース１２１０の上面には、回路基板１２５０に装着された第２位置センサー１２４０が配置又は載置され得るマウント溝１２１５−１、１２１５−２が設けられ得る。実施例によると、ベース１２１０には２個のマウント溝１２１５−１、１２１５−２が設けられ得る。
【０５３９】
回路基板１２５０を基準にして、上部には第２コイル１２３０が配置され、下部には第２位置センサー１２４０が配置され得る。
【０５４０】
例えば、第２位置センサー１２４０は、回路基板１２５０の下面に装着され、回路基板１２５０の下面は、ベース１２１０の上面と向かい合う面であり得る。
【０５４１】
回路基板１２５０は、ハウジング１１４０の下側に位置し、ベース１２１０の上面上に配置され、ボビン１１１０の開口、ハウジング１１４０の開口、又は／及びベース１２１０の開口に対応する開口を備えることができる。回路基板１２５０の外周面の形状は、ベース１２１０の上面と一致したり、又はベース１２１０の上面に対応する形状、例えば、四角形の形状であり得る。
【０５４２】
回路基板１２５０は、上面から折り曲げられ、外部との電気的な連結のための複数の端子１２５１、又は各ピンが設けられる少なくとも一つの端子面１２５３を備えることができる。
【０５４３】
回路基板１２５０の端子面１２５３には複数の端子１２５１が設置され得る。例えば、回路基板１２５０の端子面１２５３に設置された複数の端子１２５１を通じて第１コイル１１２０、第２コイル１２３０、及び第２位置センサー１２４０を駆動するための駆動信号を受信することができ、第１位置センサー１１７０の出力及び第２位置センサー１２４０の出力を各端子１２５１を通じて外部に出力することもできる。
【０５４４】
実施例によると、回路基板１２５０はＦＰＣＢに設けられ得るが、これに限定されることはなく、回路基板１２５０の各端子は、ベース１２１０の表面に表面電極方式などを用いて直接形成されることも可能である。
【０５４５】
回路基板１２５０は、各支持部材１２２０−１〜１２２０−４が通過するホール１２５０ａを含むことができる。ホール１２５０ａの位置及び数は、各支持部材１２２０−１〜１２２０−４の位置及び数に対応したり、又は各支持部材１２２０−１〜１２２０−４の位置及び数と一致し得る。回路基板１２５０のホール１２５０ａが形成された領域には、回路基板の金属パターン又は銅パターンが設けられなくてもよい。これは、端子部１２７０ａ〜１２７０ｄの下端と支持部材１２２０とを結合するためのソルダリング工程時、ソルダーが回路基板１２５０のホール１２５０ａに付くことを防止するためである。
【０５４６】
他の実施例において、回路基板１２５０には、ホール１２５０ａの代わりに、支持部材との空間的干渉を回避するための逃避溝が設けられてもよい。
【０５４７】
各支持部材１２２０−１〜１２２０−４のそれぞれは、対応する回路基板１２５０のホール１２５０ａの内側面から離隔して配置され得る。
【０５４８】
各支持部材１２２０−１〜１２２０−４は、第２コイル１２３０の凹溝１２１２、回路基板１２５０のホール１２５０ａ、及び各端子部１２７０ａ〜１２７０ｄのホール１０２８ａ、１０２９ａを通過し、各端子部１２７０ａ〜１２７０ｄの下面にソルダリングなどを通じて連結され得る。
【０５４９】
第２コイル１２３０は、ハウジング１１４０の下側に位置し、ハウジング１１４０に配置される第１マグネット１１３０に互いに対応するように回路基板１２５０の上部に配置され得る。
【０５５０】
例えば、第２コイル１２３０は、回路基板１２５０の４個の辺のそれぞれに対応して配置される４個のＯＩＳ用コイル１２３０−１〜１２３０−４を含み得るが、これに限定されることはなく、第２方向用１個、第３方向用１個などの２個のみが設置されることも可能であり、４個以上設置されてもよい。
【０５５１】
図３１では、第２コイル１２３０は、回路基板１２５０と別途の回路部材１２３１に設けられる形態に具現されるが、これに限定されることはなく、他の実施例において、第２コイル１２３０は、回路基板１２５０に形成される回路パターンの形態に具現されてもよい。
【０５５２】
又は、他の実施例において、回路部材２３１は省略可能であり、第２コイル１２３０は、回路基板１２５０と別個にリング状のコイルブロックの形態に具現されたり、又はＦＰコイルの形態に具現され得る。
【０５５３】
第２コイル１２３０が設けられる回路部材１２３１の角には、支持部材１２３１との空間的干渉を回避するための逃避溝１０２３が設けられ得る。例えば、逃避溝１０２３は、回路部材１２３１の角部分に形成される凹溝の形態であり得るが、これに限定されることはなく、他の実施例において、逃避溝１０２３は、回路部材１２３１の角部分が面取りされた形態、又は回路部材１２３１を貫通する貫通ホールの形態であってもよい。
【０５５４】
上述したように、互いに対応する第１マグネット１１３０と第２コイル１２３０との間の相互作用によってハウジング１１４０が第２及び／又は第３方向に動くことによって、手の震え補正を行うことができる。
【０５５５】
第２位置センサー１２４０は、ハウジング１１４０が光軸に対して垂直な方向に移動するとき、ハウジング１１４０に配置された第１マグネット１１３０の磁場の強さを感知し、感知された結果による出力信号（例えば、出力電圧）を出力することができる。
【０５５６】
第２位置センサー１２４０の出力信号に基づいて、光軸（例えば、Ｚ軸）に対して垂直な方向（例えば、Ｘ軸又はＹ軸）にベース１２１０に対するハウジング１１４０の変位が検出され得る。
【０５５７】
第２位置センサー１２４０は、光軸に対して垂直な第２方向（例えば、Ｘ軸）、及び光軸に対して垂直な第３方向（例えば、Ｙ軸）にハウジング１４０の変位を検出するために、２個のＯＩＳ用位置センサー１２４０ａ、１２４０ｂを含むことができる。
【０５５８】
例えば、ＯＩＳ用位置センサー１２４０ａは、ハウジング１１４０の移動による第１マグネット１１３０の磁場の強さを感知し、感知された結果による第１出力信号を出力することができ、ＯＩＳ用位置センサー１２４０ｂは、ハウジング１１４０の移動による第１マグネット１１３０の磁場の強さを感知し、感知された結果による第２出力信号を出力することができる。カメラモジュールの制御部８３０又は携帯用端末機２００Ａの制御部７８０は、ＯＩＳ用位置センサー１２４０ａの第１出力信号及びＯＩＳ用位置センサー１２４０ｂの第２出力信号に基づいてハウジング１１４０の変位を検出することができ、ハウジング１１４０の検出された変位に基づいてＯＩＳフィードバック駆動を行うことができる。
【０５５９】
各ＯＩＳ用位置センサー１２４０ａ、１２４０ｂのそれぞれは、ホールセンサーとして設けられ、磁場の強さを感知できるセンサーであればいずれも使用可能である。例えば、各ＯＩＳ用位置センサー１２４０ａ、１２４０ｂのそれぞれは、ホールセンサーを含むドライバーの形態に具現されたり、又はホールセンサーなどの位置検出センサー単独の形態に具現されてもよい。
【０５６０】
各ＯＩＳ用位置センサー１２４０ａ、１２４０ｂのそれぞれは回路基板１２５０に実装され、回路基板１２５０は、各ＯＩＳ用位置センサー１２４０ａ、１２４０ｂと電気的に連結される各端子を備えることができる。
【０５６１】
回路基板１２５０とベース１２１０との間の結合のために、ベース１２１０の上面には突起又は結合突起１０２７が設けられ得る。
【０５６２】
回路基板１２５０には、ベース１２１０の結合突起１０２７と結合するためのホール１２５０ｂが設けられ、熱融着又はエポキシなどの接着部材で固定されてもよい。
【０５６３】
また、ベース１２１０の開口周囲の上面には突出部１０２９が設けられ得る。また、突出部１０２９には、回路基板１２５０の開口、及び回路部材１２３１の開口が挿入され得る。
【０５６４】
図３２〜図３４を参照すると、ベース１２１０は、各側部１０９０ａ〜１０９０ｄ、及び各側部１０９０ａ〜１０９０ｄの間に位置する各コーナー部１０９１ａ〜１０９１ｄを含むことができる。
【０５６５】
ベース１２１０の各コーナー部１０９１ａ〜１０９１ｄは、光軸方向にハウジング１１４０の各コーナー部１５０１ａ〜１５０１ｄに対応又は整列され得る。
【０５６６】
ベース１２１０の各コーナー部１０９１ａ〜１０９１ｄのそれぞれには段差部１０２６が設けられ得る。段差部１０２６は「溝部」と表現されてもよい。
【０５６７】
ベース１２１０の段差部１０２６はベース１２１０のコーナーに位置することができ、ベース１２１０の上面１２１０ａから下面の方向にベース１２１０の上面との段差Ｔを有することができる。
【０５６８】
例えば、段差部１０２６は、回路基板１２５０が配置されるベース１２１０の一面から凹状に形成され得る。
【０５６９】
段差部１０２６は、第１面１０２６ａ及び第２面１０２６ｂを含むことができる。
【０５７０】
段差部１０２６の第１面１０２６ａは、ベース１２１０の上面と段差Ｔを有し、ベース１２１０の上面と平行であり得る。例えば、第１面１０２６ａは段差部１０２６の下面であり得る。
【０５７１】
例えば、段差部１０２６の段差Ｔは、端子部１２７０ａ〜１２７０ｄの厚さより大きいかそれと同一であり得る。
【０５７２】
段差部１０２６の第２面１０２６ｂは、ベース１２１０の上面１２１０ａと段差部１０２６の第１面１０２６ａとを連結し、第１面１０２６ａと一定の角度（例えば、直角）だけ傾いた傾斜面であり得る。例えば、第２面１０２６ｂは、段差部１０２６の側面であり得る。
【０５７３】
段差部１０２６の第１面１０２６ａには、ベース１２１０の下面から上面１２１０ａの方向に突出する突起１０２７が設けられ得る。
【０５７４】
また、段差部１０２６の第１面１０２６ａには、上述した凹溝１２１２又は貫通ホールが設けられ得る。例えば、支持部材１２２０−１〜１２２０−４と端子部１２７０ａ〜１２７０ｄとの間の結合又はボンディングされた部分との空間的干渉の回避のために、凹溝１２１２は、ベース１２１０の中央からベース１２１０の角方向に凹溝１２１２の直径又は凹溝１２１２の互いに向かい合う各内側面の間の距離が増加し得るが、これに限定されることはない。
【０５７５】
凹溝１２１２は、段差部１０２６の第１面１０２６ａを貫通し得る。また、凹溝１２１２は、ベース１２１０の外側面に開放される開口を有することができる。
【０５７６】
例えば、凹溝１２１２は、パッド部１０１３ａの下面と支持部材１２２０とを結合させるソルダー１０１５ｂをベース１２１０の下面から露出させ得る。
【０５７７】
ソルダー１０１５ｂとベース１２１０との空間的干渉を回避するために、凹溝１２１２は、端子部１２７０ａ〜１２７０ｄのホール１０２８と光軸方向又はベース１２１０の下面から上面の方向にオーバーラップされ得る。
【０５７８】
ベース１２１０の突起１０２７は、端子部１２７０ａ〜１２７０ｄのホール１０２８ｂ、１０２９ｂ及び回路基板１２５０のホール１２５０ｂと結合するために、段差部１０２６の第１面１０２６ａを基準にして、突起１０２７の高さＴ２は、段差部１０２６の第１面１０２６ａからベース１２１０の上面１２１０ａまでの高さ又は段差Ｔ１より大きくなり得る（Ｔ２＞Ｔ１）。
【０５７９】
例えば、ベース１２１０の突起１０２７の高さは、回路基板１２５０が配置されるベース１２１０の一面（例えば、上面）の高さより高くなり得る。
【０５８０】
例えば、ベース１２１０の突起１０２７は、ベース１２１０の中心１２０１、及び突起１０２７が位置するベース１２１０のコーナー部（例えば、１０９1ｂ）の中心を通過する仮想の直線１２０１ａに整列されるように位置し得るが、これに限定されることはない。
【０５８１】
端子部１２７０ａ〜１２７０ｄは、回路基板１２５０の下面とベース１２１０の段差部との間に位置し得る。
【０５８２】
端子部１２７０ａ〜１２７０ｄは、支持部材１２２０−１〜１２２０−４が通過するための第１ホール１０２８、及びベース１２１０の突起１０２７と結合するための第２ホール１０２９を備えることができる。端子部１２７０ａ〜１２７０ｄの第１ホール１０２８及び第２ホール１０２９のそれぞれは貫通ホールであり得る。
【０５８３】
例えば、端子部１２７０ａ〜１２７０ｄの第１ホール１０２８の直径は、ベース１２１０の下面から上面の方向に増加し得るが、これに限定されることはない。すなわち、第１ホール１０２８の下端の直径より第１ホール１０２８の上端の直径が大きくなり得る。これは、第１ホール１０２８の下端は、支持部材１２２０−１〜１２２０−４が端子部１２７０ａ〜１２７０ｄの下面と結合又はボンディング可能な直径を有するようにし、第１ホール１０２８の上端の直径は、第１ホール１０２８の下端の直径より大きくすることによって、支持部材１２２０−１〜１２２０−４との空間的干渉又は接触などを最大限防止するためである。
【０５８４】
端子部１２７０ａ〜１２７０ｄの第２ホール１０２９の直径は一定であり得るが、これに限定されることはない。
【０５８５】
端子部１２７０ａ〜１２７０ｄは、伝導性物質又は伝導性部材である下端部、及び下端部上に位置し、絶縁性物質又は絶縁部材である上端部を含むことができる。
【０５８６】
第１ホール１０２８及び第２ホール１０２９のそれぞれは、下端部及び上端部を貫通し得る。
【０５８７】
端子部１２７０ａ〜１２７０ｄの上端部は、下端部の一部を露出させる溝を備えることができる。例えば、端子部１２７０ａ〜１２７０ｄの上端部のいずれか一つの角には、下端部の上面の縁部の一部を露出させる凹溝が形成され得る。
【０５８８】
図３３を参照すると、端子部１２７０ａ〜１２７０ｄは、絶縁部１０１３ｂ及びパッド部１０１３ａを含むことができる。
【０５８９】
パッド部１０１３ａは、回路基板１２５０の外周に配置され得る。
【０５９０】
パッド部１０１３ａは、ベース１２１０の段差部１０２６の第１面１０２６ａ上に位置し得る。また、パッド部１０１３ａの下面は、段差部１０２６の第１面１０２６ａに接することができる。
【０５９１】
パッド部１０１３ａは、支持部材１２２０−１〜１２２０−４が通過するためのホール１０２８ａ、及びベース１２１０の突起１０２７が挿入又は結合されるホール１０２９ａを含むことができる。
【０５９２】
パッド部１０１３ａは、伝導性物質、例えば、電気伝導性金属物質（例えば、銅、アルミニウム、金、銀など）であり得る。
【０５９３】
例えば、パッド部１０１３ａは、半円形、半楕円形、又は扇形の形状を含むことができる。
【０５９４】
絶縁部１０１３ｂは、パッド部１０１３ａ上に配置され、パッド部１０１３ａの一部を露出させ得る。例えば、絶縁部１０１３ｂは、パッド部１０１３ａの上面の一部、例えば、上面の縁部の一部を露出させ得る。
【０５９５】
パッド部１０１３ａは、絶縁部１０１３ｂによって露出する露出領域１０１４を含むことができる。例えば、パッド部１０１３ａの上面は、絶縁部１０１３ｂによって露出する露出領域１０１４を有することができる。
【０５９６】
絶縁部１０１３ｂは、支持部材１２２０−１〜１２２０−４が通過するためのホール１０２８ｂ、及びベース１２１０の突起１０２７が挿入又は結合されるホール１０２９ｂを含むことができる。
【０５９７】
絶縁部１０１３ｂのホール１０２８ｂは、パッド部１０１３ａのホール１０２８ａと光軸方向又はベース１２１０の下面から上面の方向に整列され得る。また、絶縁部１０１３ｂのホール１０２９ｂは、パッド部１０１３ａのホール１０２９ａと光軸方向又はベース１２１０の下面から上面の方向に整列され得る。
【０５９８】
絶縁部１０１３ｂのホール１０２８ｂとパッド部１０１３ａのホール１０２８ａは、端子部１２７０ａ〜１２７０ｄの第１ホール１０２８をなすことができ、絶縁部１０１３ｂのホール１０２９ｂとパッド部１０１３ａのホール１０２９ａは端子部１２７０ａ〜１２７０ｄの第２ホール１０２９をなすことができる。
【０５９９】
絶縁部１０１３ｂは、プラスチック又は樹脂（例えば、ポリイミド）からなり、回路基板１２５０の下面と接着するための接着剤又はボンド層を含むことができる。例えば、接着剤又はボンド層は、アクリル、エポキシ、及びシリコーンのうち少なくとも一つを含むことができる。
【０６００】
例えば、絶縁部１０１３ｂは、ボンドを含むポリイミドテープに具現され得る。
【０６０１】
絶縁部１０１３ｂは、パッド部１０１３ａの一部を露出させる溝１０１３ａ−１を備えることができる。例えば、絶縁部１０１３ｂのいずれか一つの一角には、パッド部１０１３ａの上面の縁部の一部を露出させる凹溝１０１３ａ−１が形成され得る。
【０６０２】
絶縁部１０１３ｂの厚さは、パッド部１０１３ａの厚さより厚くなり得るが、これに限定されることはなく、他の実施例において、絶縁部１０１３ｂの厚さは、パッド部１０１３ａの厚さと同一であるかそれより小さくてもよい。
【０６０３】
例えば、絶縁部１０１３ｂの厚さは０．０２５ｍｍ〜１ｍｍであり得る。また、例えば、絶縁部１０１３ｂの厚さは、０．０２５ｍｍ〜０．３ｍｍであってもよい。
【０６０４】
絶縁部１０１３ｂの厚さが０．０２５ｍｍ未満であると、支持部材１２２０の長さの増加が微々たるものとなり、消耗電力減少効果を得ることができない。また、絶縁部１０１３ｂの厚さが１ｍｍを超える場合は、レンズ駆動装置の厚さが増加し得る。
【０６０５】
例えば、パッド部１０１３ａの厚さは０．０２５ｍｍ〜１ｍｍであり得る。また、例えば、パッド部１０１３ａの厚さは０．０２５ｍｍ〜０．３ｍｍであり得る。
【０６０６】
絶縁部１０１３ｂのホール１０２８ｂの直径Ｒ２は、回路基板１２５０のホール１２５０ａの直径と同一であり得る。
【０６０７】
絶縁部１０１３ｂのホール１０２８ｂの直径Ｒ２は、パッド部１３ａのホール１０２８ａの直径Ｒ１より大きくなり得る（Ｒ２＞Ｒ１）。これは、ＯＩＳ駆動によって支持部材１２２０−１〜１２２０−４が動くとき、支持部材１２２０−１〜１２２０−４と絶縁部１０１３ｂとの間の接触を防止することによって、支持部材１２２０−１〜１２２０−４の変形及び断線を抑制するためである。
【０６０８】
絶縁部１０１３ｂのホール１０２８ｂの直径Ｒ２は、０．２５ｍｍ〜２ｍｍであり得る。
【０６０９】
絶縁部１０１３ｂのホール１０２８ｂの直径Ｒ２が０．２５ｍｍ未満である場合は、絶縁部１０１３ｂのホール１０２８との接触によって支持部材１２２０が損傷を受けるおそれがあり、ソルダリング時、パッド部１０１３ａに結合されたソルダーが絶縁部１０１３ｂのホール１０２８ｂを介して支持部材１２２０に接触し得る。また、絶縁部１０１３ｂのホール１０２８ｂの直径Ｒ２が２ｍｍを超える場合は、端子部１２７０ａ〜１２７０ｄの大きさが増加し得る。
【０６１０】
例えば、絶縁部１０１３ｂのホール１０２８ｂの直径は、ホールの上端から下端まで一定であり得るが、これに限定されることはない。
【０６１１】
他の実施例において、絶縁部１０１３ｂのホール１０２８ｂの直径は、絶縁部１０１３ｂの下端から上端の方向に増加してもよい。
【０６１２】
パッド部１０１３ａのホール１０２８ａの直径Ｒ１は０．０８ｍｍ〜０．５ｍｍであり得る。
【０６１３】
パッド部１０１３ａのホール１０２８ａの直径Ｒ１が０．０８ｍｍ未満である場合は、支持部材１２２０が通過することが難しくなり得る。
【０６１４】
パッド部１０１３ａのホール１０２８ａの直径Ｒ１が０．５ｍｍを超える場合は、パッド部１０１３ａのホール１０２８ａを通過した支持部材１２２０とパッド部１０１３ａとの間のソルダリング不良が発生し得る。
【０６１５】
例えば、パッド部１０１３ａのホール１０２９ａの直径Ｒ３は、パッド部１０１３ａのホール１０２８ａの直径Ｒ１より大きくなり得るが（Ｒ３＞Ｒ１）、これに限定されることはない。
【０６１６】
また、例えば、絶縁部１０１３ｂのホール１０２９ｂの直径Ｒ４は、絶縁部１０１３ｂのホール１０２８ｂの直径より小さくなり得る（Ｒ４＜Ｒ２）。
【０６１７】
また、例えば、パッド部１０１３ａのホール１０２９ａの直径Ｒ３と絶縁部１０１３ｂのホール１０２９ｂの直径Ｒ４は同一であり得るが（Ｒ３＝Ｒ４）、これに限定されることはない。
【０６１８】
例えば、パッド部１０１３ａのホール１０２９ａの直径Ｒ３及び絶縁部１０１３ｂのホール１０２９ｂの直径Ｒ４は、０．２ｍｍ〜１ｍｍであり得る。
【０６１９】
また、例えば、端子部１２７０ａ〜１２７０ｄの第１ホール１０２８及び第２ホール１０２９のうち少なくとも一つは直線１２０１ａに整列され得るが、これに限定されることはない。
【０６２０】
図３５は、ベース１２１０の突起１０２７、端子部１２７０ａ、回路基板１２５０、及び支持部材１２２０−４の結合を示す第１斜視図で、図３６は、ベース１２１０の突起１０２７、端子部１２７０ａ、回路基板１２５０、及び支持部材１２２０−４の結合を示す第２斜視図である。
【０６２１】
図３５及び図３６を参照すると、回路基板１２５０は、ソルダー又は伝導性接着部材（例えば、伝導性エポキシ）によって各端子部１２７０ａ〜１２７０ｄと電気的に連結される各ボンディング部１２５９ａ〜１２５９ｄを含むことができる。ここで、回路基板１２５０の各ボンディング部１２５９ａ〜１２５９ｄは、「パッド部、電極部、リード部、又は端子部」という用語に取り替えて使用可能である。
【０６２２】
各ボンディング部１２５９ａ〜１２５９ｄは、回路基板２５０の上面に配置され、端子部１２７０ａ〜１２７０ｄの少なくとも一部と半田付けされ得る。
【０６２３】
端子部１２７０ａ〜１２７０ｄの少なくとも一部は、光軸方向又は垂直方向に回路基板とオーバーラップされなくてもよい。
【０６２４】
各ボンディング部１２５９ａ〜１２５９ｄは、回路基板１２５０のホール１２５０ａに隣接して位置し、パッド部１０１３ａの露出領域１０１４と光軸方向又はベース１２１０の下面から上面の方向に整列され得る。
【０６２５】
例えば、ソルダー又は伝導性接着部材により、各ボンディング部１２５９ａ〜１２５９ｄはパッド部１０１３ａの露出領域１０１４と連結され得る。
【０６２６】
回路基板１２５０は、各端子部１２７０ａ〜１２７０ｄの各パッド部１０１３ａに対応し、各パッド部の各露出領域１０１４を露出させる各溝１０５８を備えることができる。
【０６２７】
回路基板１２５０の各溝１０５８は、光軸方向又はベース１２１０の下面から上面の方向にパッド部１０１３ａの露出領域１０１４と少なくとも一部がオーバーラップされ得る。
【０６２８】
回路基板１２５０の溝１０５８は、回路基板１２５０の側面に開放される開口を有する凹溝の形態であり得るが、これに限定されることはない。
【０６２９】
各ボンディング部１２５９ａ〜１２５９ｄのそれぞれは、回路基板１２５０の各溝１０５８のうち対応するいずれか一つの周囲に位置し得る。
【０６３０】
図３７は、図３５に示した回路基板１２５０の一部の断面図である。
【０６３１】
図３７を参照すると、回路基板１２５０は、絶縁層１６０１、絶縁層１６０１の上面に配置される第１導電層１６０２ａ、第１導電層１６０２ａの上面に配置される第１コーティング層１６０３ａ、絶縁層１６０１の下面に配置される第２導電層１６０２ｂ、及び第２導電層１６０２ｂの下面に配置される第２コーティング層１６０３ａを含むことができる。
【０６３２】
第１導電層１６０２ａは、パターン化された金属層、例えば、Ｃｕめっき層であり得る。
【０６３３】
第２導電層１６０２ｂは、金属層（例えば、Ｃｕ層）又はパターン化された金属層であり得る。
【０６３４】
例えば、第１導電層１６０２ａは、各支持部材１２２０−１〜１２２０−４、第２コイル１２３０、及び第２位置センサー１２４０と電気的に連結される各配線及び各パッドを含むようにパターン化された形態であり得る。
【０６３５】
絶縁層１６０１、第１及び第２コーティング層１６０３ａ、１６０３ｂは、樹脂、例えば、ポリイミドであり得るが、これに限定されることはない。
【０６３６】
各ボンディング部１２５９ａ〜１２５９ｄのそれぞれは、第１コーティング層１６０３ａから露出する第１導電層１６０２ａの上面の一部であり得る。
【０６３７】
各ボンディング部１２５９ａ〜１２５９ｄのそれぞれは、パターン化された第１導電層１６０２ａによって回路基板１２５０の各端子１２５１のうち対応するいずれか一つに電気的に連結され得る。
【０６３８】
図３６を参照すると、支持部材（例えば、１２２０−４）の他端は、ソルダー１０１５ｂによってパッド部１０１３ａの下面と結合又はボンディングされ得る。
【０６３９】
ソルダー１０１５ｂは、ベース１２１０の凹溝１２１２によってベース１２１０との空間的な干渉を回避することができ、ベース１２１０の下面を基準にして下側方向に突出しなくてもよい。
【０６４０】
図３５及び図３６に示したベース１２１０のいずれか一つのコーナー部（例えば、１０９１ａ）の段差部１０２６に配置される端子部（例えば、１２７０ａ）、これに対応する回路基板１２５０の第１ボンディング部１２５９ａ及び支持部材１２２０−１に対する説明は、ベース１２１０の他のコーナー部（例えば、１０９１ｂ〜１０９１ｄ）に配置される端子部（例えば、１２７０ｂ〜１２７０ｄ）、これに対応する第２回路基板の各ボンディング部１２５９ｂ〜１２５９ｄ及び各支持部材１２２０−２〜１２２０−４にも同一に適用可能である。
【０６４１】
図３８は、他の実施例に係る各端子部１２７０ａ１〜１２７０ｄ１を示し、図３９は、図３８の各端子部が載置されるベース１２１０の段差部１０２６ａを示す。
【０６４２】
図３８及び図３９を参照すると、各端子部１２７０ａ１〜１２７０ｄ１は回路基板１２５０の下面に配置、装着、結合又は固定され得る。
【０６４３】
図３３の実施例においては、ベース１２１０の突起１０２７によって各端子部１２７０ａ１〜１２７０ｄ１とベース１２１０とが結合されるが、図３８及び図３９では、接着部材により、各端子部１２７０ａ１〜１２７０ｄ１は回路基板１２５０の下面に接着又は付着し得る。また、ベース１２１０の段差部１０２６ａには、図３３の突起１０２７が省略可能である。図３９において突起１０２７が省略されたことを除いては、段差部１０２６ａについては図３３の段差部１０２６に対する説明が同一に適用可能である。
【０６４４】
回路基板１２５０に結合された各端子部１２７０ａ１〜１２７０ｄ１は、ベース１２１０の各段差部１０２６ａに載置され得る。
【０６４５】
一般に、携帯電話の厚さが薄くなるにつれてカメラモジュールの高さが低くなり、カメラモジュールの高さが低くなるにつれてレンズ駆動装置のＯＩＳワイヤ（例えば、上述した支持部材）の長さが短くなり、このようなＯＩＳワイヤの長さの減少によって消耗電流が増加し得る。このような消耗電流の増加を防止するためにＯＩＳワイヤの直径を減少させる場合、ＯＩＳワイヤが断線される危険があり、ＯＩＳ駆動の信頼性が低下し得る。
【０６４６】
実施例は、回路基板１２５０の下面の下側に配置される別途の端子部１２７０ａ〜１２７０ｄを備えており、支持部材１２２０を端子部の下面と結合させることによって、支持部材１２２０の長さを増加させることができ、これによって、支持部材１２２０−１〜１２２０−４に流れる電流の強さを減少させ、消耗電力を減少させることができ、支持部材の直径減少に起因したＯＩＳ駆動の信頼性低下を防止することができる。
【０６４７】
図４０は、実施例に係るレンズ駆動装置２１００の斜視図で、図４１は、図４０に示したレンズ駆動装置２１００の分解図で、図４２は、カバー部材２３００を除いた図４０のレンズ駆動装置２１００の結合図である。
【０６４８】
図４０〜図４２を参照すると、レンズ駆動装置２１００は、ボビン２１１０、第１コイル２１２０、第１マグネット２１３０、ハウジング２１４０、上部弾性部材２１５０、下部弾性部材２１６０、支持部材２２２０、回路基板２２５０、及びベース２２１０を含むことができる。
【０６４９】
また、レンズ駆動装置２１００は、ＡＦフィードバック駆動のために回路基板２１９０及び第１位置センサー２１７０を含むことができ、第２マグネット２１８０及び第３マグネット２１８５をさらに含んでもよい。
【０６５０】
また、レンズ駆動装置２１００は、ＯＩＳ（Ｏｐｔｉｃａｌ  Ｉｍａｇｅ  Ｓｔａｂｉｌｉｚｅｒ）駆動のために第２コイル２２３０をさらに含むことができ、ＯＩＳフィードバック駆動のために第２位置センサー２２４０をさらに備えることができる。また、レンズ駆動装置２１００は、カバー部材２３００をさらに含むことができる。また、レンズ駆動装置２１００は、ハウジング２１４０に結合される第１及び第２ヨーク２１９２ａ、２１９２ｂをさらに含んでもよい。
【０６５１】
まず、カバー部材２３００に対して説明する。
【０６５２】
カバー部材２３００は、ベース２２１０と共に形成される収容空間内に他の各構成２１１０、２１２０、２１３０、２１４０、２１５０、２１６０、２１７０、２２２０、２２３０、２２５０を収容する。
【０６５３】
カバー部材２３００は、下部が開放され、上板及び側部板を含む箱状であり、カバー部材２３００の下部はベース２２１０の上部と結合され得る。カバー部材２３００の上板の形状は、多角形、例えば、四角形又は八角形などであり得る。
【０６５４】
図２のカバー部材３００に対する説明は、カバー部材２３００に適用又は準用され得る。
【０６５５】
次に、ボビン２１１０に対して説明する。
【０６５６】
ボビン２１１０にはレンズ又はレンズバレルが装着され、ボビン２１１０はハウジング２１４０の内側に配置される。ボビン２１１０は、レンズ又はレンズバレルの装着のために開口を有する構造であり得る。開口の形状は、円形、楕円形、又は多角形であり得るが、これに限定されることはない。
【０６５７】
図４３は、図４０に示したボビン２１１０、第１コイル２１２０、第２マグネット２１８０及び第３マグネット２１４０の斜視図で、図４４は、図４３に示したボビン２１１０及び第１コイル２１２０の底面斜視図である。
【０６５８】
図４３及び図４４を参照すると、ボビン２１１０は、上面から第１方向に突出する第１突出部２１１１、及びボビン２１１０の外側面２１１０ｂから第２及び／又は第３方向に突出する第２突出部２１１２を含むことができる。
【０６５９】
ボビン２１１０の第１突出部２１１１は、第１ガイド部２１１１ａ及び第１ストッパー２１１１ｂを含むことができる。ボビン２１１０の第１ガイド部２１１１ａは、上部弾性部材２１５０の設置位置をガイドする役割をすることができる。例えば、ボビン２１１０の第１ガイド部２１１１ａは、上部弾性部材２１５０の第１フレーム連結部２１５３をガイドすることができる。
【０６６０】
ボビン２１１０の第２突出部２１１２は、ボビン２１１０の外側面２１１０ｂから第２及び／又は第３方向に突出して形成され得る。
【０６６１】
ボビン２１１０の第１ストッパー２１１１ｂ及び第２突出部２１１２は、ボビン２１１０がオートフォーカシング機能のために第１方向に動くとき、外部衝撃などによってボビン２１１０が規定された範囲以上に動くとしても、ボビン２１１０の上面又は／及び側面がカバー部材２３００の内側と直接衝突することを防止する役割をすることができる。
【０６６２】
ボビン２１１０は、下面から突出する第２ストッパー２１１６を備えることができ、第２ストッパー２１１６は、ボビン２１１０がオートフォーカシング機能のために第１方向に動くとき、外部衝撃などによってボビン２１１０が規定された範囲以上に動くとしても、ボビン２１１０の下面がベース２２１０、第２コイル２２３０、又は回路基板２２５０に直接衝突することを防止する役割をすることができる。
【０６６３】
ボビン２１１０は、第１側部２１１０ｂ−１、及び第１側部２１１０ｂ−１の間に位置する第２側部２１１０ｂ−２を含むことができる。
【０６６４】
ボビン２１１０の第１側部２１１０ｂ−１は、第１マグネット２１３０に対応又は対向し得る。ボビン２１１０の第２側部２１１０ｂ−２のそれぞれは、隣接する２個の第１側部の間に配置され得る。
【０６６５】
ボビン２１１０は、外側面２１１０ｂに第１コイル２１２０が配置又は設置される少なくとも一つの第１コイル用溝（図示せず）を備えることができる。例えば、第１コイル用溝は、ボビン２１１０の第１側部２１１０ｂ−１及び第２側部２１１０ｂ−２に設けられ得る。
【０６６６】
第１コイル用溝の形状及び個数は、ボビン２１１０の外側面２１１０ｂに配置される第１コイル２１２０の形状及び個数に相応し得る。例えば、ボビン２１１０の第１側部２１１０ｂ−１及び第２側部２１１０ｂ−２に設けられた第１コイル用溝はリング状を有し得るが、これに限定されることはない。
【０６６７】
他の実施例において、ボビン２１１０は、第１コイル用溝を備えなくてもよく、第１コイル２１２０は、ボビン２１１０の外側面２１１０ｂに直接巻線されて固定されてもよい。
【０６６８】
また、ボビン２１１０は、第２マグネット２１８０が載置、挿入、固定、又は配置される第２マグネット用マウント溝２１８０ａ、及び第３マグネット２１８５が載置、挿入、固定又は配置される第３マグネット用マウント溝２１８５ａを備えることができる。
【０６６９】
第２マグネット用マウント溝２１８０ａ及び第３マグネット用マウント溝２１８５ａは、ボビン２１１０の第１側部から選ばれた２個に配置され得る。
【０６７０】
例えば、第３マグネット用マウント溝２１８５ａは、第２マグネット用マウント溝２１８０ａと互いに向かい合うように配置され得るが、これに限定されることはない。
【０６７１】
例えば、第２マグネット用マウント溝２１８０ａ及び第３マグネット用マウント溝２１８５ａは、第１コイル用溝の上部に位置し得るが、これに限定されることはない。
【０６７２】
また、ボビン２１１０の上面には、上部弾性部材２１５０の第１内側フレーム２１５１のホール２１５１ａと結合する第１上側支持突起２１１３が設けられ得る。
【０６７３】
第１上側支持突起２１１３は、第１側部２１１０ｂ−１の上面に設けられ得るが、これに限定されることはない。
【０６７４】
例えば、第１上側支持突起２１１３は、第１上側突起２１１３ａ及び第２上側突起２１１３ｂを含むことができる。ボビン２１１０の第１側部２１１０ｂ−１のそれぞれには、互いに離隔する第１上側突起２１１３ａ及び第２上側突起２１１３ｂが配置され得る。
【０６７５】
例えば、第１上側突起２１１３ａは、上部弾性部材２１５０の第１内側フレーム２１５１との融着・結合のためのものであって、第２上側突起２１１３ｂは、ソルダー又は伝導性接着部材などを通じて上部弾性部材２１５０の第１内側フレーム２１５１と電気的に連結するためのものであり得るが、これに限定されることはない。例えば、第１上側突起２１１３ａの直径は第２上側突起２１１３ｂの直径より大きくなり得る。
【０６７６】
ボビン２１１０は、下部弾性部材２１６０のホール２１６１ａに結合及び固定される第１下側結合溝２１１７を下面に備えることができる。他の実施例においては、下部弾性部材２１６０のホール２１６１ａとの結合のためにボビン２１１０の下面に支持突起が設けられてもよい。
【０６７７】
ボビン２１１０の内周面２１１０ａには、レンズ又はレンズバレルとの結合のためのねじ線２０１１が設けられ得る。ジグなどによってボビン２１１０を固定させた状態でボビン２１１０の内周面にねじ線２０１１を形成できるが、ボビン２１１０の上面にはジグ固定用溝２０１５ａ、２０１５ｂが設けられ得る。例えば、ジグ固定用溝２０１５ａ、２０１５ｂは、ボビン２１１０の互いに向かい合う第２側部２１１０ｂ−２の上面に設けられ得るが、これに限定されることはない。
【０６７８】
次に、第１コイル２１２０に対して説明する。
【０６７９】
第１コイル２１２０は、ボビン２１１０の外周面２１１０ｂに配置され、ハウジング２１４０に配置される第１マグネット２１３０と電磁気的相互作用をする駆動用コイルであり得る。
【０６８０】
第１マグネット２１３０との相互作用による電磁気力を生成するために、第１コイル２１２０には駆動信号（例えば、駆動電流又は電圧）が印加され得る。
【０６８１】
第１コイル２１２０に印加される駆動信号は、交流信号（例えば、交流電流）又は直流信号（例えば、直流電流）であり得る。又は、他の実施例において、第１コイル２１２０に印加される駆動信号は交流信号及び直流信号を含むことができる。例えば、交流信号は、正弦波信号又はパルス信号（例えば、ＰＷＭ（Ｐｕｌｓｅ  Ｗｉｄｔｈ  Ｍｏｄｕｌａｔｉｏｎ）信号）であり得る。
【０６８２】
第１コイル２１２０と第１マグネット２１３０との間の相互作用による電磁気力により、ＡＦ可動部は第１方向に移動し得る。第１コイル２１２０に印加される駆動信号の強さ又は／及び極性（例えば、電流が流れる方向）を制御し、第１コイル２１２０と第１マグネット２１３０との間の相互作用による電磁気力の強さ又は／及び方向を調節することによって、ＡＦ可動部の第１方向への動きを制御することができ、これによってオートフォーカシング機能を行うことができる。
【０６８３】
ＡＦ可動部は、上部弾性部材２１５０及び下部弾性部材２１６０によって弾性的に支持されるボビン２１１０、及びボビン２１１０に装着され、ボビン２１１０と共に移動する各構成を含むことができる。例えば、ＡＦ可動部は、ボビン２１１０、第１コイル２１２０、第２及び第３マグネット２１８０、２１８５、及びボビン２１１０に装着されるレンズ（図示せず）を含むことができる。
【０６８４】
第１コイル２１２０は、光軸を中心に時計方向又は反時計方向に回転するようにボビン２１１０の外周面２１１０ｂを覆って巻線又は配置され得る。他の実施例において、第１コイル２１２０は、光軸に対して垂直な軸を中心に時計方向又は反時計方向に巻線又は配置されるコイルリングの形態に具現され得る。また、コイルリングの個数は第１マグネット２１３０の個数と同一であり得るが、これに限定されることはない。
【０６８５】
第１コイル２１２０は、上部弾性部材２１５０及び下部弾性部材２１６０のうち少なくとも一つと電気的に連結され、上部弾性部材２１５０又は下部弾性部材２１６０、及び支持部材２２２０を通じて回路基板２２５０と電気的に連結され得る。
【０６８６】
例えば、第１コイル２１２０は、第２及び第３上部スプリング２１５０−２、２１５０−３のそれぞれの第１内側フレーム２１５１に設けられる各ボンディング部２０２２ａ、２０２２ｂ（図４８参照）に結合され得る。
【０６８７】
ボビン２１１０に配置された第１コイル２１２０と、ボビン２１１０に配置された第２マグネット２１８０及び第３マグネット２１８５のそれぞれは光軸（ＯＡ）に対して垂直な方向に互いに離隔し得るが、これに限定されることはなく、他の実施例において、ボビン２１１０に配置された第２マグネット２１８０及び第３マグネット２１８５のそれぞれは第１コイル２１２０と接してもよい。
【０６８８】
次に、ハウジング２１４０に対して説明する。
【０６８９】
ハウジング２１４０は、第１コイル２１２０が配置されたボビン２１１０を内側に収容する。
【０６９０】
図４５ａは、図４０に示したハウジング２１４０の第１斜視図で、図４５ｂは、図４０に示したハウジング２１４０の第２斜視図で、図４６ａは、図４０のハウジング２１４０、第１位置センサー２１７０、及び回路基板２１９０の斜視図で、図４６ｂは、図４０のハウジング２１４０、第１位置センサー２１７０、回路基板２１９０、及び第１及び第２ヨーク２１９２ａ、２１９２ｂの斜視図である。
【０６９１】
図４５ａ〜図４６ｂを参照すると、ハウジング２２１４０は、全体的に開口を有する柱形状であって、開口を形成する複数の側部及び各コーナー部を含むことができる。
【０６９２】
例えば、ハウジング２１４０は、互いに離隔する各側部２１４１−１〜２１４１−４、及び互いに離隔する各コーナー部２１４２−１〜２１４２−４を含むことができる。
【０６９３】
ハウジング２１４０の各側部２１４１−１〜２１４１−４のそれぞれは、隣接する２個のコーナー部２１４２−１と２１４２−２、２１４２−２と２１４２−３、２１４２−３と２１４２−４、２１４２−４と２１４２−１の間に配置又は位置することができ、隣接する２個のコーナー部２１４２−１と２１４２−２、２１４２−２と２１４２−３、２１４２−３と２１４２−４、２１４２−４と２１４２−１を互いに連結させることができ、一定深さの平面を含むことができる。
【０６９４】
ハウジング２１４０の各側部２１４１−１〜２１４１−４はボビン２１１０の第１側部２１１０ｂ−１に対応し、ハウジング２１４０の各コーナー部２１４２−１〜２１４２−４はボビン２１１０の第２側部２１１０ｂ−２に対応し得るが、これに限定されることはない。
【０６９５】
ハウジング２１４０の各側部（例えば、２１４１−１〜２１４１−４）には、第１マグネット２１３０（２１３０−１〜２１３０−４）が配置又は設置され得る。また、ハウジング２１４０の各コーナー部２１４２−１〜２１４２−４には支持部材２２２０が配置され得る。
【０６９６】
ハウジング２１４０は、第１マグネット２１３０−１〜２１３０−４を支持又は収容するために各側部２１４１−１〜２１４１−４の内面に設けられるマグネットマウント部２１４１ａを備えることができる。
【０６９７】
ハウジング２１４０の各側部２１４１−１〜２１４１−４には、第１マグネット２１３０−１〜２１３０−４をハウジング２１４０のマグネットマウント部２１４１ａに付着させるための接着剤を注入する溝２０６１を備えることができる。
【０６９８】
ハウジング２１４０の各側部２１４１は、カバー部材２３００の各側板のうち対応するいずれか一つと平行に配置され得る。ハウジング２１４０の各コーナー部２１４２−１〜２１４２−４には、支持部材２２２０が通過するホール２１４７ａが設けられ得る。例えば、ホール２１４７ａの直径は一定であり得るが、これに限定されることはなく、他の実施例においては、ダンパーを容易に塗布するためにハウジング２１４０の上面から下面の方向にホール２１４７ａの直径が漸次増加する形態であってもよい。
【０６９９】
また、カバー部材２３００の内側面に直接衝突することを防止するために、ハウジング２１４０の上面には第２ストッパー２１４４が設けられ得る。例えば、第２ストッパー２１４４は、ハウジング２１４０の各コーナー部２１４２−１〜２１４２−４のそれぞれのコーナーに配置され得るが、これに限定されることはない。
【０７００】
また、上部弾性部材２１５０がハウジング２１４０の上面に配置されるとき、上部弾性部材２１５０の第１外側フレーム２１５２の設置位置をガイドするために、ハウジング２１４０は上面に第２ガイド部２１４６を備えることができる。
【０７０１】
第２ガイド部２１４６は、ハウジング２１４０の各コーナー部２１４１−１〜２１４１−４に第２ストッパー２１４４と離隔して配置され得る。例えば、第２ガイド部２１４６と第２ストッパー２１４４は対角線方向に互いに向かい合うことができる。ここで、対角線方向は、ハウジング２１４０の中心から第２ストッパー２１４４に向かう方向であり得る。第２ガイド部２１４６は、ストッパーの役割をすることもできる。
【０７０２】
ハウジング２１４０は、上部弾性部材２１５０の第１外側フレーム２１５２のホール２１５２ａ、２１５２ｂとの結合のために、各コーナー部２１４２−１〜２１４２−４の上面に配置される少なくとも一つの第２上部突起２１４３ａ、２１４３ｂを備えることができる。
【０７０３】
第２上部突起２１４３ａ、２１４３ｂは、ハウジング２１４０の各コーナー部２１４２−１〜２１４２−４のうち少なくとも一つの上面に配置され得る。例えば、第２上部突起２１４３ａ、２１４３ｂは、ハウジング２１４０の第２ガイド部２１４６の一側及び他側のうち少なくとも一つに配置され得る。
【０７０４】
また、ハウジング２１４０は、下部弾性部材２１６０の第２外側フレーム２１６２のホール２１６２ａとの結合及び固定のために、各コーナー部２１４２−１〜２１４２−４の下面に配置される少なくとも一つの第２下部突起２１４５を備えることができる。例えば、第２下部突起２１４５は、ハウジング２１４０の各コーナー部２１４２−１〜２１４２−４のうち少なくとも一つの下面に配置され得るが、これに限定されることはない。
【０７０５】
支持部材２２２０が通過する経路を確保するために、また、ダンピング役割をすることができるシリコーンを充填するための空間を確保するために、ハウジング２１４０は、コーナー部２１４２−１〜２１４２−４の下部に設けられる凹溝２１４２ａを備えることができる。例えば、ハウジング２１４０の凹溝２１４２ａには、ダンピングシリコーンが充填され得る。
【０７０６】
ハウジング２１４０は、各側部２１４１−１〜２１４１−４の外側面から第２方向又は第３方向に突出した第３ストッパー２１４９を備えることができる。第３ストッパー２１４９は、ハウジング２１４０が第２及び第３方向に動くとき、カバー部材２３００の各側板の内面と衝突することを防止するためのものである。
【０７０７】
ハウジング２１４０の底面が後述するベース２２１０、第２コイル２２３０、及び／又は回路基板２２５０と衝突することを防止するために、ハウジング２１４０は下面から突出する第４ストッパー（図示せず）をさらに備えてもよい。
【０７０８】
図４６ａを参照すると、ハウジング２１４０は、回路基板２１９０を収容するための第１溝２０１４ａ、及び第１位置センサー２１７０を収容するための第２溝２０１４ｂを備えることができる。
【０７０９】
第１溝２０１４ａは、ハウジング２１４０の各コーナー部２１４２−１〜２１４２−４のうちいずれか一つの上部又は上端に設けられ得る。回路基板２１９０の装着を容易にするために、第１溝２０１４ａは、上部が開放され、側面及び底を有する溝の形態であり得る。また、第１溝２０１４ａの側面は、回路基板２１９０の形状に対応したり、又は回路基板２１９０の形状と一致する形状を有することができる。
【０７１０】
第２溝２０１４ｂは、ハウジング２１３０の各コーナー部２１４２−１〜２１４２−４のうちいずれか一つの内側面に設けられ、ハウジング２１３０の内側に開放される開口を有することができ、第１溝２０１４ａに接する構造であり得るが、これに限定されることはない。
【０７１１】
第１位置センサー２１７０の装着を容易にするために、第２溝２０１４ｂは、上部及び側面が開放される開口を有することができる。第２溝２０１４ｂは、第１位置センサー２１７０の形状に対応したり、又は第１位置センサー２１７０の形状と一致する形状を有することができる。
【０７１２】
接着剤又は両面テープなどの接着部材により、第１マグネット２１３０はハウジング１４０の第１マグネットマウント部２１４１ａに固定され得る。また、接着剤により、回路基板２１９０はハウジング２１４０の第１溝２０１４ａに固定され得る。
【０７１３】
また、第２マグネット２１８０と向かい合うハウジング２１４０のいずれか一つのコーナー部の下部には、第１ヨーク２１９２ａが配置される第１ヨークマウント溝２０３５ａが設けられ得る。また、第３マグネット２１８５と向かい合うハウジング２１４０の他のいずれか一つのコーナー部の下部には、第２ヨーク２１９２ｂが配置される第２ヨークマウント溝２０３５ｂが設けられ得る。
【０７１４】
次に、第１マグネット２１３０に対して説明する。
【０７１５】
ボビン２１１０の初期位置において、第１マグネット２１３０は、光軸（ＯＡ）に対して垂直な第２方向又は第３方向に第１コイル２１２０と少なくとも一部がオーバーラップされるようにハウジング２１４０に配置され得る。例えば、第１マグネット２１３０は、ハウジング２１４０のマウント部２１４１ａ内に挿入又は配置され得る。ボビン２１１０の初期位置については、上述した内容が適用又は準用可能である。
【０７１６】
他の実施例において、第１マグネット２１３０は、ハウジング２１４０の各側部２１４１−１〜２１４１−４の外側面に配置されてもよく、又は、他の実施例では、ハウジング２１４０の各コーナー部２１４２−１〜２１４２−４の内側面又は外側面に配置されてもよい。
【０７１７】
第１マグネット２１３０の形状は、ハウジング２１４０の側部２１４１−１〜２１４１−４に対応する形状として直方体の形状であり得るが、これに限定されることはなく、第１コイル２１２０と向かい合う面は、第１コイル２１２０の対応する面の曲率に対応したり、又は第１コイル２１２０の対応する面の曲率と一致するように形成され得る。
【０７１８】
第１マグネット２１３０は、一体に構成され、第１コイル２１２０と向かい合う面はＳ極になり、その反対側面はＮ極になるように配置することができる。しかし、これに限定されることはなく、その反対に構成することも可能である。
【０７１９】
第１マグネット２１３０は、少なくとも２個以上が互いに向かい合うハウジング２１４０の各側部２１４１−１〜２１４１−４に互いに向かい合うように配置され得る。
【０７２０】
例えば、ハウジング２１４０の各側部２１４１−１〜２１４１−４には、第１マグネット２１３０−１〜２１３０−４が配置され得る。交差するように互いに向かい合う二対の第１マグネット２１３０−１〜２１３０−４がハウジング２１４０の各側部２１４１−１〜２１４１−４に配置され得る。このとき、第１マグネット２１３０−１〜２１３０−４のそれぞれの平面は略四角形状であり、又はこれと異なって三角形及び菱形の形状であってもよい。
【０７２１】
次に、第２マグネット２１８０及び第３マグネット２１８５に対して説明する。
【０７２２】
第２マグネット２１８０は、ボビン２１１０の第２マグネット用マウント溝２１８０ａ内に配置され得る。第３マグネット２１８５は、ボビン２１１０の第３マグネット用マウント溝２１８５ａに配置され得る。
【０７２３】
第２マグネット用マウント溝２１８０ａに装着された第２マグネット２１８０のいずれか一つの面の一部、及び第３マグネット用マウント溝２１８５ａに装着された第３マグネット２１８５のいずれか一つの面の一部はボビン２１１０の外側面から露出し得るが、これに限定されることはなく、他の実施例では、ボビン２１１０の外側面に露出しなくてもよい。
【０７２４】
第２マグネット２１８０及び第３マグネット２１８５のそれぞれは、Ｎ極とＳ極との境界面が光軸に対して垂直な方向と平行であり得るが、これに限定されることはない。例えば、他の実施例において、Ｎ極とＳ極との境界面が光軸と平行であってもよい。
【０７２５】
第１コイル２１２０と第１マグネット２１３０との間の相互作用により、第２マグネット２１８０はボビン２１１０と共に光軸方向（ＯＡ）に移動することができ、第１位置センサー２１７０は、光軸方向に移動する第２マグネット２１８０の磁場の強さを感知することができ、感知された結果による出力信号を出力することができる。例えば、カメラモジュールの制御部８３０又は端末機の制御部７８０は、第１位置センサー２１７０が出力する出力信号に基づいてボビン２１１０の光軸方向への変位を検出することができる。
【０７２６】
また、第３マグネット２１８５は、第２マグネット２１８０と重さのバランスを合わせるためのバランシングマグネットであり得る。第３マグネット２１８５と第２マグネット２１８０は、互いに対称的に配置されることによってＡＦ可動部の重さのバランスを合わせ、これによって正確なＡＦ動作を行うことができる。
【０７２７】
他の実施例においては、第２マグネット２１８０及び第３マグネット２１８５が省略可能であり、第１位置センサーは、ハウジングでなくボビンに装着され得る。また、第１コイル２１２０と第１マグネット２１３０との間の相互作用によってボビン２１１０と第１位置センサーが光軸方向に移動することによって、第１位置センサーは、第１マグネットの磁場の強さを感知し、感知された結果による出力信号を出力することができる。
【０７２８】
次に、第１位置センサー２１７０及び回路基板２１９０に対して説明する。
【０７２９】
第１位置センサー２１７０及び回路基板２１９０は、ハウジング２１４０の各コーナー部２１４２−１〜２１４２−４のうちいずれか一つに第２マグネット２１８０に対応するように配置され得る。
【０７３０】
例えば、ボビン２１１０の初期位置において、第１位置センサー２１７０は、光軸に対して垂直な方向に第２マグネット２１８０に対向して重畳され得る。
【０７３１】
例えば、回路基板２１９０は、ハウジング２１４０の第１溝２０１４ａ内に配置され得る。第１位置センサー２１７０は、ハウジング２１４０に配置された回路基板２１９０に装着され得る。
【０７３２】
第１位置センサー２１７０は、回路基板２１９０の第１面に配置され得る。ここで、ハウジング２１４０に装着された回路基板２１９０の第１面は、ハウジング２１４０の内側と向かい合う面であり得る。
【０７３３】
第１位置センサー２１７０は、ホールセンサーを含むドライバーＩＣ（Ｉｎｔｅｇｒａｔｅｄ  Ｃｉｒｃｕｉｔ）の形態に具現されたり、又は、ホールセンサーなどの位置検出センサー単独の形態に具現され得る。
【０７３４】
第１位置センサー２１７０は、２個の入力端子及び２個の出力端子を含むことができ、第１位置センサー２１７０の各入力端子及び各出力端子は、回路基板２１９０の第１パッド２００１、第２パッド２００２、第３パッド２００３、及び第４パッド２００４のうち対応するいずれか一つと電気的に連結され得る。
【０７３５】
回路基板２１９０は、第２面に設けられる第１〜第４パッド２００１〜２００４、及び第１面に装着された第１位置センサー２１７０と第１〜第４パッド２００１〜２００４とを連結する回路パターン又は配線（図示せず）を含むことができる。例えば、回路基板２１９０の第２面は、第１面の反対面であり得る。例えば、回路基板２１９０は印刷回路基板又はＦＰＣＢであり得る。
【０７３６】
他の実施例において、第１位置センサー２１７０は回路基板２１９０の下面に配置され、第１〜第４パッド２００１〜２００４は回路基板２１９０の上面に設けられてもよいが、これに限定されることはない。
【０７３７】
例えば、回路基板２１９０の第１〜第４パッド２００１〜２００４は、各上部スプリング２１５０−１、２１５０−４〜２１５０−６及び各支持部材２２２０−３〜２２２０−６によって回路基板２２５０と電気的に連結され、第１位置センサー２１７０は回路基板２２５０と電気的に連結され得る。
【０７３８】
また、第１コイル２１２０の両端は、第２及び第３上部スプリング２１５０−２、２１５０−３の内側フレームと連結され、第２及び第３上部スプリング２１５０−２〜２１５０−３及び各支持部材２２２０−２、２２２０−３によって回路基板２２５０と電気的に連結され得る。
【０７３９】
次に、第１ヨーク２１９２ａ及び第２ヨーク２１９２ｂに対して説明する。
【０７４０】
第１ヨーク２１９２ａ及び第２ヨーク２１９２ｂのそれぞれは、隣接する２個の第１マグネット２１３０−１と２１３０−３、２１３０−２と２１３０−４の間のハウジング２１４０の第２側部に配置されることによって、第１コイル２１２０と第１マグネット２１３０−１〜２１３０−４との間の電磁気力を向上させることができる。
【０７４１】
例えば、第１ヨーク２１９２ａ及び第２ヨーク２１９２ｂのそれぞれは、胴体２１９２−１、第１折曲部２１９２−２、第２折曲部２１９２−２、及び突出部２１９２−４を含むことができる。胴体２１９２−１は、ハウジング２１４０のヨークマウント部２１４２に対応する形状を有し、ヨークマウント部２０１４ａ、２０１４ｂに接するように配置され得る。
【０７４２】
第１折曲部２１９２−２は胴体２１９２−１の一端から折り曲げられ、第２折曲部２１９２−３は胴体２１９２−１の他端から折り曲げられ、突出部２１９２−４は胴体２１９２−１の一端と他端との間に位置し得る。第１及び第２折曲部２１９２−２、２１９２−３のそれぞれは、胴体２１９２−１を基準にして胴体２１９２−１の一側に折り曲げられ得る。突出部２１９２−４は、ハウジング２１４０との結合力を向上させるために胴体２１９２−１の下部に連結され、胴体２１９２−１を基準にして胴体２１９２−１の一側に向かって突出し得る。
【０７４３】
次に、上部弾性部材２１５０、下部弾性部材２１６０、及び支持部材２２２０に対して説明する。
【０７４４】
上部弾性部材２１５０及び下部弾性部材２１６０は、ボビン２１１０及びハウジング２１４０に結合され、ボビン２１１０を支持する。
【０７４５】
例えば、上部弾性部材２１５０は、ボビン２１１０の上部、上面、又は上端及びハウジング２１４０の上部、上面、又は上端と結合することができ、下部弾性部材２１６０は、ボビン２１１０の下部、下面、又は下端及びハウジング２１４０の下部、下面、又は下端と結合することができる。
【０７４６】
支持部材２２２０は、ハウジング２１４０をベース２２１０に対して支持することができ、上部弾性部材２１５０及び下部弾性部材２１６０のうち少なくとも一つと回路基板２２５０とを電気的に連結することができる。
【０７４７】
図４７は、図４０に示した上部弾性部材２１５０の斜視図で、図４８は、図４１の上部弾性部材２１５０、下部弾性部材２１６０、第２コイル２２３０、回路基板２２５０、及びベース２２１０の斜視図である。
【０７４８】
図４７〜図４８を参照すると、上部弾性部材２１５０及び下部弾性部材２１６０のうち少なくとも一つは２個以上に分割又は分離され得る。
【０７４９】
例えば、上部弾性部材２１５０は、互いに離隔する第１〜第６上部スプリング２１５０−１〜２１５０−６を含むことができる。
【０７５０】
上部弾性部材２１５０及び下部弾性部材２１６０は、板スプリングに具現され得るが、これに限定されることはなく、コイルスプリング及びサスペンションワイヤなどに具現されてもよい。
【０７５１】
第１〜第４上部スプリング２１５０−１〜２１５０−４のそれぞれは、ボビン２１１０の上部、上面、又は上端と結合される第１内側フレーム２１５１、ハウジング２１４０の上部、上面、又は上端と結合される第１外側フレーム２１５２、及び第１内側フレーム２１５１と第１外側フレーム２１５２とを連結する第１フレーム連結部２１５３を含むことができる。
【０７５２】
第５及び第６上部スプリング２１５０−５、２１５０−６のそれぞれは、ハウジング２１４０の上部、上面、又は上端と結合される第１外側フレーム２１５２を含むことができる。
【０７５３】
図９において、第５及び第６上部スプリング２１５０−５、２１５０−６のそれぞれは、第１内側フレーム及び第１フレーム連結部を含まないが、これに限定されることはなく、他の実施例において、第５及び第６上部スプリングのそれぞれは、第１内側フレーム及び第１フレーム連結部を含んでもよい。
【０７５４】
第１〜第６上部スプリング２１５０−１〜２１５０−６のそれぞれの第１外側フレーム２１５２は、支持部材２２２０−１〜２２２０−６に結合される第１結合部２５２０、２５２０ａ〜２５２０ｄ、ハウジング２１４０のコーナー部２１４２−１〜２１４２−４に結合される第２結合部２５１０、２５１０ａ〜２５１０ｄ、及び第１結合部２５２０、２５２０ａ〜２５２０ｄと第２結合部２５１０、２５１０ａ〜２５１０ｄとを連結する連結部２５３０、２５３０ａ〜２５３０ｄを含むことができる。
【０７５５】
第２結合部２５１０、２５１０ａ〜２５１０ｄは、ハウジング２１４０のコーナー部２１４２−１〜２１４２−４と結合される少なくとも一つの結合領域を含むことができる。
【０７５６】
例えば、第２結合部２５１０、２５１０ａ〜２５１０ｄは、ハウジング２１４０の第２上部突起２１４３ａ、２１４３ｂと結合されるホール２１５２ａ、２１５２ｂを含む少なくとも一つの結合領域を含むことができる。
【０７５７】
例えば、ハウジング２１４０をいずれか一側に偏らないようにバランスよく支持するために、第１〜第６上部スプリング２１５０−１〜２１５０−６の第２結合部２５１０、２５１０ａ〜２５１０ｄの各結合領域は、基準線（例えば、２５０１〜２５０４）を基準にして左右対称であり得るが、これに限定されることはない。
【０７５８】
図４７の実施例において、第１〜第６上部スプリング２１５０−１〜２１５０−６の第２結合部２５１０、２５１０ａ〜２５１０ｄの各結合領域のそれぞれは、ホールを含むように具現されるが、これに限定されることはなく、他の実施例において、各結合領域は、ハウジング２１４０と結合するのに十分な多様な形態、例えば、溝状などに具現されてもよい。
【０７５９】
例えば、第２結合部２５１０、２５１０ａ〜２５１０ｄのホール２１５２ａは、第２上部突起２１４３ａとホール２１５２ａとの間に接着部材が染み込むための少なくとも一つの切開部２０２１を有することができる。
【０７６０】
例えば、第１及び第４上部スプリング２１５０−１、２１５０−４のそれぞれの第２結合部２５１０、２５１０ｂは、基準線２５０１〜２５０４の一側に位置する第１結合領域、及び基準線２５０１〜２５０４の他側に位置する第２結合領域を含むことができる。
【０７６１】
例えば、第２、第３、第５及び第６上部スプリング２１５０−２、２１５０−３、２１５０−５、２１５０−６のそれぞれの第２結合部２５１０ａ、２５１０ｃ、２５１０ｄは、基準線２５０１〜２５０４のいずれか一側に位置する結合領域を含むことができる。
【０７６２】
第１結合部２５２０、２５２０ａ〜２５２０ｄは、支持部材２２２０−１〜２２２０−６が貫通するホール２０５２を備えることができる。ホール２０５２を通過した支持部材２２２０−１〜２２２０−６の一端は、伝導性接着部材又はソルダー２９０１によって第１結合部２５２０、２５２０ａ〜２５２０ｄに結合され、第１結合部２５２０、２５２０ａ〜２５２０ｄと支持部材２２２０−１〜２２２０−６とは電気的に連結され得る。
【０７６３】
第１結合部２５２０、２５２０ａ〜２５２０ｄは、ソルダー２９０１が配置される領域であって、ホール２０５２、及びホール２０５２の周囲の一領域を含むことができる。
【０７６４】
連結部２５３０、２５３０ａ〜２５３０ｄは、第１結合部２５２０、２５２０ａ〜２５２０ｄと第２結合部２５１０、２５１０ａ〜２５１０ｄとの結合領域を連結することができる。
【０７６５】
例えば、連結部２５３０、２５３０ｂは、第１及び第４上部スプリング２１５０−１、２１５０−４のそれぞれの第２結合部２５１０、２５１０ｂの第１結合領域と第１結合部２５２０、２５２０ｂとを連結する第１連結部２５３０−１、２５３０ｂ−１、及び第２結合部２５１０、２５１０ｂの第２結合領域と第１結合部２５２０、２５２０ｂとを連結する第２連結部２５３０−２、２５３０ｂ−２を含むことができる。
【０７６６】
また、例えば、第２、第３、第５及び第６上部スプリング２１５０−２、２１５０−３、２１５０−５、２１５０−６のそれぞれは、第２結合部２５１０ａ、２５１０ｃ、２５１０ｄの結合領域と第１結合部２５２０ａ、２５２０ｃ、２５２０ｄとを連結する一つの連結領域２５３０ａ、２５３０ｃ、２５３０ｄを含むことができる。
【０７６７】
各連結領域２５３０−１、２５３０−２、２５３０ｂ１、２５３０ｂ２、２５３０ｃ、２５３０ｄのそれぞれは、少なくとも一回折り曲げられる折曲部、又は少なくとも一回曲げられる曲線部を含み得るが、これに限定されることはなく、他の実施例では直線状であってもよい。
【０７６８】
連結部２５３０、２５３０ａ〜２５３０ｄの幅は、第２結合部２５１０、２５１０ａ〜２５１０ｄの幅より狭くなり得る。これによって、連結部２５３０、２５３０ａ〜２５３０ｄは第１方向に動くことが容易であり、これによって上部弾性部材２１５０に印加される応力、及び支持部材２２２０に印加される応力を分散させることができる。
【０７６９】
また、ハウジング２１４０をいずれか一側に偏らないようにバランスよく支持するために、連結部２５３０、２５３０ａ〜２５３０ｄは、基準線を基準にして左右対称であり得るが、これに限定されることはなく、他の実施例では左右対称でなくてもよい。基準線２５０１〜２５０４は、中心点２１０１（図４７参照）及びハウジング２１４０の各コーナー部２１４２−１〜２１４２−４の各角のうち対応するいずれか一つを通過する直線であり得る。例えば、中心点２１０１はハウジング２１４０の中央であり得る。
【０７７０】
第１及び第４〜第６上部スプリング２１５０−１、２１５０−４〜２１５０−６のそれぞれの第１外側フレーム２１５２は、回路基板２１９０の各パッド２００１〜２００４のうち対応するいずれか一つと接触又は連結される各接触部Ｐ１〜Ｐ４を備えることができる。
【０７７１】
第５上部スプリング２１５０−５及び第６上部スプリング２１５０−６のそれぞれは、第２結合部２５１０ｃ、２５１０ｄから拡張される接触部Ｐ２、Ｐ３を備えることができる。
【０７７２】
第１スプリング２１５０−１及び第４上部スプリング２１５０−４のそれぞれは、ハウジング２１４０の側部と結合される第１外側フレームの一端から拡張される接触部Ｐ１、Ｐ４を備えることができる。
【０７７３】
各接触部Ｐ１〜Ｐ４のそれぞれは、回路基板２１９０の各パッド２００１〜２００４のうち対応するいずれか一つに直接接触し得る。また、ソルダーなどにより、互いに対応する接触部Ｐ１〜Ｐ４と回路基板２１９０のパッド２００１〜２００４とは電気的に連結され得る。
【０７７４】
下部弾性部材２１６０は、ボビン２１１０の下部、下面、又は下端と結合される第２内側フレーム２１６１、ハウジング２１４０の下部、下面、又は下端と結合される第２外側フレーム２１６２、及び第２内側フレーム２１６１と第２外側フレーム２１６２とを連結する第２フレーム連結部２１６３を含むことができる。
【０７７５】
また、下部弾性部材２１６０は、第２内側フレーム２１６１に配置され、半田付け又は伝導性接着部材によってボビン２１１０の第１下側結合溝２１１７と結合するホール２１６１ａ、及び第２外側フレーム２１６２に配置され、ハウジング２１４０の第２下部突起２１４７と結合するホール２１６２ａを備えることができる。
【０７７６】
上部及び下部弾性部材２１５０、２１６０の第１及び第２フレーム連結部２１５３、２１６３のそれぞれは、少なくとも一回以上折り曲げられたり又はカーブ（又は曲線）状に形成され、一定形状のパターンを形成することができる。第１及び第２フレーム連結部２１５３、２１６３の位置変化及び微細変形を通じて、ボビン２１１０は、第１方向への上昇及び／又は下降動作が弾力的に（又は弾性的に）支持され得る。
【０７７７】
ボビン２１１０の振動を吸収及び緩衝させるために、レンズ駆動装置２１００は、各上部スプリング２１５０−１〜２１５０−６のそれぞれとハウジング２１４０との間に配置される第１ダンピング部材（図示せず）をさらに備えることができる。
【０７７８】
例えば、各上部スプリング２１５０−１〜２１５０−６のそれぞれの第１フレーム連結部２１５３とハウジング２１４０との間の空間に第１ダンピング部材（図示せず）が配置され得る。
【０７７９】
また、例えば、レンズ駆動装置２１００は、下部弾性部材２１６０の第２フレーム連結部２１６３とハウジング２１４０との間に配置される第２ダンピング部材（図示せず）をさらに備えてもよい。
【０７８０】
また、例えば、レンズ駆動装置２１００は、支持部材２２２０とハウジング２１４０のホール２１４７ａとの間に配置される第３ダンピング部材（図示せず）をさらに含むことができる。
【０７８１】
また、例えば、レンズ駆動装置２１００は、第１結合部２５２０、２５２０ａ〜２５２０ｄ及び支持部材２２２０の一端に配置される第４ダンピング部材（図示せず）をさらに含むことができ、支持部材２２２０の他端及び回路基板２２５０に配置される第５ダンピング部材（図示せず）をさらに含むことができる。
【０７８２】
また、例えば、ハウジング２１４０の内側面とボビン２１１０の外周面との間にもダンピング部材（図示せず）がさらに配置され得る。
【０７８３】
次に、支持部材２２２０に対して説明する。
【０７８４】
半田付け又は伝導性接着部材により、支持部材２２２０の一端は上部弾性部材２１５０の第１外側フレーム２１５２に結合され、支持部材２２２０の他端は、ベース２２１０の下面に位置する回路基板２２５０の一部と結合され得る。
【０７８５】
支持部材２２２０は複数であり得る。また、複数の支持部材２２２０−１〜２２２０−６のそれぞれは、ソルダー２９０１を通じて各上部スプリング２１５０−１〜２１５０−６のうち対応するいずれか一つの第１結合部２５２０、２５２０ａ〜２５２０ｄに結合され、第１結合部２５２０と電気的に連結され得る。例えば、複数の支持部材２２２０−１〜２２２０−６は４個の第２側部２１４２に配置され得る。
【０７８６】
複数の支持部材２２２０−１〜２２２０−６は、ボビン２１１０及びハウジング２１４０が第１方向に対して垂直な方向に移動できるようにボビン２１１０及びハウジング２１４０を支持することができる。図４２及び図４８では、ハウジング２１４０の各コーナー部のそれぞれに一つの支持部材又は２個の支持部材が配置されるが、これに限定されることはない。
【０７８７】
他の実施例においては、ハウジング２１４０の各コーナー部のそれぞれに２個以上の支持部材が配置されてもよく、ハウジング２１４０の各コーナー部のそれぞれに１個の支持部材が配置されてもよい。
【０７８８】
複数の支持部材２２２０−１〜２２２０−６のそれぞれは、ハウジング２１４０と離隔し、ハウジング２１４０に固定されるのではなく、各上部スプリング２１５０−１〜２１５０−６のそれぞれの第１外側フレーム１５２の第１結合部２５２０、２５２０ａ〜２５２０ｄに直接連結され得る。
【０７８９】
複数の支持部材２２２０−１〜２２２０−６及び各上部スプリング２１５０−１〜２１５０−６を通じて回路基板２２５０から第１コイル２１２０に駆動信号が伝達され、回路基板２２５０から第１位置センサー２１７０に駆動信号が提供され、第１位置センサー２１７０の出力信号が回路基板２２５０に伝達され得る。
【０７９０】
例えば、第２及び第３上部スプリング２１５０−２、２１５０−３、及び第１及び第２支持部材２２２０−１、２２２０−２を通じて回路基板２２５０から第１コイル２１２０に駆動信号が提供され得る。
【０７９１】
また、例えば、第４及び第５上部スプリング２１５０−４、２１５０−５、及び第３及び第４支持部材２２２０−４、２２２０−５を通じて回路基板２２５０から第１位置センサー２１７０に駆動信号が提供され、第１及び第６上部スプリング２１５０−１、２１５０−６、及び第５及び第６支持部材２２２０−５、２２２０−６を通じて第１位置センサー２１７０の出力信号が回路基板２２５０に伝達され得る。
【０７９２】
複数の支持部材２２２０−１〜２２２０−６は、上部弾性部材２１５０と別途の部材に形成され、弾性によって支持できる部材、例えば、板スプリング、コイルスプリング、サスペンションワイヤなどに具現され得る。また、他の実施例において、各支持部材２２２０−１〜２２２０−６は上部弾性部材２１５０と一体に形成されてもよい。
【０７９３】
次に、ベース２２１０、回路基板２２５０、第２コイル２２３０、及び第２位置センサー２２４０に対して説明する。
【０７９４】
ベース２２１０は、ボビン２１１０の開口、又は／及びハウジング２１４０の開口に対応する開口を備えることができ、カバー部材２３００と一致したり、又はカバー部材２３００に対応する形状、例えば、四角形の形状であり得る。
【０７９５】
図４９は、第２コイル２２３０、回路基板２２５０、ベース２２１０、及び第２位置センサー２２４０の斜視図で、図５０ａは、図４９に示した回路基板２２５０の底面図で、図５０ｂは、図５０ａの回路基板２２５０の一部の配線図で、図５１ａは、図４２のレンズ駆動装置のＡＢ方向の断面図で、図５１ｂは、図５１ａの断面図の一部の概略図である。
【０７９６】
図４９、図５０ａ及び図５０ｂに示した回路基板２２５０は、各延長部２０５０ａ〜２０５０ｄがベースの下面と結合するために、各延長部２０５０ａ〜２０５０ｄがベース２２１０の下面に折り曲げられる前の形態を示し、図５１ａ及び図５１ｂでは、図４９、図５０ａ及び図５０ｂに示した各延長部２０５０ａ〜２０５０ｄがベース２２１０の下面に折り曲げられて支持部材２２２０と結合された形態を示す。
【０７９７】
図４９〜図５１ｂを参照すると、ベース２２１０は、カバー部材２３００を接着・固定するとき、接着剤が塗布され得る段２２１１を備えることができる。このとき、段２２１１は、カバー部材２３００の側板をガイドすることができ、カバー部材２３００の側板の下端と向かい合うことができる。
【０７９８】
回路基板２２５０の端子２２５１が形成された部分と向い合うベース２２１０の面には、対応する大きさの支え部２２５５が形成され得る。ベース２２１０の支え部２２５５は、回路基板２２５０の端子面２２５３を支持することができる。
【０７９９】
ベース２２１０の上面には、回路基板２２５０に装着された第２位置センサー２２４０が配置され得るマウント溝２２１５−１、２２１５−２が設けられ得る。実施例によると、ベース２２１０には２個のマウント溝２２１５−１、２２１５−２が設けられ得る。
【０８００】
ベース２２１０は、ハウジング２１４０の各側部２１４１−１〜２１４１−４に対応する各側部、及びハウジング２１４０の各コーナー部２１４２−１〜２１４２−４に対応する各コーナー部２０９１ａ〜２０９１ｄを含むことができる。ベース２２１０の各コーナー部２０９１ａ〜２０９１ｄは、ベース２２１０の各側部の間に位置し得る。
【０８０１】
例えば、ベース２２１０の各コーナー部２０９１ａ〜２０９１ｄは、ベース２１０の角から既に設定された範囲以内の領域であり、光軸方向又は第１方向にハウジング２１４０の各コーナー部２１４２−１〜２１４２−４にオーバーラップされ得る。
【０８０２】
ベース２２１０は、各支持部材２２２０−１〜２２２０−６に対応し、各支持部材２２２０−１〜２２２０−６の他端が通過するための各ホール２０３３を備えることができる。各ホール２０３３は、ベース２２１０の各コーナー部２０９１ａ〜２０９１ｄに配置され得る。
【０８０３】
例えば、ベース２２１０の各コーナー部２０９１ａ〜２０９１ｄのそれぞれに設けられるホール２０３３の個数は、ハウジング２１４０の各コーナー部２１４２−１〜２１４２−４のうち対応するいずれか一つに配置される支持部材の個数と同一であり得る。
【０８０４】
例えば、ベース２２１０の各コーナー部２０９１ａ〜２０９１ｄのそれぞれに１個以上のホール２０３３が設けられ得る。
【０８０５】
例えば、ベース２２１０の各コーナー部２０９１ａ〜２０９１ｄのそれぞれに設けられたホール２０３３は、ベース２２１０の対角線方向に互いに向かい合うように配置され得る。
【０８０６】
例えば、光軸方向又はベース２２１０から回路基板２２５０に向かう方向に、ホール２０３３は回路基板２２５０と重畳され得るが、これに限定されることはなく、他の実施例では重畳されなくてもよい。
【０８０７】
ベース２２１０のホール２０３３の直径は、上端から下端まで一定であり得るが、これに限定されることはない。
【０８０８】
他の実施例においては、支持部材２２２０との離隔を安定的に確保するために、ベース２２１０のホール２０３３の直径は、ベース２２１０の下面から上面の方向に行くほど増加する部分を有することができる。
【０８０９】
更に他の実施例において、ベース２２１０のホール２０３３は、ベース２２１０の上面と接する上部領域、及び上部領域とベース２２１０の下面との間に位置する下部領域を含むことができ、ベース２２１０のホール２０３３の上部領域の直径は、ベース２２１０の下面から上面の方向に行くほど増加し得る。そして、ベース２２１０のホールの下部領域の直径は一定であり、ベース２２１０のホール２０３３の上部領域の最小直径と同一であり得る。
【０８１０】
各支持部材２２２０−１〜２２２０−６のそれぞれの他端は、ベース２２１０の各コーナー部２０９１ａ〜２０９１ｄに設けられた各ホール２０３３のうち対応するいずれか一つを通過することができ、各ホール２０３３を通過した各支持部材２２２０−１〜２２２０−６の他端は、ベース２２１０の下面に延長される回路基板２２５０の各延長部２０５０ａ〜２０５０ｄに結合され得る。
【０８１１】
支持部材２２２０−１〜２２２０−６のそれぞれの直径は、ベース２２１０のホール２０３３の直径Ｄ１より小さくなり得る。例えば、各支持部材２２２０−１〜２２２０−６のそれぞれの直径又は厚さは３０［μｍ］〜７０［μｍ］であり得る。例えば、各支持部材２２２０−１〜２２２０−６のそれぞれの直径又は厚さは３６［μｍ］〜５０［μｍ］であり得る。
【０８１２】
ベース２２１０のホール２０３３の直径Ｄ１は０．１［ｍｍ］〜１［ｍｍ］であり得る。例えば、Ｄ１は０．２５［ｍｍ］〜０．６［ｍｍ］であり得る。また、ベース２２１０のホール２０３３の内側面と支持部材２２２０−１〜２２２０−６との間の離隔距離は０．０１５［ｍｍ］〜０．４８［ｍｍ］であり得る。
【０８１３】
第１外側フレーム２１５２の第１結合部２５２０、２５２０ａ〜２５２０ｄのホール２０５２の直径は、ベース２２１０のホール２０３３の直径Ｄ１より小さくなり得る。例えば、支持部材２２２０−１〜２２２０−６が容易にボンディングできるように第１結合部２５２０、２５２０ａ〜２５２０ｄのホール２０５２の直径は０．０７［ｍｍ］〜０．５［ｍｍ］であり得る。
【０８１４】
他の実施例においては、支持部材２２２０の振動を吸収又は緩衝させたり、又は支持部材２２２０の動きを緩衝させるために、ベース２２１０のホール２０３３ａ内にはダンパー（図示せず）が充填されてもよい。
【０８１５】
回路基板２２５０を基準にして、上部には第２コイル２２３０が配置され、下部には第２位置センサー２２４０が配置され得る。
【０８１６】
例えば、第２位置センサー２２４０は、回路基板２２５０の下面に装着され得る。また、回路基板２２５０の下面は、ベース２２１０の上面と向かい合う面であり得る。
【０８１７】
第２位置センサー２２４０は、ハウジング２１４０が光軸方向に対して垂直な方向に移動するとき、ハウジング２１４０に配置された第１マグネット２１３０の磁場の強さを感知し、感知された結果による出力信号（例えば、出力電圧）を出力することができる。
【０８１８】
第２位置センサー２２４０の出力信号に基づいて、光軸方向（例えば、Ｚ軸方向）に対して垂直な方向（例えば、Ｘ軸又はＹ軸方向）にベース２２１０に対するハウジング２１４０の変位が検出され得る。
【０８１９】
第２位置センサー２２４０は、光軸方向に対して垂直な第２方向（例えば、Ｘ軸）及び／又は第３方向（例えば、Ｙ軸）にハウジング２１４０の変位を検出するために、２個のＯＩＳ用位置センサー２２４０ａ、２２４０ｂを含むことができる。
【０８２０】
例えば、ＯＩＳ用位置センサー２２４０ａは、ハウジング２１４０の移動による第１マグネット２１３０の磁場の強さを感知し、感知された結果による第１出力信号を出力することができ、ＯＩＳ用位置センサー２２４０ｂは、ハウジング２１４０の移動による第１マグネット２１３０の磁場の強さを感知し、感知された結果による第２出力信号を出力することができる。カメラモジュールの制御部８３０又は携帯用端末機２００Ａの制御部７８０は、第１出力信号及び第２出力信号に基づいてハウジング２１４０の変位を検出することができる。
【０８２１】
回路基板２２５０は、ハウジング２１４０の下側に位置し、ベース２２１０の上面上に配置され得る。例えば、回路基板２２５０は、接着部材によってベース２２１０に付着又は固定され得る。
【０８２２】
例えば、回路基板２２５０は、ベース２２１０の上面に配置される胴体２０４０、胴体２０４０からベース２２１０の側部の外側面に折り曲げられ、外部との電気的な連結のための複数の端子２２５１又は各ピンが設けられる少なくとも一つの端子面２２５３、及び胴体２０４０からベース２２１０の外側面及び下面に延長される少なくとも一つの延長部２０５０ａ〜２０５０ｄを含むことができる。
【０８２３】
例えば、回路基板２２５０はＦＰＣＢであり得るが、これに限定されることはない。
【０８２４】
回路基板２２５０の胴体２０４０には、ボビン２１１０の開口、ハウジング２１４０の開口、又は／及びベース２２１０の開口に対応する開口が備えられ得る。
【０８２５】
回路基板２２５０の胴体２０４０の形状は、ベース２２１０の上面と一致したり、又はベース２２１０の上面に対応する形状、例えば、四角形の形状であり得る。
【０８２６】
回路基板２２５０の胴体２０４０は、ハウジング２１４０の各コーナー部２１４２−１〜２１４２−４及びベース２２１０の各コーナー部２０９１ａ〜２０９１ｄに対応する各コーナー部又は各コーナー領域２０８１ａ〜２０８１ｄを含むことができる。
【０８２７】
回路基板２２５０は、胴体２０４０の互いに向かい合う２個の側面に備えられる２個の端子面を含み得るが、これに限定されることはなく、端子面の数は１個以上であり、他の実施例では、互いに向かい合わない胴体２０４０の各側面に各端子面が配置されてもよい。
【０８２８】
例えば、回路基板２２５０の端子面２２５３の各端子２２５１を通じて外部から駆動信号を受け、第１及び第２コイル２１２０、２２３０、及び第１及び第２位置センサー２１７０、２２４０に電源又は駆動信号を提供することもでき、第１及び第２位置センサー２１７０、２２４０から出力される各出力信号を外部に出力することもできる。
【０８２９】
回路基板２２５０の各コーナー部又は各コーナー領域２０８１ａ〜２０８１ｄには、各支持部材２２２０−１〜２２２０−６が通過するための第１ホール２２５０ａが設けられ得る。
【０８３０】
回路基板２２５０の第１ホール２２５０ａの位置及び数は、各支持部材２２２０−１〜２２２０−６の位置及び数に対応したり、又は各支持部材２２２０−１〜２２２０−６の位置及び数と一致し得る。各支持部材２２２０−１〜２２２０−６のそれぞれは、対応する回路基板２２５０の第１ホール２２５０ａの内面から離隔して配置され得る。
【０８３１】
例えば、回路基板２２５０の第１ホール２２５０ａのそれぞれの直径は、ベース２２１０のホール２０３３の直径Ｄ１と同一であり得るが、これに限定されることはない。他の実施例において、回路基板２２５０の第１ホール２２５０ａのそれぞれの直径は、ベース２２１０のホール２０３３の直径Ｄ１より大きくてもよい。
【０８３２】
少なくとも一つの延長部２０５０ａ〜２０５０ｄは、回路基板２２５０の各コーナー部又は各コーナー領域２０８１ａ〜２０８１ｄのうち少なくとも一つからベース２２１０の外側面及び下面に延長され得る。
【０８３３】
例えば、延長部２０５０ａ〜２０５０ｄは、回路基板２２５０の各コーナー部又は各コーナー領域２０８１ａ〜２０８１ｄのそれぞれからベース２２１０の外側面及び下面に延長され得る。
【０８３４】
図５０ａ及び図５０ｂに示したように、延長部２０５０ａ〜２０５０ｄは、回路基板２２５０の端子面２２５３が位置する胴体２０４０の側面（又は辺）と同一の胴体２０４０の側面（又は辺）に配置され得る。
【０８３５】
延長部２０５０ａ〜２０５０ｄは、ベース２２１０のコーナー部２０９１ａ〜２０９１ｄの外側面及び下面に延長され得る。接着部材により、延長部２０５０ａ〜２０５０ｄはベース２２１０のコーナー部２０９１ａ〜２０９１ｄの外側面及び下面に付着又は固定され得る。
【０８３６】
延長部２０５０ａ〜２０５０ｄは、ベース２２１０の外側面に配置される第１延長部２０５２、及びベース２２１０の下面（又はコーナー部の下面）に配置される第２延長部２０５４を含むことができる。
【０８３７】
第１延長部２０５２は、回路基板２２５０の胴体２０４０からベース２２１０の第１外側面に延長され、第２延長部２０５４は、第１延長部２０５２と連結され、第１延長部２０５２からベース２２１０の下面に延長され得る。
【０８３８】
第１延長部２０５２は、回路基板２２５０のコーナー部又はコーナー領域２０８１ａ〜２０８１ｄからベース２２１０のコーナー部２０９１ａ〜２０９１ｄの外側面に折り曲げられ、接着部材によってコーナー部２０９１ａ〜２０９１ｄの外側面に接着又は固定され得る。
【０８３９】
第２延長部２０５４は、第１延長部２０５２と連結され、ベース２２１０のコーナー部２０９１ａ〜２０９１ｄの下面に折り曲げられ、接着部材によってコーナー部２０９１ａ〜２０９１ｄの下面に付着又は固定され得る。
【０８４０】
例えば、光軸方向又はベース２２１０の下面から上面の方向に、第２延長部２０５４は、ベース２２１０のホール２０３３とオーバーラップされ得る。
【０８４１】
例えば、延長部２０５０ａ〜２０５０ｄは、回路基板２２５０のコーナー部又はコーナー領域２０８１ａ〜２０８１ｄと第１延長部２０５２との間に位置する第１折曲部２０５１、及び第１延長部２０５２と第２延長部２０５４との間に位置する第２折曲部２０５３をさらに含むことができる。
【０８４２】
延長部２０５０ａ〜２０５０ｄは、ベース２２１０のホール２０３３に対応し、光軸方向又はベース２２１０の下面から上面の方向にベース２２１０のホール２０３３とオーバーラップされる第２ホール２０５６を含むことができる。
【０８４３】
例えば、第２延長部２０５４は、ベース２１０のホール２０３３に対応し、光軸方向又はベース２２１０の下面から上面の方向にベース２２１０のホール２０３３とオーバーラップされる第２ホール２０５６を有することができる。
【０８４４】
第２延長部２０５４に設けられる第２ホール２０５６の個数及び位置は、ベース２２１０のホール２０３３の個数及び位置に対応したり、又はベース２２１０のホール２０３３の個数及び位置と一致し得る。
【０８４５】
第２延長部２０５４の第２ホール２０５６の直径は、ベース２２１０のホール２０３３の直径より小さくなり得るが、これに限定されることはない。他の実施例において、第２ホール２０５６の直径はベース２２１０のホール２０３３の直径と同一であってもよい。
【０８４６】
例えば、第２延長部２０５４の第２ホール２０５６の直径は０．０５ｍｍ〜１ｍｍであり得る。
【０８４７】
例えば、他の実施例において、第２延長部２０５４の第２ホール２０５６の直径は０．０８ｍｍ〜０．５ｍｍであってもよい。
【０８４８】
支持部材２２２０−１〜２２２０−６の一端は、ソルダー２９０１によって上部弾性部材、例えば、上部スプリング２１５０−１〜２１５０−６の第１結合部２５２０、２５２０ａ〜２５２０ｄに結合され得る。
【０８４９】
支持部材２２２０−１〜２２２０−６は、回路基板２２５０、ベース２２１０、及びベース２２１０の下面に配置された延長部２０５０ａ〜２０５０ｄの一部分を通過することができ、ソルダー２９０２により、ベース２２１０の下面に配置された延長部２０５０ａ〜２０５０ｄの一部分と結合され得る。
【０８５０】
例えば、支持部材２２２０−１〜２２２０−６の他端は、第２延長部２０５４の下面に結合され得る。ここで、第２延長部２０５４の下面は、第２延長部２０５４の上面の反対側の面であり得る。また、第２延長部２０５４の上面は、ベース２２１０の下面と向かい合う面であり、ベース２２１０の下面と接触する面であり得る。
【０８５１】
例えば、支持部材２２２０−１〜２２２０−６の他端は、回路基板２２５０の第１ホール２２５０ａ、ベース２２１０のホール２０３３、及び第２延長部２０５４の第２ホール２０５６を通過することができ、ソルダー２９０２によって第２延長部２０５４の第２ホール２０５６に結合され得る。
【０８５２】
図５０ｂを参照すると、回路基板２２５０は、端子面２２５３に設けられた各端子と、第２延長部２０５４に結合された支持部材２２２０−１〜２２２０−６の他端とを電気的に連結するための配線又は回路パターン（例えば、Ｃ１〜Ｃ３）を含むことができる。
【０８５３】
例えば、回路パターン（例えば、Ｃ３）は、延長部（例えば、２０５０ｂ）の第２延長部２０５４に設けられた第２ホール２０５６及び端子面２２５１の各端子のうちいずれか一つ（例えば、２２５１−３）を電気的に連結することができる。
【０８５４】
例えば、配線又は回路パターンＣ１〜Ｃ３は、胴体２０４０及び各延長部２０５０ａ〜２０５０ｄに形成され得る。
【０８５５】
各延長部２０５０ａ〜２０５０ｄ及び端子面２２５３は、回路基板２２５０の胴体２０４０の同一の側面（又は辺）に位置するので、各延長部と端子面２２５３の各端子との間の回路パターンの長さを減少させることができ、回路基板２２５０の配線の自由度を向上させることができる。
【０８５６】
また、２個の延長部（例えば、２０５０ａと２０５０ｂ、２０５０ｃと２０５０ｄ）が端子面２２５３の両側に配置されるので、各延長部と端子面２２５３の各端子との間の回路パターンの長さを減少させることができ、回路基板の配線の自由度を向上させることができる。
【０８５７】
図５２は、回路基板２０２５の下面に支持部材２０２２が結合される場合の支持部材２０２２の長さＬ２を示す。
【０８５８】
図５２を参照すると、回路基板２０２５はベース２０２１の上面に上に位置することができ、第２コイル２０２３は回路基板２０２５上に位置することができ、支持部材２０２２の一端は上部弾性部材２０１５に結合され、支持部材２０２２の他端は、ベース２０２１の上部に位置する回路基板２０２５の下面に結合され得る。
【０８５９】
一般に、携帯電話の厚さが薄くなるにつれて、これに装着されるカメラモジュールの厚さ（例えば、光軸方向への長さ）も薄くなる。そして、厚さが薄いカメラモジュールを具現するためには、レンズ駆動装置の支持部材２０２２に該当するＯＩＳワイヤの長さＬ２の減少が要求される。
【０８６０】
一定の直径を有するＯＩＳワイヤの長さが減少する場合、ＯＩＳワイヤの抵抗が減少し、これによってＯＩＳワイヤに流れる電流が増加し、消耗電力が増加する。ＯＩＳワイヤの直径を減少させることによって、ＯＩＳワイヤの長さ減少による電流の増加又は消耗電力の増加を防止できるが、ＯＩＳワイヤの直径減少はＯＩＳ駆動の信頼性を低下させ得る。
【０８６１】
実施例によると、支持部材２２２０の他端は、ベース２２１０を通過し、ベース２２１０の下面に配置される回路基板２２５０の各延長部２０５０ａ〜２０５０ｄに結合される。これによって、実施例は、支持部材２２２０の長さＬ１を増加させることができる。
【０８６２】
例えば、図５１ａ、図５１ｂ及び図５２において、ハウジング２０１４、２１４０、上部弾性部材２０１５、２１５０、第２コイル２０２３、２２３０、及びベース２０２１、２２１０などのサイズ（例えば、高さ）が同一であるとしたとき、図５１ｂの支持部材２２２０の長さＬ１が図５２の支持部材２０２２の長さＬ２より大きくなり得る。
【０８６３】
支持部材２２２０の長さＬ１が増加することによって支持部材２２２０の抵抗が増加し、支持部材２２２０に流れる電流の強さが減少し得る。これによって、実施例は、消耗電力を減少させることができ、ＯＩＳワイヤの直径減少に起因したＯＩＳ駆動の信頼性低下を防止することができる。
【０８６４】
図４９では、第２コイル２２３０は、回路基板２２５０と別途の回路部材２２３１又は基板に設けられる形態に具現されるが、これに限定されることはなく、他の実施例において、第２コイル２２３０はリング状のコイルブロックの形態に具現されたり、又はＦＰコイルの形態に具現され得る。
【０８６５】
又は、他の実施例において、第２コイル２２３０は、回路基板２２５０に形成される回路パターンの形態に具現されてもよい。
【０８６６】
第２コイル２２３０が設けられる回路部材２２３１の角には逃避溝２０２３が設けられ、逃避溝２０２３は、回路部材２２３１の角部分が面取りされた形態であり得る。又は、他の実施例において、回路部材２２３１の角部分には、支持部材２２２０が通過するホールが設けられてもよい。
【０８６７】
第２コイル２２３０は、ハウジング２１４０に配置される第１マグネット２１３０に互いに対応するように回路基板２２５０の上部に配置される。又は、他の実施例において、回路基板２２５０は、第１マグネット２１３０に対向する第２コイルを含んでもよい。
【０８６８】
例えば、第２コイル２２３０は、回路基板２２５０の４個の辺のそれぞれに対応して配置される４個のＯＩＳ用コイル２２３０−１〜２２３０−４を含み得るが、これに限定されることはなく、第２方向用１個、第３方向用１個などの２個のみが設置されることも可能であり、４個以上設置されてもよい。
【０８６９】
上述したように、互いに対応する第１マグネット２１３０と第２コイル２２３０との間の相互作用によってハウジング２１４０が第２及び／又は第３方向に動くことによって、手の震え補正を行うことができる。
【０８７０】
各ＯＩＳ用位置センサー２２４０ａ、２２４０ｂのそれぞれは、ホールセンサーとして設けられ、磁場の強さを感知できるセンサーであればいずれも使用可能である。例えば、各ＯＩＳ用位置センサー２２４０のそれぞれは、ホールセンサーを含むドライバーの形態に具現されたり、又はホールセンサーなどの位置検出センサー単独の形態に具現されてもよい。
【０８７１】
各ＯＩＳ用位置センサー２２４０ａ、２２４０ｂのそれぞれは回路基板２２５０に実装され、回路基板２２５０は、各ＯＩＳ用位置センサー２２４０ａ、２２４０ｂと電気的に連結される各端子を備えることができる。
【０８７２】
回路基板２２５０とベース２２１０との結合のために、ベース２２１０の上面の開口の周囲には突出部２０１０ａが設けられ得る。また、回路基板２２５０の開口はベース２２１０の突出部２０１０ａと結合され、エポキシなどの接着部材により、回路基板２２５０はベース２２１０の上面に固定され得る。
【０８７３】
図５３は、他の実施例に係る回路基板２２５０−１の斜視図である。
【０８７４】
図５３に示した回路基板２２５０−１は、図４９に示した回路基板２２５０の変形例であり得る。
【０８７５】
図５３を参照すると、回路基板２２５０−１は、胴体２０４０、端子面２２５３、及び各延長部２０５１ａ〜２０５１ｄを含むことができる。回路基板２２５０−１の各延長部２０５１ａ〜２０５１ｄは、回路基板２２５０−１の端子面２２５３が位置する胴体２０４０の側面（又は辺）と異なる側面（又は辺）に配置され得る。
【０８７６】
例えば、端子面２２５３は、回路基板２２５０−１の胴体２０４０の第１側面（又は第１辺）に配置され、各延長部２０５１ａ〜２０５１ｄは回路基板２２５０−１の胴体２０４０の第２側面（又は第２辺）に配置され得る。例えば、胴体２０４０の第１側面と第２側面は互いに垂直な側面であり得る。
【０８７７】
図５３の実施例は、端子面２２５３と各延長部２０５１ａ〜２０５１ｄが胴体２０４０の互いに異なる側面に配置されるので、端子面２２５３及び各延長部２０５１ａ〜２０５１ｄのデザイン又は設計の自由度を向上させることができる。
【０８７８】
図５４は、図４９に示したベースの他の実施例２１０−１を示す。
【０８７９】
図５４を参照すると、ベース２２１０−１は、図４９に示したベース２２１０の変形例であり得る。
【０８８０】
ベース２２１０−１は、各コーナー部２０９１ａ〜２０９１ｄのうち少なくとも一つの下面に設けられる段差部２０４１を含むことができる。
【０８８１】
段差部２０４１は、ベース２２１０−１の下面（又はコーナー部２０９１ａ〜２０９１ｄの下面）からベース２２１０−１の上面（又はコーナー部２０９１ａ〜２０９１ｄの上面）の方向に段差ＤＰを有することができる。
【０８８２】
例えば、段差部２０４１は、ベース２２１０−１のコーナー部２０９１ａ〜２０９１ｄの下面２０２１ａに設けられる凹溝の形態であり得るが、これに限定されることはない。例えば、段差部２０４１は、ベース２２１０−１の下面又はコーナー部２０９１ａ〜２０９１ｄの下面から陥没した構造であり得る。
【０８８３】
段差部２０４１は、ベース２２１０−１の下面又はコーナー部２０９１ａ〜２０９１ｄの下面から段差ＤＰを有する段差面２０４１ａを含むことができる。例えば、段差面２０４１ａは、ベース２２１０−１の下面又はコーナー部２０９１ａ〜２０９１ｄの下面と平行であり、ベース２２１０−１の下面又はコーナー部２０９１ａ〜２０９１ｄの下面と段差ＤＰを有することができる。そして、ベース２２１０−１のホール２０３３は段差面２０４１ａを貫通し得る。
【０８８４】
例えば、段差部２０４１の段差ＤＰは、回路基板２２５０（又は第２延長部２０５４）の厚さ及びソルダー２９０２の高さの和より大きいかそれと同一であり得る。
【０８８５】
回路基板２２５０の第２延長部２０５４は、段差部２０４１の段差面２０４１ａに配置され得る。図５４の実施例において、段差部２０４１を置く理由は、支持部材２２２０ａと回路基板２２５０−１の第２延長部２０５４とを結合させるソルダー２９０２がベース２２１０−１の下面又はコーナー部２０９１ａ〜２０９１ｄの下面２０２１ａを基準にして突出しないようにするためである。すなわち、ソルダー２９０２は、ベース２２１０−１の下面又はコーナー部２０９１ａ〜２０９１ｄの下面の下側に突出しないので、レンズ駆動装置２１００がカメラモジュールに装着されるとき、他の各構成、例えば、カメラモジュールの回路基板又は回路基板に装着された各素子との電気的な短絡又は空間的干渉を防止することができる。
【０８８６】
図５４に示した支持部材２２２０ａの長さＬ３は、図５２に示した支持部材２０２２の長さＬ２より大きく、図５１ｂに示した支持部材２２２０の長さＬ１よりは小さくなり得る。図５４の実施例は、段差部２０４１の段差ＤＰを用いて支持部材２２２０ａの長さＬ３を調節することができる。
【０８８７】
図５５は、更に他の実施例に係る回路基板２２５０−２の一部分を示し、図５６は、図５５の回路基板２２５０−２を備える実施例の断面図である。
【０８８８】
図５６に示した回路基板２５０−２は図５４の変形例であり得る。
【０８８９】
図５５及び図５６を参照すると、回路基板２２５０−２は、胴体２０４０、端子面２２５３、及び各延長部２０５０ａ１、２０５０ｂ１を含むことができる。図５５及び図５６では、２個の延長部を示すが、これに限定されることはなく、図５０ａに示した各延長部の配置が適用されてもよい。
【０８９０】
また、各延長部は、端子面２２５３が配置された胴体２０４０の側面と同一の側面に配置されるが、これに限定されることはなく、図５３の実施例に係る延長部の配置が適用されてもよい。
【０８９１】
各延長部２０５０ａ１、２０５０ｂ１のそれぞれは、ベース２２１０の外側面（又はコーナー部２０９１ａ〜２０９１ｄの外側面）に配置される第１延長部２０５２、及びベース２２１０の下面（コーナー部２０９１ａ〜２０９１ｄの下面）に配置される第２延長部２０５４ａを含むことができる。
【０８９２】
第２延長部２０５４ａは、１回以上折られた構造であり、垂直方向に積層される複数の層（例えば、２０５４−１、２０５４−２）又は各部分を含むことができ、支持部材２２２０ｂが通過するために複数の層（例えば、２０５４−１、２０５４−２）又は各部分を貫通するホール２０５６ａ、２０５６ｂを備えることができる。
【０８９３】
例えば、第２延長部２０５４ａの複数の層（例えば、２０５４−１、２０５４−２）は交互に反対方向に折り曲げられ得る。
【０８９４】
また、第２延長部２０５４ａは、隣り合う２個の層（例えば、２０５４−１、２０５４−２）を連結する折曲部２０５５−１をさらに含むことができる。
【０８９５】
複数の層（例えば、２０５４−１、２０５４−２）のそれぞれは、ベース２２１０−１のホール２０３３に対応するホール（例えば、２０５６ａ、２０５６ｂ）を備えることができる。
【０８９６】
支持部材２２２０ｂは、ベース２２１０−１のホール２０３３、第２延長部２０５４ａのホール（例えば、２０５６ａ、２０５６ｂ）を通過し、複数の層（例えば、２０５４−１、２０５４−２）のうち最も下側に位置する層（例えば、２０５４−１、２０５４−２）の下面にソルダー２９０２によって結合され得る。
【０８９７】
図１１ｂ、図５３及び図５４の延長部５０ａ〜５０ｄ、５１ａ〜５１ｄの第２延長部２０５４は、ベース２２１０、２２１０−１の下面に一つの層のみを備えるが、図５５及び図５６の延長部２０５０ａ１、２０５０ｂ１は、２個以上の層（例えば、２０５４−１、２０５４−２）を備えることができる。したがって、２個以上の層（例えば、２０５４−１、２０５４−２）により、支持部材２２２０ｂの長さＬ４は、図５４の支持部材２２２０ａの長さＬ３より大きくなり得る。
【０８９８】
図５５及び図５６に示した回路基板２２５０−２は、図５１ｂに示した実施例にも適用可能であり、回路基板２２５０−２が図５１ｂのベース２２１０に適用される場合、支持部材２２２０ｂの長さは図５１ｂの支持部材２２２０の長さＬ１より大きくなり得る。
【０８９９】
上述したように、実施例は、回路基板２２５０、２２５０−１、２２５０−２の延長部２０５０ａ〜２０５０ｄ、２０５１ａ〜２０５１ｄ、２０５１ａ１と２０５１ｂ１を用いて支持部材２２２０、２２２０ａ、２２２０ｂの長さを増加させることができ、消耗電力を減少させることができ、ＯＩＳワイヤの直径減少に起因したＯＩＳ駆動の信頼性低下を防止することができる。
【０９００】
図１１〜図１９を参照して説明した支持部材２２０、ベース２１０、及び回路基板２５０の間の電気的連結関係に対する実施例は、図３１〜図３９を参照して説明した支持部材１２２０の一部、端子部１２７０ａ〜１２７０ｄの一部及び回路基板１２５０の各端子のうち一部の間の電気的連結関係に準用されたり又は取り替えられて適用可能である。
【０９０１】
また、その反対に、図３１〜図３９を参照して説明した支持部材１２２０の一部、端子部１２７０ａ〜１２７０ｄの一部及び回路基板１２５０の各端子のうち一部の間の電気的連結関係の実施例は、図１１〜図１９の実施例に一部適用可能である。
【０９０２】
また、図５０ａ〜図５６を参照して説明した回路基板２２５０と支持部材２２３０との間の電気的連結関係の実施例は、図１１〜図１９の実施例に一部適用可能であり、図３１〜図３９の実施例に一部適用可能であり、その反対の適用も可能である。
【０９０３】
一方、上述した実施例によるレンズ駆動装置は、多様な分野、例えば、カメラモジュール又は光学機器に利用可能である。
【０９０４】
例えば、実施例に係るレンズ駆動装置１００は、光の特性である反射、屈折、吸収、干渉、回折などを用いて空間にある物体の像を形成させ、目の視覚力増大を目標としたり、レンズによる像の記録及びその再現を目的としたり、光学的な測定、像の伝播や伝送などを目的とする光学機器に含まれ得る。例えば、実施例に係る光学機器は、スマートフォン及びカメラが装着された携帯用端末機を含むことができる。
【０９０５】
図５７は、実施例に係るカメラモジュール２００の分解斜視図である。
【０９０６】
図５７を参照すると、カメラモジュール２００は、レンズ又はレンズバレル４００、レンズ駆動装置１００、接着部材６１２、フィルター６１０、第１ホルダー６００、第２ホルダー８００、イメージセンサー８１０、モーションセンサー８２０、制御部８３０、及びコネクター８４０を含むことができる。
【０９０７】
レンズ又はレンズバレル４００は、レンズ駆動装置１００のボビン１１０に装着され得る。
【０９０８】
第１ホルダー６００は、レンズ駆動装置１００、１１００、２１００のベース２１０、１２１０、２２１０の下側に配置され得る。フィルター６１０は第１ホルダー６００に装着され、第１ホルダー６００は、フィルター６１０が載置される突出部５００を備えることができる。
【０９０９】
接着部材６１２は、レンズ駆動装置１００のベース２１０を第１ホルダー６００に結合又は付着させることができる。接着部材６１２は、上述した接着の役割以外に、レンズ駆動装置１００の内部に異物が流入しないようにする役割をすることもできる。
【０９１０】
例えば、接着部材６１２は、エポキシ、熱硬化性接着剤、紫外線硬化性接着剤などであり得る。
【０９１１】
フィルター６１０は、レンズバレル４００を通過する光での特定周波数帯域の光がイメージセンサー８１０に入射することを遮断する役割をすることができる。フィルター６１０は、赤外線遮断フィルターであり得るが、これに限定されることはない。他の実施例において、フィルター６１００は赤外線通過フィルターであってもよい。このとき、フィルター６１０はｘ−ｙ平面と平行に配置され得る。
【０９１２】
フィルター６１０が実装される第１ホルダー６００の部位には、フィルター６１０を通過する光がイメージセンサー８１０に入射できるように中空部が形成され得る。
【０９１３】
第２ホルダー８００は第１ホルダー６００の下部に配置され、第２ホルダー６００にはイメージセンサー８１０が実装され得る。イメージセンサー８１０は、フィルター６１０を通過した光が入射し、光が含むイメージが結像される部位、例えば、アクティブ領域、撮像領域、又は有効領域などを含むことができる。
【０９１４】
第２ホルダー８００には、イメージセンサー８１０に結像されるイメージを電気的信号に変換して外部装置に伝送するために、各種回路、素子、制御部などが備えられてもよい。
【０９１５】
第２ホルダー８００にはイメージセンサーが実装され、回路パターンが形成され、各種素子が結合する回路基板に具現され得る。
【０９１６】
第１ホルダー６００は「センサーベース」に取り替えて表現され、第２ホルダー８００は回路基板に取り替えて表現され得る。
【０９１７】
イメージセンサー８１０は、レンズ駆動装置１００、１１００、２１００を通じて入射される光に含まれるイメージを受信し、受信されたイメージを電気的信号に変換することができる。
【０９１８】
フィルター６１０とイメージセンサー８１０は、第１方向に互いに対向するように離隔して配置され得る。
【０９１９】
モーションセンサー８２０は第２ホルダー８００に実装され、第２ホルダー８００に設けられる回路パターンを通じて制御部８３０と電気的に連結され得る。
【０９２０】
モーションセンサー８２０は、カメラモジュール２００の動きによる回転角速度情報を出力する。モーションセンサー８２０は、２軸又は３軸ジャイロセンサー（Ｇｙｒｏ  Ｓｅｎｓｏｒ）、又は角速度センサーに具現され得る。
【０９２１】
制御部８３０は第２ホルダー８００に実装される。第２ホルダー８００は、レンズ駆動装置１００、１１００、２１００と電気的に連結され得る。例えば、第２ホルダー８００は、レンズ駆動装置１００、１１００、２１００の第１コイル１２０、１１２０、２１２０、第２コイル２３０、１２３０、２２３０、第１位置センサー１７０、１１７０、２１７０、及び第２位置センサー２４０、１２４０、２２４０と電気的に連結され得る。
【０９２２】
例えば、第２ホルダー８００を通じて第１コイル１２０、１１２０、２１２０、第２コイル２３０、１２３０、２２３０、第１位置センサー１７０、１１７０、２１７０、及び第２位置センサー２３０、１２３０、２２３０のそれぞれに駆動信号が提供され、第１位置センサー１７０、１１７０、２１７０及び第２位置センサー２３０、１２３０、２２３０のそれぞれの出力信号が第２ホルダー８００に伝送され得る。例えば、第１位置センサー１７０、１１７０、２１７０及び第２位置センサー２４０、１２４０、２２４０のそれぞれの出力信号は制御部８３０で受信され得る。
【０９２３】
コネクター８４０は、第２ホルダー８００と電気的に連結され、外部装置と電気的に連結されるポートを備えることができる。
【０９２４】
図５８は、図５７に示したイメージセンサー８１０の一実施例に係るブロック図である。
【０９２５】
図５８を参照すると、イメージセンサー８１０は、センシング制御部９０５、画素アレイ９１０、及びアナログ−デジタル変換ブロック９２０を含む。
【０９２６】
センシング制御部９０５は、画素アレイ９１０に含まれた各トランジスタを制御するための各制御信号（例えば、リセット信号（ＲＸ）、伝送信号（ＴＸ）、選択信号（ＳＸ））、及びアナログ−デジタル変換ブロック９２０を制御するための各制御信号（Ｓｃ）を出力する。
【０９２７】
画素アレイ部９１０は、複数の単位画素（Ｐ１１〜Ｐｎｍ、ｎ、ｍ＞１である自然数）を含み、複数の単位画素Ｐ１１〜Ｐｎｍは、行と列からなるマトリックス形状を有するように配列され得る。各単位画素Ｐ１１〜Ｐｎｍのそれぞれは、光を感知して電気的信号に変換する光電変換素子であり得る。
【０９２８】
画素アレイ９１０は、各単位画素Ｐ１１〜Ｐｎｍの各出力段と連結される各センシングラインを含むことができる。
【０９２９】
例えば、各単位画素Ｐ１１〜Ｐｎｍのそれぞれは、フォトダイオード、トランスファートランジスタ、リセットトランジスタ、ドライブトランジスタ、及びセレクトトランジスタを含み得るが、これに限定されることはない。単位画素が含む各トランジスタの個数は４個に限定されることはなく、３個又は５個であってもよい。
【０９３０】
フォトダイオードは、光を吸収し、吸収された光によって電荷を発生し得る。
【０９３１】
トランスファートランジスタは、伝送信号（ＴＸ）に応答し、フォトダイオードによって発生した電荷を感知ノード（例えば、フローティングディフュージョン領域（ｆｌｏａｔｉｎｇ  ｄｉｆｆｕｓｉｏｎ  ｒｅｇｉｏｎ））に伝送することができる。リセットトランジスタは、リセット信号（ＲＸ）に応答し、単位画素を初期化することができる。ドライブトランジスタは、感知ノードの電圧に応答して制御され、ソースフォロワー（ｓｏｕｒｃｅ  ｆｏｌｌｏｗｅｒ）に具現され、バッファーの役割をすることができる。セレクトトランジスタは、選択信号（ＳＥ）によって制御され、感知信号（Ｖａ）を単位画素の出力端子に出力することができる。
【０９３２】
アナログ−デジタル変換ブロック９２０は、画素アレイ部９０５から出力されるアナログ信号である感知信号（Ｖａ）をサンプリングし、サンプリングされた感知信号をデジタル信号（Ｄｓ）に変換する。アナログデジタル変換ブロック９２０は、画素固有の固定パターンノイズを除去するために、相関ダブルサンプリング（Ｃｏｒｒｅｌａｔｅｄ  Ｄｏｕｂｌｅ  Ｓａｍｐｌｉｎｇ、ＣＤＳ）を行うことができる。
【０９３３】
上述したセンシング制御部９０５及びアナログデジタル変換ブロック９２０は、制御部８３０と別途に具現され得るが、これに限定されることはなく、センシング制御部９０５、アナログデジタル変換ブロック９２０、及び制御部８３０が一つの制御部に具現されてもよい。
【０９３４】
図５９は、実施例に係る携帯用端末機２００Ａの斜視図で、図６０は、図５９に示した携帯用端末機２００Ａの構成図である。
【０９３５】
図５９及び図６０を参照すると、携帯用端末機２００Ａ（以下、「端末機」という。）は、胴体８５０、無線通信部７１０、Ａ／Ｖ入力部７２０、センシング部７４０、入／出力部７５０、メモリ部７６０、インターフェース部７７０、制御部７８０、及び電源供給部７９０を含むことができる。
【０９３６】
図５９に示した胴体８５０は、バー状であるが、これに限定されなく、２個以上のサブ胴体が相対移動可能に結合するスライドタイプ、フォルダータイプ、スイングタイプ、スイベルタイプなどの多様な構造であり得る。
【０９３７】
胴体８５０は、外観をなすケース（ケーシング、ハウジング、カバーなど）を含むことができる。例えば、胴体８５０は、フロントケース８５１とリアケース８５２とに区分され得る。フロントケース８５１とリアケース８５２との間に形成された空間には、端末機の各種電子部品が内蔵され得る。
【０９３８】
無線通信部７１０は、端末機２００Ａと無線通信システムとの間又は端末機２００Ａと端末機２００Ａが位置したネットワークとの間の無線通信を可能にする一つ以上のモジュールを含んで構成され得る。例えば、無線通信部７１０は、放送受信モジュール７１１、移動通信モジュール７１２、無線インターネットモジュール７１３、近距離通信モジュール７１４及び位置情報モジュール７１５を含んで構成され得る。
【０９３９】
Ａ／Ｖ（Ａｕｄｉｏ／Ｖｉｄｅｏ）入力部７２０は、オーディオ信号又はビデオ信号の入力のためのものであって、カメラ７２１及びマイク７２２などを含むことができる。
【０９４０】
カメラ７２１は、図５９に示した実施例に係るカメラモジュール２００を含むことができる。
【０９４１】
センシング部７４０は、端末機２００Ａの開閉状態、端末機２００Ａの位置、ユーザーの接触有無、端末機２００Ａの方位、端末機２００Ａの加速／減速などの端末機２００Ａの現状態を感知し、端末機２００Ａの動作を制御するためのセンシング信号を発生させることができる。例えば、端末機２００Ａがスライドフォンの形態である場合、スライドフォンの開閉有無をセンシングすることができる。また、電源供給部７９０の電源供給有無、インターフェース部７７０の外部機器との結合有無などと関連したセンシング機能を担当する。
【０９４２】
入／出力部７５０は、視覚、聴覚又は触覚などと関連した入力又は出力を発生させるためのものである。入／出力部７５０は、端末機２００Ａの動作制御のための入力データを発生させることができ、また、端末機２００Ａで処理される情報を表示することができる。
【０９４３】
入／出力部７５０は、キーパッド部７３０、ディスプレイモジュール７５１、音響出力モジュール７５２、及びタッチスクリーンパネル７５３を含むことができる。キーパッド部７３０は、キーパッドの入力によって入力データを発生させることができる。
【０９４４】
ディスプレイモジュール７５１は、電気的信号によって色が変化する複数のピクセルを含むことができる。例えば、ディスプレイモジュール７５１は、液晶ディスプレイ、薄膜トランジスタ液晶ディスプレイ、有機発光ダイオード、フレキシブルディスプレイ、及び３次元ディスプレイのうち少なくとも一つを含むことができる。
【０９４５】
音響出力モジュール７５２は、呼（ｃａｌｌ）信号受信、通話モード、録音モード、音声認識モード、又は放送受信モードなどで無線通信部７１０から受信されるオーディオデータを出力したり、メモリ部７６０に格納されたオーディオデータを出力することができる。
【０９４６】
タッチスクリーンパネル７５３は、タッチスクリーンの特定領域に対するユーザーのタッチに起因して発生する静電容量の変化を電気的な入力信号に変換することができる。
【０９４７】
メモリ部７６０は、制御部７８０の処理及び制御のためのプログラムを格納してもよく、入／出力される各データ（例えば、電話帳、メッセージ、オーディオ、静止画像、写真、動画など）を臨時格納することができる。例えば、メモリ部７６０は、カメラ７２１によって撮影されたイメージ、例えば、写真又は動画を格納することができる。
【０９４８】
インターフェース部７７０は、端末機２００Ａに連結される外部機器と連結される通路の役割をする。インターフェース部７７０は、外部機器からデータを受けたり、電源を受けて端末機２００Ａ内部の各構成要素に伝達したり、端末機２００Ａ内部のデータが外部機器に伝送されるようにする。例えば、インターフェース部７７０は、有／無線ヘッドセットポート、外部充電器ポート、有／無線データポート、メモリカードポート、識別モジュールが備えられた装置を連結するポート、オーディオＩ／Ｏ（Ｉｎｐｕｔ／Ｏｕｔｐｕｔ）ポート、ビデオＩ／Ｏ（Ｉｎｐｕｔ／Ｏｕｔｐｕｔ）ポート、及びイヤホンポートなどを含むことができる。
【０９４９】
制御部７８０は、端末機２００Ａの全般的な動作を制御することができる。例えば、制御部７８０は、音声通話、データ通信、画像通話などのための関連した制御及び処理を行うことができる。
【０９５０】
制御部７８０は、マルチメディア再生のためのマルチメディアモジュール７８１を備えることができる。マルチメディアモジュール７８１は、制御部１８０内に具現されてもよく、制御部７８０と別途に具現されてもよい。
【０９５１】
制御部７８０は、タッチスクリーン上で行われる筆記入力又は絵描き入力をそれぞれ文字及びイメージで認識できるパターン認識処理を行うことができる。
【０９５２】
電源供給部７９０は、制御部７８０の制御によって外部の電源又は内部の電源を受け、各構成要素の動作に必要な電源を供給することができる。
【０９５３】
以上の各実施例に説明した特徴、構造、効果などは、本発明の少なくとも一つの実施例に含まれ、必ず一つの実施例にのみ限定されるものではない。さらに、各実施例で例示した特徴、構造、効果などは、各実施例が属する分野で通常の知識を有する者によって他の実施例に対しても組み合わせたり変形して実施可能である。したがって、このような組み合わせ及び変形に関係した各内容は、本発明の実施例の範囲に含まれるものと解釈すべきであろう。
【産業上の利用可能性】
【０９５４】
実施例は、支持部材に流れる電流の強さを減少させ、消耗電力を減少させることができ、ＯＩＳワイヤの直径減少に起因したＯＩＳ駆動の信頼性低下を防止できるレンズ駆動装置、これを含むカメラモジュール及び光学装置に使用可能である。
【手続補正２】
【補正対象書類名】特許請求の範囲
【補正対象項目名】全文
【補正方法】変更
【補正の内容】
【特許請求の範囲】
【請求項１】
ハウジング；
前記ハウジング内に配置されるボビン；
前記ボビンに配置される第１コイル；
前記ハウジングに配置される第１マグネット；
前記ボビン及び前記ハウジングに結合される上部弾性部材；
前記ハウジングの下側に配置される回路基板；
前記回路基板の下側に配置され、第１ホールを含むベース；
前記ベースに配置され、前記回路基板と電気的に連結される導電パターン；及び
前記上部弾性部材に結合される一端、及び前記導電パターンに結合される他端を含む支持部材；を含み、
前記支持部材の他端は、前記ベースの前記第１ホールを介して前記ベースと結合されるレンズ駆動装置。
【請求項２】
前記ベースは、前記第１ホールと離隔して配置される第２ホールをさらに含む、請求項１に記載のレンズ駆動装置。
【請求項３】
前記導電パターンは、
前記ベースの上面に配置される第１導電パターン；
前記ベースの下面に配置される第２導電パターン；及び
前記第１ホール又は前記第２ホール内に配置され、前記第１導電パターンと前記第２導電パターンとを連結する第３導電パターン；を含む、請求項２に記載のレンズ駆動装置。
【請求項４】
前記第１ホールは前記回路基板と垂直方向に重畳されず、前記第２ホールは前記回路基板と垂直方向に重畳される、請求項３に記載のレンズ駆動装置。
【請求項５】
前記第２導電パターンと前記支持部材の他端はソルダーによって結合される、請求項３に記載のレンズ駆動装置。
【請求項６】
前記ベースは、前記第１ホールの下部と連結される溝をさらに含み、
前記導電パターンの一部は前記溝内に配置される、請求項１から５のいずれか１項に記載のレンズ駆動装置。
【請求項７】
前記回路基板は、前記第１導電パターンと結合されるパッドを含む、請求項３に記載のレンズ駆動装置。
【請求項８】
前記第１ホール内に配置されるダンパーをさらに含む、請求項１から７のいずれか１項に記載のレンズ駆動装置。
【請求項９】
前記第１ホールの大きさは、上部が下部より大きい、請求項１から８のいずれか１項に記載のレンズ駆動装置。
【請求項１０】
前記回路基板上に配置される第２コイル；
前記ボビンに配置される第２マグネット；
前記ハウジングに配置され、前記第２マグネットに対応する第１位置センサー；及び
前記ベースに配置され、前記第１マグネットに対応する第２位置センサー；をさらに含む、請求項１から９のいずれか１項に記載のレンズ駆動装置。
【請求項１１】
前記第１ホールは、前記ベースの上面と下面を通過して形成される、請求項１から１０のいずれか１項に記載のレンズ駆動装置。
【請求項１２】
前記導電パターンは、前記第１ホールの内壁上に配置されない、請求項３に記載のレンズ駆動装置。
【請求項１３】
前記第１ホールは、
前記ベースの上面に接する上部領域；及び
前記上部領域と前記ベースの下面との間に位置する下部領域；を含み、
前記上部領域の直径は、前記ベースの下面から前記ベースの上面の方向に行くほど増加する、請求項１から１２のいずれか１項に記載のレンズ駆動装置。
【請求項１４】
前記下部領域の直径は、均一であり、前記上部領域の最下端の直径と同一である、請求項１３に記載のレンズ駆動装置。
【請求項１５】
前記第１ホールは、前記ベースのコーナー部に形成される、請求項１から１４のいずれか１項に記載のレンズ駆動装置。